(57)【要約】  消費電力の削減と安定した維持放電とを実現する。維持パルス発生回路は、電力回収回路および補助回路を備える。電力回収回路は、第１の巻線、第２の巻線、および第３の巻線を有する回収インダクタ、ならびにコンデンサを有する。補助回路は、第１の補助スイッチおよび第２の補助スイッチを有する。維持パルス発生回路は、維持パルスの立ち上がりの直前には第１の補助スイッチを導通させて第１の巻線に正方向のエネルギーを蓄積する。他方、維持パルスの立ち下がりの直前には第２の補助スイッチを導通させて第２の巻線に負方向のエネルギーを蓄積し、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とする。
2009130860.tif 000002
【特許請求の範囲】
【請求項１】
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
少なくとも２つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路と、
前記表示電極対を電源電位および接地電位にクランプするクランプ回路と、
第１の補助スイッチおよび第２の補助スイッチを有する補助回路とを備え、
前記補助回路は、前記第１の補助スイッチを導通させたときには前記回収インダクタに正方向のエネルギーを蓄積し、前記第２の補助スイッチを導通させたときには前記回収インダクタに負方向のエネルギーを蓄積するように構成するとともに、前記維持パルスの立ち上がりの直前には前記第１の補助スイッチを導通させて前記回収インダクタに正方向のエネルギーを蓄積し、前記維持パルスの立ち下がりの直前には前記第２の補助スイッチを導通させて前記回収インダクタに負方向のエネルギーを蓄積し、
前記電力回収回路は、前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【請求項２】
前記補助回路は、
前記第１の補助スイッチを前記回収インダクタの第１の巻線に電流を流すためのスイッチとして設けるとともに前記第２の補助スイッチを前記回収インダクタの第２の巻線に電流を流すためのスイッチとして設け、
前記第１の補助スイッチを導通させたときには前記回収コンデンサから前記回収インダクタの第１の巻線を通って基準電位に流れる電流が発生し、前記第２の補助スイッチを導通させたときには前記回収コンデンサから前記回収インダクタの第２の巻線を通って基準電位に流れる電流が発生するように構成することを特徴とする請求項１に記載のプラズマディスプレイ装置。
【請求項３】
前記補助回路は、
前記第１の補助スイッチと前記第２の補助スイッチをそれぞれ１対のスイッチにて構成し、
前記１対の第１の補助スイッチを導通させたときには前記回収コンデンサから前記回収インダクタの第１の巻線を通って基準電位に流れる電流が発生し、前記１対の第２の補助スイッチを導通させたときには前記回収コンデンサから前記１対の第１の補助スイッチを導通させたときに流れる電流とは逆方向に前記回収インダクタの第１の巻線を通って基準電位に流れる電流が発生するように構成することを特徴とする請求項１に記載のプラズマディスプレイ装置。
【請求項４】
前記電力回収回路は、前記回収インダクタを、正方向の電流を流して正方向のエネルギーをあらかじめ蓄積しておくためのインダクタと、負方向の電流を流して負方向のエネルギーをあらかじめ蓄積しておくためのインダクタとに分けた構成とすることを特徴とする請求項１に記載のプラズマディスプレイ装置。
【請求項５】
前記維持パルス発生回路は、前記第１の補助スイッチおよび前記クランプ回路が有する接地電位側のスイッチを導通させたときに前記回収インダクタの第１の巻線に電流が流れ、前記第２の補助スイッチおよび前記クランプ回路が有する電源電位側のスイッチを導通させたときに前記回収インダクタの第２の巻線に電流が流れるように構成したことを特徴とする請求項１に記載のプラズマディスプレイ装置。
【請求項６】
前記補助回路は、前記補助回路に用いる電源電位および基準電位を表示画像に応じて可変することを特徴とする請求項１に記載のプラズマディスプレイ装置。
【請求項７】
前記補助回路は、前記第１の補助スイッチおよび前記第２の補助スイッチの導通期間を表示画像に応じて可変することを特徴とする請求項２に記載のプラズマディスプレイ装置。
【請求項８】
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
少なくとも３つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路と、
前記表示電極対を電源電位および接地電位にクランプするクランプ回路と、
補助スイッチを有する補助回路とを備え、
前記補助回路は、前記補助スイッチを導通させたときには前記回収インダクタに負方向のエネルギーを蓄積するように構成するとともに、前記維持パルスの立ち下がりの直前には前記補助スイッチを導通させて前記回収インダクタに負方向のエネルギーを蓄積し、
前記電力回収回路は、前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【請求項９】
前記維持パルス発生回路は、
走査電極用維持パルス発生回路と維持電極用維持パルス発生回路とを備え、
前記走査電極用維持パルス発生回路と前記維持電極用維持パルス発生回路との前記電力回収回路の前記ＬＣ共振用の回収インダクタと前記回収コンデンサを共用することを特徴とする請求項８に記載のプラズマディスプレイ装置。
【請求項１０】
前記電力回収回路の前記回収インダクタの第１の巻線は前記補助回路の前記補助スイッチに接続され、前記回収インダクタの第２の巻線は走査電極用維持パルス発生回路の回収インダクタとして、また前記回収インダクタの第３の巻線は維持電極用維持パルス発生回路の回収インダクタとして構成することを特徴とする請求項９に記載のプラズマディスプレイ装置。
【請求項１１】
前記補助回路は、前記補助回路に用いる電源電位および基準電位を表示画像に応じて可変することを特徴とする請求項８に記載のプラズマディスプレイ装置。
【請求項１２】
前記補助回路は、前記第１の補助スイッチおよび前記第２の補助スイッチの導通期間を表示画像に応じて可変することを特徴とする請求項１１に記載のプラズマディスプレイ装置。
【請求項１３】
表示電極対を構成する複数の走査電極および維持電極を有するプラズマディスプレイパネルを、
少なくとも２つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路、前記表示電極対を電源電位および接地電位にクランプするクランプ回路、ならびに第１の補助スイッチと第２の補助スイッチとを有する補助回路を用い、
初期化期間と書き込み期間と維持期間とを有する複数のサブフィールドの前記維持期間において維持パルスを発生させて前記表示電極対に交互に印加して駆動するプラズマディスプレイパネルの駆動方法であって、
前記補助回路を、前記第１の補助スイッチを導通させたときには前記回収インダクタに正方向のエネルギーを蓄積し、前記第２の補助スイッチを導通させたときには前記回収インダクタに負方向のエネルギーを蓄積するように構成し、
前記維持パルスの立ち上がりの直前には前記第１の補助スイッチを導通させて前記回収インダクタに正方向のエネルギーをあらかじめ蓄積し、前記維持パルスの立ち下がりの直前には前記第２の補助スイッチを導通させて前記回収インダクタに負方向のエネルギーをあらかじめ蓄積しておいて、
前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイパネルの駆動方法。
【請求項１４】
前記第１の補助スイッチを導通させたときには前記回収コンデンサから前記回収インダクタの第１の巻線を通って基準電位に流れる電流を発生させ、前記第２の補助スイッチを導通させたときには前記回収コンデンサから前記回収インダクタの第２の巻線を通って基準電位に流れる電流を発生させることを特徴とする請求項１３に記載のプラズマディスプレイパネルの駆動方法。
【請求項１５】
前記補助回路に用いる電源電位および基準電位を表示画像に応じて制御することを特徴とする請求項１３に記載のプラズマディスプレイパネルの駆動方法。
【請求項１６】
前記回収インダクタに正方向のエネルギーを蓄積するために前記第１の補助スイッチを導通させる時間、および前記回収インダクタに負方向のエネルギーを蓄積するために前記第２の補助スイッチを導通させる時間を表示画像に応じて制御することを特徴とする請求項１３に記載のプラズマディスプレイパネルの駆動方法。
【請求項１７】
表示電極対を構成する複数の走査電極および維持電極を有するプラズマディスプレイパネルを、
少なくとも３つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路、前記表示電極対を電源電位および接地電位にクランプするクランプ回路、ならびに補助スイッチを有する補助回路を用い、
初期化期間と書き込み期間と維持期間とを有する複数のサブフィールドの前記維持期間において維持パルスを発生させて前記表示電極対に交互に印加して駆動するプラズマディスプレイパネルの駆動方法であって、
前記補助回路を、前記補助スイッチを導通させたときには前記回収インダクタに負方向のエネルギーを蓄積するように構成し、
前記維持パルスの立ち下がりの直前には前記補助スイッチを導通させて前記回収インダクタに負方向のエネルギーをあらかじめ蓄積し、
前記補助回路は、前記補助スイッチを導通させたときには前記回収インダクタに負方向のエネルギーを蓄積するように構成し、
前記維持パルスの立ち下がりの直前には前記補助スイッチを導通させて前記回収インダクタに負方向のエネルギーを蓄積しておいて、
前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイパネルの駆動方法。
【発明の詳細な説明】
【技術分野】
【０００１】
本発明は、容量性負荷を駆動する装置に関し、さらに詳しくは壁掛けテレビや大型モニターに用いられるプラズマディスプレイ装置およびプラズマディスプレイパネルの駆動方法に関する。
【背景技術】
【０００２】
プラズマディスプレイパネル（Ｐｌａｓｍａ  Ｄｉｓｐｌａｙ  Ｐａｎｅｌ：ＰＤＰ、以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。【０００４】
各サブフィールドは、初期化期間、書き込み期間および維持期間を有する。初期化期間では初期化放電を発生し、続く書き込み動作に必要な壁電荷を各電極上に形成するとともに、書き込み放電を安定して発生させるためのプライミング粒子（放電のための起爆剤＝励起粒子）を発生させる。書き込み期間では、表示を行うべき放電セルに選択的に書き込みパルス電圧を印加して書き込み放電を発生させ壁電荷を形成する（以下、この動作を「書き込み」とも記す）。そして維持期間では、走査電極と維持電極とからなる表示電極対に交互に維持パルス電圧を印加し、書き込み放電を起こした放電セルで維持放電を発生させ、対応する放電セルの蛍光体層を発光させることにより画像表示を行う。【０００５】
このような構成のパネルを用いたプラズマディスプレイ装置に対して、その消費電力を削減するために、様々な消費電力削減技術が提案されている。例えば、維持期間における消費電力を削減する技術の１つとして、表示電極対のそれぞれが表示電極対の電極間容量を持つ容量性の負荷であることに着目する案がある。この案では、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する。この案は、電力回収回路と呼ばれ、例えば特許文献１に開示されている。【０００６】
また、補助共振部を用いて電力回収にともなうスイッチング損失を低減し、回収効率を向上させる技術が開示されている（例えば、特許文献２参照）。【０００７】
また、パネル全体にわたって安定した放電を実現するとともに、電力回収回路からクランプ回路への切り替え時、およびクランプ回路から電力回収回路への切り替え時に発生するスイッチング損失を低減する技術が開示されている（例えば、特許文献３参照）。
【先行技術文献】
【特許文献】
【０００８】
【特許文献１】特開昭６３−１０１８９７号公報
【特許文献２】特開２００６−１０７５０号公報
【特許文献３】特開２００５−４９８１４号公報
【発明の概要】
【発明が解決しようとする課題】
【０００９】
近年においては、パネルの高精細化によって１つのサブフィールド期間内に書き込みをしなければならない電極数が増加しており、それにともない１回の書き込み期間に要する時間が増大している。そのため、例えば維持パルスの周期を短くして維持期間を短縮する等の対応が必要となっている。【００１０】
しかしながら、安定した維持放電を発生させるためには、維持パルスを電源電圧に維持する期間（クランプ期間）を十分に確保しなければならない。クランプ期間を確保しつつ維持パルスの周期を短くするためには、例えば維持パルスの立ち上がりや立ち下がりを急峻にし、それらにかける時間を短縮するといった対応が必要となる。【００１１】
このとき、維持パルスの立ち上がりや立ち下がりのエッジ特性を急峻にするために、例えば電力回収回路におけるＬＣ共振の周期を短くすると、電極の駆動の際に流れる電流の最大値（以下、「ピーク電流」とも呼称する）が増加してしまう。この電流の増加は無効電力と呼ばれる発光に寄与しないまま無効に消費される電力を増大させるだけでなく、ＥＭＩ（Ｅｌｅｃｔｒｏ  Ｍａｇｎｅｔｉｃ  Ｉｎｔｅｒｆｅｒｅｎｃｅ）と呼ばれる電磁妨害を増大させてしまう。【００１２】
ＬＣ共振の周期を長くすれば、維持パルスの立ち上がりを緩やかにし、ピーク電流の抑制による無効電力の削減、およびＥＭＩの低減を図ることができるが、維持パルスの立ち上がりが緩やかになる分、維持パルスの周期が長くなってしまい、維持期間が増大してしまう。【００１３】
一方、大画面化、高輝度化されたパネルでは消費電力はさらに増加し、また、高精細化されたパネルでは駆動しなければならない電極数が増えるため消費電力はさらに増加してしまう。【００１４】
本発明はこれらの課題に鑑みなされたものであり、パネルを高精細化しても、消費電力の削減と安定した維持放電とを実現することが可能なプラズマディスプレイ装置およびプラズマディスプレイパネルの駆動方法を提供することを目的とする。
【課題を解決するための手段】
【００１５】
上述した目的を達成するために、本発明のプラズマディスプレイ装置は、表示電極対を構成する複数の走査電極および維持電極を有するイパネルの表示電極対に、初期化期間、書き込み期間および維持期間を有するサブフィールドの維持期間に維持パルスを交互に印加する維持パルス発生回路を備えたプラズマディスプレイ装置であって、維持パルス発生回路は、少なくとも２つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、第１の補助スイッチおよび第２の補助スイッチを有する補助回路とを備え、補助回路は、第１の補助スイッチを導通させたときには回収インダクタに正方向のエネルギーを蓄積し、第２の補助スイッチを導通させたときには回収インダクタに負方向のエネルギーを蓄積するように構成するとともに、維持パルスの立ち上がりの直前には第１の補助スイッチを導通させて回収インダクタに正方向のエネルギーを蓄積し、維持パルスの立ち下がりの直前には第２の補助スイッチを導通させて回収インダクタに負方向のエネルギーを蓄積し、電力回収回路は、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。【００１６】
これにより、維持パルスを立ち上げるときおよび立ち下げるときに電力回収回路と表示電極対の容量性負荷との間に流れる電流に、回収インダクタに蓄積されたエネルギーによる電流を付加できるので、回収インダクタと容量性負荷とのＬＣ共振の周期（以下、単に「共振周期」と記す）を長くしてピーク電流を低減させることができ、消費電力の削減およびＥＭＩの低減が可能となる。また、回収インダクタにエネルギーを蓄積させる際に、必要最低限の回路だけに電流を流すので、消費電力を低減させるとともに不要な熱の発生を防止することができる。【００１７】
また、本発明のプラズマディスプレイ装置において、補助回路は、第１の補助スイッチを回収インダクタの第１の巻線に電流を流すためのスイッチとして設けるとともに第２の補助スイッチを回収インダクタの第２の巻線に電流を流すためのスイッチとして設け、第１の補助スイッチを導通させたときには回収コンデンサから回収インダクタの第１の巻線を通って基準電位に流れる電流が発生し、第２の補助スイッチを導通させたときには回収コンデンサから回収インダクタの第２の巻線を通って基準電位に流れる電流が発生するように構成してもよい。これにより、第１の補助スイッチを導通させたときには、回収コンデンサから回収インダクタの第１の巻線を通って基準電位に流れる電流を発生させ、回収インダクタに正方向のエネルギーを蓄積させることができ、第２の補助スイッチを導通させたときには、回収コンデンサから回収インダクタの第２の巻線を通って基準電位に流れる電流を発生させ、回収インダクタに負方向のエネルギーを蓄積させることができる。【００１８】
また、本発明のプラズマディスプレイ装置において、補助回路は、第１の補助スイッチと第２の補助スイッチをそれぞれ１対のスイッチにて構成し、１対の第１の補助スイッチを導通させたときには回収コンデンサから回収インダクタの第１の巻線を通って基準電位に流れる電流が発生し、１対の第２の補助スイッチを導通させたときには回収コンデンサから１対の第１の補助スイッチを導通させたときに流れる電流とは逆方向に回収インダクタの第１の巻線を通って基準電位に流れる電流が発生するように構成してもよい。これにより、正方向のエネルギーを蓄積する回収インダクタの第１の巻線を負方向のエネルギーを蓄積する巻線としても使用することができる。【００１９】
また、本発明のプラズマディスプレイ装置において、電力回収回路は、回収インダクタを、正方向の電流を流して正方向のエネルギーをあらかじめ蓄積しておくためのインダクタと、負方向の電流を流して負方向のエネルギーをあらかじめ蓄積しておくためのインダクタとに分けた構成としてもよい。これにより、正方向に蓄積するエネルギーと負方向に蓄積するエネルギーとを互いに独立して調整することができる。【００２０】
また、本発明のプラズマディスプレイ装置において、維持パルス発生回路は、第１の補助スイッチおよびクランプ回路が有する接地電位側のスイッチを導通させたときに回収インダクタの第１の巻線に電流が流れ、第２の補助スイッチおよびクランプ回路が有する電源電位側のスイッチを導通させたときに回収インダクタの第２の巻線に電流が流れるように構成してもよい。これにより、回収インダクタに正方向のエネルギーおよび負方向のエネルギーを蓄積するときに流す電流をより急峻に増加させることができ、蓄積に要する時間を短縮することができる。【００２１】
また、本発明のプラズマディスプレイ装置において、補助回路は、補助回路に用いる電源電位および基準電位を表示画像に応じて可変する構成としてもよい。これにより、所定の期間に回収インダクタに蓄積するエネルギーを表示画像に応じて変更することができる。例えば、表示画像が明るいときには、表示画像が暗いときよりも、回収インダクタに蓄積するエネルギーを高くすることで、表示画像が明るいときの維持パルスの立ち上がりを表示画像が暗いときの維持パルスの立ち上がりよりも急峻にすることができ、安定した駆動を行うことが可能となる。【００２２】
また、本発明のプラズマディスプレイ装置において、補助回路は、第１の補助スイッチおよび第２の補助スイッチの導通期間を表示画像に応じて可変する構成としてもよい。この構成によっても、回収インダクタに蓄積するエネルギーを表示画像に応じて変更することができ、安定した駆動を行うことが可能となる。【００２３】
また、本発明のプラズマディスプレイ装置は、表示電極対を構成する複数の走査電極および維持電極を有するプラズマディスプレイパネルの表示電極対に、初期化期間、書き込み期間および維持期間を有するサブフィールドの維持期間に維持パルスを交互に印加する維持パルス発生回路を備えたプラズマディスプレイ装置であって、維持パルス発生回路は、少なくとも３つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、補助スイッチを有する補助回路とを備え、補助回路は、補助スイッチを導通させたときには回収インダクタに負方向のエネルギーを蓄積するように構成するとともに、維持パルスの立ち下がりの直前には補助スイッチを導通させて回収インダクタに負方向のエネルギーを蓄積し、電力回収回路は、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。【００２４】
また、本発明のプラズマディスプレイ装置において、維持パルス発生回路は、走査電極用維持パルス発生回路と維持電極用維持パルス発生回路とを備え、走査電極用維持パルス発生回路と維持電極用維持パルス発生回路との電力回収回路のＬＣ共振用の回収インダクタと回収コンデンサを共用してもよい。【００２５】
また、本発明のプラズマディスプレイ装置において、電力回収回路の回収インダクタの第１の巻線は補助回路の補助スイッチに接続され、回収インダクタの第２の巻線は走査電極用維持パルス発生回路の回収インダクタとして、また回収インダクタの第３の巻線は維持電極用維持パルス発生回路の回収インダクタとして構成してもよい。【００２６】
また、本発明のパネルの駆動方法は、表示電極対を構成する複数の走査電極および維持電極を有するパネルを、少なくとも２つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、表示電極対を電源電位および接地電位にクランプするクランプ回路、ならびに第１の補助スイッチと第２の補助スイッチとを有する補助回路を用い、初期化期間と書き込み期間と維持期間とを有する複数のサブフィールドの維持期間において維持パルスを発生させて表示電極対に交互に印加して駆動するパネルの駆動方法であって、補助回路を、第１の補助スイッチを導通させたときには回収インダクタに正方向のエネルギーを蓄積し、第２の補助スイッチを導通させたときには回収インダクタに負方向のエネルギーを蓄積するように構成し、維持パルスの立ち上がりの直前には第１の補助スイッチを導通させて回収インダクタに正方向のエネルギーをあらかじめ蓄積し、維持パルスの立ち下がりの直前には第２の補助スイッチを導通させて回収インダクタに負方向のエネルギーをあらかじめ蓄積しておいて、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。【００２７】
これにより、維持パルスを立ち上げるときおよび立ち下げるときに電力回収回路と表示電極対の容量性負荷との間に流れる電流に、回収インダクタに蓄積されたエネルギーによる電流を付加できるので、回収インダクタと容量性負荷との共振周期を長くしてピーク電流を低減させることができ、消費電力の削減およびＥＭＩの低減が可能となる。また、回収インダクタにエネルギーを蓄積させる際に、必要最低限の回路だけに電流を流すので、消費電力を低減させるとともに不要な熱の発生を防止することができる。【００２８】
また、本発明のパネルの駆動方法においては、第１の補助スイッチを導通させたときには回収コンデンサから回収インダクタの第１の巻線を通って基準電位に流れる電流を発生させ、第２の補助スイッチを導通させたときには回収コンデンサから回収インダクタの第２の巻線を通って基準電位に流れる電流を発生させてもよい。これにより、第１の補助スイッチを導通させたときには、回収コンデンサから回収インダクタの第１の巻線を通って基準電位に流れる電流を発生させ、回収インダクタに正方向のエネルギーを蓄積させることができ、第２の補助スイッチを導通させたときには、回収コンデンサから回収インダクタの第２の巻線を通って基準電位に流れる電流を発生させ、回収インダクタに負方向のエネルギーを蓄積させることができる。【００２９】
また、本発明のパネルの駆動方法においては、補助回路に用いる電源電位および基準電位を表示画像に応じて制御してもよい。これにより、所定の期間に回収インダクタに蓄積するエネルギーを表示画像に応じて制御することができるので、例えば、表示画像が明るいときと暗いときとで回収インダクタに蓄積するエネルギーを変えて維持パルスの立ち上がりの急峻さを変えることができ、安定した駆動を行うことが可能となる。【００３０】
また、本発明のパネルの駆動方法においては、回収インダクタに正方向のエネルギーを蓄積するために第１の補助スイッチを導通させる時間、および回収インダクタに負方向のエネルギーを蓄積するために第２の補助スイッチを導通させる時間を表示画像に応じて制御してもよい。これによっても、回収インダクタに蓄積するエネルギーを表示画像に応じて変更することができ、安定した駆動を行うことが可能となる。【００３１】
また、本発明のパネルの駆動方法は、表示電極対を構成する複数の走査電極および維持電極を有するプラズマディスプレイパネルを、少なくとも３つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、表示電極対を電源電位および接地電位にクランプするクランプ回路、ならびに補助スイッチを有する補助回路を用い、初期化期間と書き込み期間と維持期間とを有する複数のサブフィールドの維持期間において維持パルスを発生させて表示電極対に交互に印加して駆動するプラズマディスプレイパネルの駆動方法であって、補助回路を、補助スイッチを導通させたときには回収インダクタに負方向のエネルギーを蓄積するように構成し、維持パルスの立ち下がりの直前には補助スイッチを導通させて回収インダクタに負方向のエネルギーをあらかじめ蓄積し、補助回路は、補助スイッチを導通させたときには回収インダクタに負方向のエネルギーを蓄積するように構成し、維持パルスの立ち下がりの直前には補助スイッチを導通させて回収インダクタに負方向のエネルギーを蓄積しておいて、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。
【発明の効果】
【００３２】
本発明のプラズマディスプレイ装置およびプラズマディスプレイパネルの駆動方法によれば、維持パルスのエッジ特性を急峻にする補助回路により、パネルを高精細化して維持パルスの周期を短縮しても、クランプ期間の確保により安定して維持放電を発生させるとともに、ピーク電流の低減により消費電力およびＥＭＩを低減することが可能となる。
【図面の簡単な説明】
【００３３】
【図１】本発明の実施の形態１におけるパネルの構造を示す分解斜視図
【図２】本発明の実施の形態１におけるパネルの電極配列図
【図３】本発明の実施の形態１におけるパネルの各電極に印加する駆動電圧波形図
【図４】本発明の実施の形態１におけるプラズマディスプレイ装置の回路ブロック図
【図５】本発明の実施の形態１における維持パルス発生回路の回路ブロック図
【図６】本発明の実施の形態１における維持パルス発生回路の回路図
【図７】本発明の実施の形態１における維持パルス発生回路の動作を説明するためのタイミングチャート
【図８】本発明の実施の形態２における維持パルス発生回路の他の一例を示す回路図
【図９】本発明の実施の形態３における維持パルス発生回路の回路図
【図１０】本発明の実施の形態３における維持パルス発生回路の動作を説明するためのタイミングチャート
【図１１】本発明の実施の形態４における維持パルス発生回路の回路図
【図１２】本発明の実施の形態４における維持パルス発生回路の動作を説明するためのタイミングチャート
【図１３Ａ】本発明の実施の形態５における維持パルス発生回路の回路図
【図１３Ｂ】本発明の実施の形態５における維持パルス発生回路の回路図
【図１３Ｃ】本発明の実施の形態５における維持パルス発生回路の回路図
【図１３Ｄ】本発明の実施の形態５における維持パルス発生回路の回路図
【図１４】本発明の実施の形態５における維持パルス発生回路の動作を説明するためのタイミングチャート
【図１５】本発明の実施の形態６における補助回路の基準電位を可変した場合の波形図
【図１６】本発明の実施の形態６における正方向補助スイッチの導通期間を可変した場合の波形図
【発明を実施するための形態】
【００３４】
以下、本発明を実施するための最良の形態に関するいくつかの例について、図面を参照しながら説明する。図面において、実質的に同一の構成、動作、および効果を表す要素については、同一の符号を付す。また、以下において記述される数字は、すべて本発明を具体的に説明するために例示するものであり、本発明は例示された数字に制限されない。さらに、オン／オフにより表されるスイッチング状態は、本発明を具体的に説明するために例示するものであり、例示されたスイッチング状態が異なる組み合わせで、同等な結果を得ることも可能である。また、構成要素間の接続関係は、本発明を具体的に説明するために例示するものであり、本発明の機能を実現する接続関係はこれに限定されない。
【００３５】
（実施の形態１）
図１は、パネル１０の構造を示す分解斜視図である。ガラス製の前面板２１上には、１対の走査電極２２と維持電極２３とからなる表示電極対２４を互いに平行に複数形成している。そして走査電極２２と維持電極２３とを覆うように誘電体層２５を形成し、その誘電体層２５上に保護層２６を形成している。
【００３６】
また、保護層２６は、ＭｇＯ（酸化マグネシウム）を主成分とする材料で形成している。ＭｇＯは、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れている。
【００３７】
背面板３１上にはデータ電極３２を互いに平行に複数形成し、データ電極３２を覆うように誘電体層３３を形成し、さらにその上に井桁状の隔壁３４を形成している。そして、隔壁３４の側面および誘電体層３３上には赤色（Ｒ）、緑色（Ｇ）および青色（Ｂ）の各色に発光する蛍光体層３５を設けている。
【００３８】
これら前面板２１と背面板３１とは、微小な放電空間を挟んで表示電極対２４とデータ電極３２とが立体交差するように対向配置し、その外周部をガラスフリット等の封着材によって封着している。そして、内部の放電空間には、ネオンとキセノンの混合ガスを放電ガスとして封入している。一例では、発光効率を向上させるために、キセノン分圧を大略１０％とした放電ガスを用いている。放電空間は隔壁３４によって複数の区画に仕切られており、表示電極対２４とデータ電極３２とが交差する部分に放電セルが形成されている。そして各放電セル内でガス放電により紫外線を発生させ、この紫外線でＲ、ＧおよびＢの各色の蛍光体を励起発光させることにより画像のカラー表示を行っている。
【００３９】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００４０】
図２は、パネル１０の電極配列図である。パネル１０には、行方向に長いｎ本の走査電極ＳＣ１、ＳＣ２、・・・、ＳＣｎ（図１の走査電極２２と同一であり、以降では走査電極ＳＣ１〜ＳＣｎと記す）およびｎ本の維持電極ＳＵ１、ＳＵ２、・・・、ＳＵｎ（図１の維持電極２３と同一であり、以降では維持電極ＳＵ１〜ＳＵｎと記す）が配列され、列方向に長いｍ本のデータ電極Ｄ１、Ｄ２、・・・、Ｄｍ（図１のデータ電極３２と同一であり、以降ではデータ電極Ｄ１〜Ｄｍと記す）が配列されている。そして、１対の走査電極ＳＣｉ（ｉ＝１〜ｎ）および維持電極ＳＵｉと１つのデータ電極Ｄｊ（ｊ＝１〜ｍ）とが交差した放電空間内に、放電セルがｍ×ｎ個形成されている。
【００４１】
次に、パネル１０を駆動するための駆動電圧波形とその動作の概要について説明する。プラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書き込み期間、および維持期間を有する。
【００４２】
各サブフィールドにおいて、初期化期間では初期化放電を発生し、続く書き込み放電に必要な壁電荷を各電極上に形成する。加えて、放電遅れを小さくし書き込み放電を安定して発生させるためのプライミング粒子（放電のための起爆剤＝励起粒子）を発生させるという働きを持つ。このときの初期化動作には、すべての放電セルで初期化放電を発生させる全セル初期化動作と、直前のサブフィールドで維持放電を行った放電セルだけで選択的に初期化放電を発生させる選択初期化動作とがある。
【００４３】
書き込み期間では、後に続く維持期間において発光させるべき放電セルで選択的に書き込み放電を発生し、壁電荷を形成する。そして維持期間では、輝度重みに比例した数の維持パルスを表示電極対２４に交互に印加して、書き込み放電を発生した放電セルで維持放電を発生させて発光させる。このとき、維持パルスの数と輝度重みとの比を表す比例定数を、「輝度倍率」と呼ぶ。
【００４４】
１フィールドは、１０個のサブフィールドＳＦ１、ＳＦ２、・・・、ＳＦ１０）で構成され、サブフィールドはそれぞれ、例えば１、２、３、６、１１、１８、３０、４４、６０、８０の輝度重みを有する。そして、サブフィールドＳＦ１の初期化期間では全セル初期化動作を行い、各サブフィールドＳＦ２〜ＳＦ１０の初期化期間では選択初期化動作を行うものとする。これにより、画像の表示に関係のない発光は、サブフィールドＳＦ１における全セル初期化動作の放電にともなう発光のみとなる。黒表示領域の輝度を表す黒輝度は、維持放電を発生させず、全セル初期化動作における微弱発光だけとなるので、コントラストの高い画像表示が可能となる。また、各サブフィールドの維持期間においては、それぞれのサブフィールドの輝度重みに所定の輝度倍率を乗じた数の維持パルスを、表示電極対２４のそれぞれに印加する。
【００４５】
しかし、サブフィールド数および各サブフィールドの輝度重みは、上述した値に限定されるものではなく、また、画像信号等に基づいてサブフィールド構成を切り替える構成であってもよい。
【００４６】
図３は、パネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。また、以下における走査電極ＳＣｉ、維持電極ＳＵｉ、データ電極Ｄｊは、各電極の中から画像データに基づき選択された電極を表す。
【００４７】
まず、全セル初期化サブフィールドであるサブフィールドＳＦ１について説明する。
【００４８】
サブフィールドＳＦ１の初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の正の電圧Ｖｉ１から、放電開始電圧を超える正の電圧Ｖｉ２に向かって緩やかに上昇する傾斜波形電圧（以下、「上りランプ波形電圧」と呼称する）を印加する。
【００４９】
この上りランプ波形電圧が上昇する間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００５０】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる正の電圧Ｖｉ３から、放電開始電圧を超える大きさの負の電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書き込み動作に適した値に調整される。以上により、すべての放電セルに対して初期化放電を行う全セル初期化動作が終了する。
【００５１】
なお、図３のサブフィールドＳＦ２の初期化期間に示したように、初期化期間の前半部を省略した駆動電圧波形を各電極に印加してもよい。すなわち、維持電極ＳＵ１〜ＳＵｎに正の電圧Ｖｅ１を、データ電極Ｄ１〜Ｄｍに０（Ｖ）をそれぞれ印加し、走査電極ＳＣ１〜ＳＣｎに放電開始電圧以下となる大きさの電圧（例えば、接地電位）から、負の電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｊ（ｊ＝１〜ｍ）上部に十分な正の壁電圧が蓄積されている放電セルでは、この壁電圧の過剰な部分が放電され書き込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００５２】
続く書き込み期間では、まず維持電極ＳＵ１〜ＳＵｎに電圧Ｖｅ２を、正の走査電極ＳＣ１〜ＳＣｎに正の電圧Ｖｃを印加する。
【００５３】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｊ（ｊ＝１〜ｍ）に、正の書き込みパルス電圧Ｖｄを印加する。このときデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差を加算したものとなり、放電開始電圧を超える。これにより、データ電極Ｄｊと走査電極ＳＣ１との間に放電が発生する。また、維持電極ＳＵ１〜ＳＵｎに正の電圧Ｖｅ２を印加しているため、維持電極ＳＵ１上と走査電極ＳＣ１上との電圧差は、外部印加電圧の差である（Ｖｅ２−Ｖａ）に、維持電極ＳＵ１上の壁電圧と走査電極ＳＣ１上の壁電圧との差を加算したものとなる。このとき、電圧Ｖｅ２を、放電開始電圧をやや下回る程度の電圧値に設定することで、維持電極ＳＵ１と走査電極ＳＣ１との間の空間を、放電には至らないが放電が発生しやすい状態とすることができる。これにより、データ電極Ｄｊと走査電極ＳＣ１との間に発生する放電を引き金にして、データ電極Ｄｊと交差する領域にある維持電極ＳＵ１と走査電極ＳＣ１との間に放電を発生させることができる。こうして、発光させるべき放電セルに書き込み放電が起こり、走査電極ＳＣ１上に正の壁電圧が蓄積され、維持電極ＳＵ１上に負の壁電圧が蓄積され、データ電極Ｄｊ上にも負の壁電圧が蓄積される。
【００５４】
このようにして、１行目に発光させるべき放電セルで書き込み放電を起こし、各電極上に壁電圧を蓄積する書き込み動作が行われる。一方、書き込みパルス電圧Ｖｄを印加しなかったデータ電極Ｄ１〜Ｄｍと走査電極ＳＣ１との交差部の電圧は放電開始電圧を超えないので、書き込み放電は発生しない。以上の書き込み動作をｎ行目の放電セルに至るまで行い、書き込み期間が終了する。
【００５５】
続く維持期間では、まず走査電極ＳＣ１〜ＳＣｎに正の維持パルス電圧Ｖｓを印加するとともに維持電極ＳＵ１〜ＳＵｎに接地電位、すなわち０（Ｖ）を印加する。すると書き込み放電を起こした放電セルでは、走査電極ＳＣｉ上と維持電極ＳＵｉ上との電圧差が、維持パルス電圧Ｖｓに、走査電極ＳＣｉ上の壁電圧と維持電極ＳＵｉ上の壁電圧との差を加算したものとなり、放電開始電圧を超える。
【００５６】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｊ上にも正の壁電圧が蓄積される。書き込み期間において書き込み放電が起きなかった放電セルでは維持放電は発生せず、初期化期間の終了時における壁電圧が保たれる。
【００５７】
続いて、走査電極ＳＣ１〜ＳＣｎには基準電位となる０（Ｖ）を、維持電極ＳＵ１〜ＳＵｎには正の維持パルス電圧Ｖｓをそれぞれ印加する。すると、維持放電を起こした放電セルでは、維持電極ＳＵｉ上と走査電極ＳＣｉ上との電圧差が放電開始電圧を超える。そのため、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与える。これにより、書き込み期間において書き込み放電を起こした放電セルで維持放電が継続して行われる。
【００５８】
そして、維持期間の最後には、走査電極ＳＣ１〜ＳＣｎに、基準電位となる０（Ｖ）から、正の電圧Ｖｅｒｓに向かって緩やかに上昇する傾斜波形電圧（以下、「消去ランプ波形電圧」と呼称する）を印加する。これにより、微弱な放電を持続して発生させ、データ電極Ｄｊ上の正の壁電圧を残したまま、走査電極ＳＣｉおよび維持電極ＳＵｉ上の壁電圧の一部または全部を消去している。
【００５９】
具体的には、維持電極ＳＵ１〜ＳＵｎを０（Ｖ）に戻した後、基準電位となる０（Ｖ）から、放電開始電圧を超える正の電圧Ｖｅｒｓに向かって上昇する消去ランプ波形電圧を発生させ、走査電極ＳＣ１〜ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜ＳＣｎへの印加電圧が上昇する期間、持続して発生する。
【００６０】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｊ上の正の壁電荷を残したまま、走査電極ＳＣ１〜ＳＣｎ上と維持電極ＳＵ１〜ＳＵｎ上との間の壁電圧は、走査電極ＳＣｉに印加した電圧と放電開始電圧との差、すなわち（電圧Ｖｅｒｓ−放電開始電圧）の程度まで弱められる。以下、この消去ランプ波形電圧によって発生させる維持期間の最後の放電を「消去放電」と呼称する。
【００６１】
続くサブフィールドの動作は、維持期間の維持パルスの数を除いて上述の動作とほぼ同様であるため説明を省略する。以上が、パネル１０の各電極に印加する駆動電圧波形の概要である。
【００６２】
後述するように、補助回路の働きにより、維持パルスを発生させる際のピーク電流を削減し、無効電力の削減およびＥＭＩ（Ｅｌｅｃｔｒｏ  Ｍａｇｎｅｔｉｃ  Ｉｎｔｅｒｆｅｒｅｎｃｅ：電磁妨害）の低減と安定した維持放電とを両立させている。
【００６３】
次に、プラズマディスプレイ装置の構成について説明する。図４は、プラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６４】
画像信号処理回路４１は、入力された画像信号ＳＩＧをサブフィールド毎の発光・非発光を示す画像データＳ４１に変換する。データ電極駆動回路４２はサブフィールド毎の画像データＳ４１を各データ電極Ｄ１〜Ｄｍに対応するデータ電極駆動信号Ｓ４２に変換し、各データ電極Ｄ１〜Ｄｍを駆動する。
【００６５】
タイミング発生回路４５は、画像信号ＳＩＧの水平同期信号Ｈおよび垂直同期信号Ｖを表す画像同期信号ＳＩＮＣに基づいて、走査電極駆動回路４３の動作を制御する各種のタイミング信号Ｓ４５を発生し、走査電極駆動回路４３へ供給する。タイミング発生回路４５は、同様に画像同期信号ＳＩＮＣに基づいて、維持電極駆動回路４４の動作を制御する各種のタイミング信号Ｓ４５Ａを発生し、維持電極駆動回路４４へ供給する。
【００６６】
走査電極駆動回路４３は、初期化波形発生回路（図示せず）、維持パルス発生回路５０、および走査パルス発生回路（図示せず）を有する。初期化波形発生回路は、初期化期間において走査電極ＳＣ１〜ＳＣｎに印加する初期化波形電圧を発生する。維持パルス発生回路５０は、維持期間において走査電極ＳＣ１〜ＳＣｎに印加する維持パルスを発生する。走査パルス発生回路は、書き込み期間において走査電極ＳＣ１〜ＳＣｎに印加する走査パルス電圧を発生する。走査電極駆動回路４３は、タイミング発生回路４５から出力されるタイミング信号Ｓ４５に基づいて走査電極駆動信号Ｓ４３を生成し、各走査電極ＳＣ１〜ＳＣｎを駆動する。維持電極駆動回路４４は、維持パルス発生回路６０と、電圧Ｖｅ１および電圧Ｖｅ２を発生するための回路とを備え、同様にタイミング信号Ｓ４５Ａに基づいて維持電極駆動信号Ｓ４４を生成し、各維持電極ＳＵ１〜ＳＵｎを駆動する。
【００６７】
次に、維持パルス発生回路５０および維持パルス発生回路６０の詳細とその動作について説明する。図５は、維持パルス発生回路５０および維持パルス発生回路６０の回路ブロック図である。図５においてパネル１０は電極間容量Ｃｐとして示し、走査パルス発生回路および初期化波形発生回路は省略している。
【００６８】
維持パルス発生回路５０は、電力回収回路５１、クランプ回路５２、および補助回路５３を備えている。電力回収回路５１は、表示電極対２４の容量性負荷である電極間容量Ｃｐに蓄積された電力を、ＬＣ共振によって回収コンデンサに回収し、その回収した電力を走査電極ＳＣ１〜ＳＣｎの駆動に再利用する。クランプ回路５２は、走査電極ＳＣ１〜ＳＣｎを電圧Ｖｓおよび接地電位にクランプする。補助回路５３は、走査電極ＳＣ１〜ＳＣｎを駆動する際に電力回収回路５１が備える回収コンデンサから走査電極ＳＣ１〜ＳＣｎに流れる電流と、電極間容量Ｃｐから回収コンデンサに流れる電流とを補助的に制御する。補助回路５３、電力回収回路５１、およびクランプ回路５２は、初期化波形発生回路および走査パルス発生回路を介して、パネル１０の電極間容量Ｃｐの一端である走査電極ＳＣ１〜ＳＣｎに接続されている。維持期間の間、走査電極ＳＣ１〜ＳＣｎに対して、維持パルス発生回路５０は電気的に短絡状態となり、初期化波形発生回路および走査パルス発生回路は電気的に開放状態となる。このため、初期化波形発生回路および走査パルス発生回路は図面では省略されている。
【００６９】
維持パルス発生回路６０も、維持パルス発生回路５０と同様に、電力回収回路６１、クランプ回路６２、および補助回路６３を備えている。補助回路６３、電力回収回路６１、およびクランプ回路６２は、パネル１０の電極間容量Ｃｐの一端である維持電極ＳＵ１〜ＳＵｎに接続されている。
【００７０】
また、維持電極駆動回路４４は、さらに電源ＶＥ１、スイッチング素子Ｑ２６、スイッチング素子Ｑ２７、電源ＤＶＥ、ダイオードＤ３０、コンデンサＣ３０、スイッチング素子Ｑ２８、およびスイッチング素子Ｑ２９を備える。電源ＶＥ１は、電圧Ｖｅ１を発生する。スイッチング素子Ｑ２６およびスイッチング素子Ｑ２７は、電圧Ｖｅ１の維持電極ＳＵ１〜ＳＵｎへの印加をオン／オフする。電源ＤＶＥは、電圧ＤＶｅを発生する。ダイオードＤ３０は、電源ＶＥ１へ逆流する電流を防止する。コンデンサＣ３０は、電圧Ｖｅ１に電圧ＤＶｅを積み上げるチャージポンプの動作を行う。スイッチング素子Ｑ２８およびスイッチング素子Ｑ２９は、電圧Ｖｅ１に電圧ＤＶｅを積み上げて電圧Ｖｅ２とする。
【００７１】
例えば、図３に示した電圧Ｖｅ１を印加するタイミングでは、スイッチング素子Ｑ２６およびスイッチング素子Ｑ２７を導通させ、維持電極ＳＵ１〜ＳＵｎに、ダイオードＤ３０、スイッチング素子Ｑ２６、およびスイッチング素子Ｑ２７を介して、正の電圧Ｖｅ１を印加する。このときスイッチング素子Ｑ２８を導通させ、コンデンサＣ３０の電圧が電圧Ｖｅ１になるように充電しておく。また、図３に示した電圧Ｖｅ２を印加するタイミングでは、スイッチング素子Ｑ２６およびスイッチング素子Ｑ２７を導通させたまま、スイッチング素子Ｑ２８を遮断させるとともにスイッチング素子Ｑ２９を導通させる。そして、コンデンサＣ３０の電圧に電圧ＤＶｅを重畳し、維持電極ＳＵ１〜ＳＵｎに電圧Ｖｅ１＋ＤＶｅ、すなわち電圧Ｖｅ２を印加する。このとき、逆流防止用のダイオードＤ３０の働きにより、コンデンサＣ３０から電源ＶＥ１への電流は遮断される。
【００７２】
なお、電圧Ｖｅ１および電圧Ｖｅ２を印加する回路については、図５に示した回路に限定されるものではなく、例えば、電圧Ｖｅ１を発生させる電源と電圧Ｖｅ２を発生させる電源とそれぞれの電圧を維持電極ＳＵ１〜ＳＵｎに印加するための複数のスイッチング素子とを用いて、それぞれの電圧を必要なタイミングで維持電極ＳＵ１〜ＳＵｎに印加する構成とすることもできる。
【００７３】
続いて、補助回路５３、電力回収回路５１、およびクランプ回路５２の詳細とその動作について説明する。図６は、維持パルス発生回路５０の回路図である。
【００７４】
電位は、回路上の任意の測定点において、接地端子との間の正、０、および負の電圧を表す。電源ＶＳ１は、電位Ｖｓおよび基準電位（例えば接地電位）を、維持パルス発生回路５０および維持パルス発生回路６０へ供給する。維持パルス発生回路５０は、維持期間において、電位Ｖｓおよび基準電位で特定される維持パルスを、走査電極駆動信号Ｓ４３を介して走査電極ＳＣ１〜ＳＣｎへ供給する。維持パルス発生回路６０は、維持期間において、電位Ｖｓおよび基準電位で特定される維持パルスを、維持電極駆動信号Ｓ４４を介して維持電極ＳＵ１〜ＳＵｎへ供給する。維持期間において走査電極駆動信号Ｓ４３は、維持電極駆動信号Ｓ４４が電位Ｖｓの場合、基準電位となり、維持電極駆動信号Ｓ４４が基準電位の場合、電位Ｖｓとなる。したがって維持期間において、走査電極ＳＣ１〜ＳＣｎと維持電極ＳＵ１〜ＳＵｎとの間にそれぞれ構成されるｎ個の電極間容量Ｃｐの両端には、正の電圧Ｖｓと負の電圧−Ｖｓが交互に供給される。ここで電位Ｖｓおよび基準電位は、接地電位（０Ｖ）との間の正、０、および負の電圧を表す意味で、それぞれ電圧Ｖｓおよび基準電圧（例えば０Ｖ）とも呼ばれる。
【００７５】
維持パルス発生回路５０から電極間容量Ｃｐへ電流が流れる方向は正方向と呼ばれ、逆に電極間容量Ｃｐから維持パルス発生回路５０へ電流が流れる方向は負方向と呼ばれる。さらに、正方向に流れる電流を生成するエネルギー（または電力）は正方向のエネルギー（または電力）と呼ばれ、負方向に流れる電流を生成するエネルギー（または電力）は負方向のエネルギー（または電力）と呼ばれる。正方向は供給方向とも呼ばれ、負方向は回収方向とも呼ばれる。
【００７６】
ここで図６を参照して、維持パルス発生回路５０の構成の概要を説明する。維持パルス発生回路５０は、主電力および補助電力を用いて、電極間容量Ｃｐを駆動する。維持パルス発生回路５０は、電力回収回路５１および補助回路５３を含む。電力回収回路５１は、コンデンサＣ１０およびインダクタＬ１０ａを含む。コンデンサＣ１０は、主電力を充放電可能である。電力回収回路５１は、電極間容量ＣｐとインダクタＬ１０ａとのＬＣ共振に基づいて、電極間容量ＣｐからインダクタＬ１０ａを経由してコンデンサＣ１０へ主電力を回収し、回収された主電力をコンデンサＣ１０からインダクタＬ１０ａを経由して電極間容量Ｃｐへ供給する。補助回路５３は、インダクタＬ１０ｂおよびインダクタＬ１０ｃを含む。インダクタＬ１０ｂおよびインダクタＬ１０ｃは、補助電力を充放電可能である。インダクタＬ１０ａは、相互誘導によりインダクタＬ１０ｂおよびインダクタＬ１０ｃに結合され、インダクタＬ１０ｂおよびインダクタＬ１０ｃからの補助電力を充放電可能である。これにより、電力回収回路５１は、主電力に補助電力を追加し、主電力の回収動作および供給動作を急峻にする。
【００７７】
補助回路５３は、主電力が回収開始される直前に、インダクタＬ１０ａを回収方向に充電するように、インダクタＬ１０ｃにおいて補助電力を充電し、電力回収回路５１は、主電力が回収開始されると、主誘導部において回収方向に充電された補助電力を回収方向に放電する。さらに、補助回路５３は、主電力が供給開始される直前に、インダクタＬ１０ａを供給方向に充電するように、インダクタＬ１０ｂにおいて補助電力を充電する。電力回収回路５１は、主電力が供給開始されると、主誘導部において供給方向に充電された補助電力を供給方向に放電する。
【００７８】
別の観点によれば、電力回収回路５１および補助回路５３の構成は、以下のように説明することができる。電力回収回路５１および補助回路５３は、コンデンサＣ１０、インダクタＬ１０ｂおよびインダクタＬ１０ｃ、インダクタＬ１０ａ、回収経路、供給経路、回収充電経路、回収放電経路、供給充電経路、ならびに供給放電経路を含む。コンデンサＣ１０は、主電力を充放電可能である。インダクタＬ１０ｂおよびインダクタＬ１０ｃは、補助電力を充電可能である。インダクタＬ１０ａは、相互誘導によりインダクタＬ１０ｂおよびインダクタＬ１０ｃに結合され、インダクタＬ１０ｂおよびインダクタＬ１０ｃからの補助電力を充放電可能であり、電極間容量ＣｐとＬＣ共振する。回収経路は、ＬＣ共振に基づいて、電極間容量ＣｐからインダクタＬ１０ａを経由してコンデンサＣ１０へ、主電力を回収する経路である。供給経路は、ＬＣ共振に基づいて、コンデンサＣ１０からインダクタＬ１０ａを経由して電極間容量Ｃｐへ、回収された主電力を供給する経路である。回収充電経路は、インダクタＬ１０ｃを経由する経路であって、インダクタＬ１０ａを回収方向に充電するように、すなわち主電力の回収動作を強める方向に、インダクタＬ１０ｃに補助電力を充電する経路である。回収放電経路は、インダクタＬ１０ａを経由する経路であって、インダクタＬ１０ａにおいて回収方向に充電された補助電力を、回収方向に放電する経路である。供給充電経路は、インダクタＬ１０ｂを経由する経路であって、インダクタＬ１０ａを供給方向に充電するように、すなわち主電力の供給動作を強める方向に、インダクタＬ１０ｂに補助電力を充電する経路である。供給放電経路は、インダクタＬ１０ａを経由する経路であって、インダクタＬ１０ａにおいて供給方向に充電された補助電力を、供給方向に放電する経路である。回収経路は、回収充電経路から実質的に分離され、回収放電経路と実質的に一致する。供給経路は、供給充電経路から実質的に分離され、供給放電経路と実質的に一致する。
【００７９】
インダクタＬ１０ｃは、主電力が回収開始される直前に、補助電力を回収方向に充電し、インダクタＬ１０ａは、主電力が回収開始されると、回収方向に充電された補助電力を回収方向に放電する。インダクタＬ１０ｂは、主電力が供給開始される直前に、補助電力を供給方向に充電する。インダクタＬ１０ａは、主電力が供給開始されると、供給方向に充電された補助電力を供給方向に放電する。
【００８０】
維持パルス発生回路５０は、クランプ回路５２を含む。クランプ回路５２は、電位Ｖｓを供給する電源ＶＳ１により、電極間容量Ｃｐの走査電極ＳＣ１〜ＳＣｎを電位Ｖｓに保持し、基準電位を供給する基準電源ＧＮＤ１により、電極間容量Ｃｐの走査電極ＳＣ１〜ＳＣｎを基準電位に保持（すなわちクランプ）する。電源ＶＳ１の投入時点から所定期間経過後の定常状態においては、電力回収回路５１がほとんどの主電力の回収および供給を行う。クランプ回路５２は、定常状態において、走査電極ＳＣ１〜ＳＣｎを電位Ｖｓおよび基準電位に保持することにより、主電力のわずかな不足分を走査電極ＳＣ１〜ＳＣｎに供給する。
【００８１】
電極間容量Ｃｐは、容量性負荷の一例である。電力回収回路５１は電力循環回路の一例であり、クランプ回路５２は保持回路の一例である。基準電源ＧＮＤ１は、基準端子とも呼ばれる。基準端子は、例えば接地端子のことを指す。電源ＶＳ１の電位Ｖｓは主電位とも呼ばれ、基準電源ＧＮＤ１の電位は基準電位とも呼ばれる。基準電位は、一例では接地電位に等しい。コンデンサＣ１０は、回収コンデンサまたは主容量部の一例である。インダクタＬ１０ａは、回収インダクタまたは主誘導部の一例である。インダクタＬ１０ｂおよびインダクタＬ１０ｃを含むインダクタは、補助インダクタまたは補助誘導部の一例である。なお、主容量部は、複数のコンデンサで構成されてもよいし、主誘導部および補助誘導部は、それぞれ複数のインダクタにより構成されてもよい。
【００８２】
以下、具体的な構成について、さらに詳細に説明する。
【００８３】
電力回収回路５１は、コンデンサＣ１０、スイッチング素子Ｑ１１、スイッチング素子Ｑ１２、ダイオードＤ１１、ダイオードＤ１２、およびインダクタＬ１０ａを有している。スイッチング素子Ｑ１１は、回収コンデンサＣ１０から走査電極ＳＣ１〜ＳＣｎへの電力供給時に導通させる。スイッチング素子Ｑ１２は、走査電極ＳＣ１〜ＳＣｎから回収コンデンサＣ１０への電力回収時に導通させる。ダイオードＤ１１は、回収コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。
【００８４】
コンデンサＣ１０の一方の端子は、端子ＧＮＤ１に接続され、基準電位である接地電位にされる。また、互いに直列に接続されたスイッチング素子Ｑ１１およびダイオードＤ１１と、互いに直列に接続されたスイッチング素子Ｑ１２およびダイオードＤ１２とが、電流を流す向きが互いに逆方向になるように並列に接続される。それとともに、この並列に接続された回路を間に挟んで、コンデンサＣ１０の他方の端子（すなわちＢ点）とインダクタＬ１０ａの一方の端子とが直列に接続され、インダクタＬ１０ａの他方の端子が走査電極ＳＣ１〜ＳＣｎに接続される。スイッチング素子Ｑ１１、ダイオードＤ１１、スイッチング素子Ｑ１２、およびダイオードＤ１２を含む回路は、双方向スイッチとも呼ばれる。
【００８５】
電力回収回路５１は、回収インダクタＬ１０ａと電極間容量ＣｐとをＬＣ共振させて、維持パルスの立ち上がりおよび立ち下がりのエッジ動作を行う。このように、電力回収回路５１は、回収インダクタＬ１０ａと電極間容量ＣｐとのＬＣ共振によって走査電極ＳＣ１〜ＳＣｎの駆動を行う。電力回収用のコンデンサＣ１０は電極間容量Ｃｐに比べて十分に大きい容量を持ち、また、電力回収回路５１の電源として働くように、コンデンサＣ１０の電圧は電圧値Ｖｓの半分の大略Ｖｓ／２に充電されている。すなわち、コンデンサＣ１０の一方の端子は接地電位にされ、他方の端子（すなわちＢ点）は電位ＶＢ（＝Ｖｓ／２）にされる。
【００８６】
クランプ回路５２は、スイッチング素子Ｑ１３およびスイッチング素子Ｑ１４を有している。走査電極ＳＣ１〜ＳＣｎは、スイッチング素子Ｑ１３を介して電源ＶＳ１に接続され、スイッチング素子Ｑ１４を介して接地端子ＧＮＤ１に接続される。クランプ回路５２は、スイッチング素子Ｑ１３がオンされる場合、走査電極ＳＣ１〜ＳＣｎを電位Ｖｓにクランプし、スイッチング素子Ｑ１４がオンされる場合、走査電極ＳＣ１〜ＳＣｎを電位０（Ｖ）にクランプする。したがって、クランプ回路５２による電圧印加時のインピーダンスは小さく、強い維持放電による大きな放電電流を安定して流すことができる。
【００８７】
補助回路５３は、スイッチング素子Ｑ１５、スイッチング素子Ｑ１６、インダクタＬ１０ｂ、およびインダクタＬ１０ｃを有する。スイッチング素子Ｑ１５は、インダクタＬ１０ｂに電流ＪＱ１５を流すときに導通させる補助スイッチである。スイッチング素子Ｑ１６は、インダクタＬ１０ｃに電流ＪＱ１６を流すときに導通させる補助スイッチである。インダクタＬ１０ａ、インダクタＬ１０ｂ、およびインダクタＬ１０ｃは、相互インダクタＬ１０を構成する。相互インダクタＬ１０は、変成器またはトランスとも呼ばれ、また広義的に回収インダクタとも呼ばれる（上述したように回収インダクタは、狭義的にはインダクタＬ１０ａのみを指し、以下の説明でも断らない限り、回収インダクタはインダクタＬ１０ａのみとする）。インダクタＬ１０ｂとインダクタＬ１０ｃとの直列接続によるインダクタは、補助誘導部または補助インダクタの一例である。各インダクタＬ１０ｂ、Ｌ１０ｃは、副補助誘導部または副補助インダクタの一例である。相互インダクタＬ１０のうち、インダクタＬ１０ａは電力回収回路５１に含まれ、主誘導部として動作し、インダクタＬ１０ｂおよびインダクタＬ１０ｃは補助回路５３に含まれ、補助誘導部として動作する。
【００８８】
スイッチング素子Ｑ１５の一方の端子は、インダクタＬ１０ｂの一方の端子に接続され、スイッチング素子Ｑ１５の他方の端子は接地端子ＧＮＤ２（基準端子とも呼ぶ）に接続され、基準電位である接地電位にされる。また、スイッチング素子Ｑ１６の一方の端子はインダクタＬ１０ｃの一方の端子に接続され、スイッチング素子Ｑ１６の他方の端子は接地端子ＧＮＤ２に接続され、基準電位である接地電位にされる。さらに、インダクタＬ１０ｂの他方の端子とインダクタＬ１０ｃの他方の端子との接続点は、コンデンサＣ１０の他方の端子（すなわちＢ点）に接続される。
【００８９】
インダクタＬ１０ａ、インダクタＬ１０ｂ、およびインダクタＬ１０ｃは、それぞれ自己誘導により所定の自己インダクタンスを有する。さらに、補助インダクタ（Ｌ１０ｂ、Ｌ１０ｃ）と回収インダクタＬ１０ａとは、相互誘導により互いに磁気的に結合され、所定の相互インダクタンスを有する。この相互インダクタンスの符号は、相互誘導を生成する磁気コアの構造と、各インダクタＬ１０ａ、Ｌ１０ｂ、Ｌ１０ｃのコイルの巻き方向とによって決定される。図６では、相互インダクタＬ１０は、補助インダクタ（Ｌ１０ｂ、Ｌ１０ｃ）のコイルと回収インダクタＬ１０ａのコイルとを、棒状の磁気コアに同方向に巻くように構成されている。相互インダクタＬ１０は、図６の構成に限らず、例えばトロイダル形状の磁気コアを用い、各コイルの巻き方向を必要に応じて変更することにより、図６の構成と同様に動作させることが可能である。
【００９０】
インダクタＬ１０ｂにおいて、電流ＪＱ１５がコンデンサＣ１０からスイッチング素子Ｑ１５の方向へ流れることにより、回収インダクタＬ１０ａには正方向の電流ＪＬ１０ａが流れる。他方、インダクタＬ１０ｃにおいて、電流ＪＱ１６がコンデンサＣ１０からスイッチング素子Ｑ１６の方向へ流れるにことにより、回収インダクタＬ１０ａには負方向の電流ＪＬ１０ａが流れる。補助インダクタ（Ｌ１０ｂ、Ｌ１０ｃ）に流れる電流または補助インダクタに発生するエネルギー（または電力）により、回収インダクタＬ１０ａに正方向の電流またはエネルギー（または電力）が生成される場合、補助インダクタに流れる電流または補助インダクタに発生するエネルギー（または電力）の方向は、正方向（または供給方向）と呼ばれる。逆に、補助インダクタ（Ｌ１０ｂ、Ｌ１０ｃ）に流れる電流または補助インダクタに発生するエネルギー（または電力）により、回収インダクタＬ１０ａに負方向の電流またはエネルギー（または電力）が生成される場合、補助インダクタに流れる電流または補助インダクタに発生するエネルギー（または電力）の方向は、負方向（または回収方向）と呼ばれる。
【００９１】
また、補助インダクタに流れる電流は１次電流とも呼ばれ、補助インダクタに発生する（または蓄積された）エネルギー（または電力）は１次エネルギー（または１次電力）とも呼ばれる。他方、１次電流または１次エネルギー（または１次電力）からの相互誘導により、回収インダクタＬ１０ａに流れる電流は２次電流とも呼ばれ、回収インダクタＬ１０ａに発生する（または蓄積される）エネルギー（または電力）は２次エネルギー（または２次電力）とも呼ばれる。さらに、１次電流は１次補助電流とも呼ばれ、１次エネルギー（または１次電力）は１次補助エネルギー（または１次補助電力）とも呼ばれる。他方、２次電流は２次補助電流とも呼ばれ、２次エネルギー（または２次電力）は２次補助エネルギー（または２次補助電力）とも呼ばれる。
【００９２】
維持パルス発生回路５０は、タイミング発生回路４５から出力されるタイミング信号Ｓ４５に基づいて制御され、スイッチング素子Ｑ１１、スイッチング素子Ｑ１２、スイッチング素子Ｑ１３、スイッチング素子Ｑ１４、スイッチング素子Ｑ１５、およびスイッチング素子Ｑ１６の導通と遮断とを切り替える。これにより、維持パルス発生回路５０は、電力回収回路５１、クランプ回路５２、および補助回路５３を動作させ、維持パルス波形を発生させる。
【００９３】
例えば、維持パルス波形を立ち上げる際には、スイッチング素子Ｑ１１を導通させて電極間容量Ｃｐと回収インダクタＬ１０ａとを共振させ、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、電流を流し、主電力を供給する。この電流は、主電流とも呼ばれる。次に、走査電極ＳＣ１〜ＳＣｎにおける走査電極駆動信号Ｓ４３の電位が電位Ｖｓに近づいた時点で、スイッチング素子Ｑ１３を導通させて、走査電極ＳＣ１〜ＳＣｎを駆動する回路を電力回収回路５１からクランプ回路５２に切り替え、走査電極ＳＣ１〜ＳＣｎを電位Ｖｓにクランプする。
【００９４】
逆に、維持パルス波形を立ち下げる際には、スイッチング素子Ｑ１２を導通させて電極間容量Ｃｐと回収インダクタＬ１０ａとを共振させ、電極間容量Ｃｐから、インダクタＬ１０ａ、ダイオードＤ１２、およびスイッチング素子Ｑ１２を通して、回収コンデンサＣ１０へと経由する負方向の経路に沿って、主電流を流し、主電力を回収する。次に、走査電極ＳＣ１〜ＳＣｎにおける走査電極駆動信号Ｓ４３の電位が０（Ｖ）に近づいた時点で、スイッチング素子Ｑ１４を導通させる。これにより、走査電極ＳＣ１〜ＳＣｎを駆動する回路を電力回収回路５１からクランプ回路５２に切り替え、走査電極ＳＣ１〜ＳＣｎを基準電位である０（Ｖ）にクランプする。
【００９５】
このようにして、維持パルス発生回路５０は、維持パルスを発生させる。これらのスイッチング素子Ｑ１１、Ｑ１２、Ｑ１３、Ｑ１４、Ｑ１５、Ｑ１６は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）やＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のスイッチング用素子を用いて構成することができる。
【００９６】
ここで、スイッチング素子Ｑ１５およびスイッチング素子Ｑ１６は、スイッチ部を構成する。スイッチ部は、導通させることにより、相互インダクタＬ１０を接地電位に設定する。各スイッチング素子Ｑ１１、Ｑ１２、Ｑ１３、Ｑ１４、Ｑ１５、Ｑ１６は、単にスイッチとも呼ばれる。インダクタＬ１０ｂは、スイッチング素子Ｑ１５の導通時に、正方向へ流れる１次補助電流を生成し、インダクタＬ１０ｃは、スイッチング素子Ｑ１６の導通時に、負方向へ流れる１次補助電流を生成する。この意味で、スイッチング素子Ｑ１５は正方向補助スイッチとも呼ばれ、スイッチング素子Ｑ１６は負方向補助スイッチとも呼ばれる。
【００９７】
補助回路５３および電力回収回路５１は、維持パルス波形を立ち上げる直前に、すなわちスイッチング素子Ｑ１１を導通させる直前に、スイッチング素子Ｑ１５を導通させ、回収コンデンサＣ１０からインダクタＬ１０ｂおよびスイッチング素子Ｑ１５を通って接地端子ＧＮＤ２へ流れる１次補助電流ＪＱ１５を生成する。その結果、インダクタＬ１０ｂに正方向の１次補助エネルギーを蓄積（充電）すると同時に、相互誘導によりインダクタＬ１０ｂに結合されるインダクタＬ１０ａに、正方向の２次補助エネルギーを蓄積（充電）する。次にスイッチング素子Ｑ１１を導通させ、スイッチング素子Ｑ１５を遮断させると、１次補助電流ＪＱ１５が遮断され、代わりに回収インダクタＬ１０ａにおいて２次補助エネルギーが正方向に放電され、正方向へ流れる２次補助電流が生成される。
【００９８】
他方、補助回路５３および電力回収回路５１は、維持パルス波形を立ち下げる直前に、すなわちスイッチング素子Ｑ１２を導通させる直前に、スイッチング素子Ｑ１６を導通させ、回収コンデンサＣ１０からインダクタＬ１０ｃおよびスイッチング素子Ｑ１６を通って接地端子ＧＮＤ２へ流れる１次補助電流ＪＱ１６を生成する。その結果、インダクタＬ１０ｃに負方向の１次補助エネルギーを蓄積（充電）すると同時に、相互誘導によりインダクタＬ１０ｃに結合されるインダクタＬ１０ａに、負方向の２次補助エネルギーを蓄積（充電）する。次にスイッチング素子Ｑ１２を導通させ、スイッチング素子Ｑ１６を遮断させると、１次補助電流ＪＱ１６が遮断され、代わりに回収インダクタＬ１０ａにおいて２次補助エネルギーが負方向に放電され、負方向へ流れる２次補助電流が生成される。
【００９９】
このように、維持パルスの立ち上げ時および立ち下げ時に、維持パルス発生回路５０と電極間容量Ｃｐとの間に流れる電流は、回収インダクタＬ１０ａと電極間容量ＣｐとのＬＣ共振によって流れる主電流に、インダクタＬ１０ｂまたはインダクタＬ１０ｃにそれぞれあらかじめ蓄積しておいた正方向の１次補助エネルギーまたは負方向の１次補助エネルギーにより、回収インダクタＬ１０ａに発生する２次補助電流を付加した電流とする。これにより、回収インダクタＬ１０ａと電極間容量ＣｐとのＬＣ共振によってのみ発生する主電流よりも電流量を増加させ、維持パルスを発生させる際のピーク電流を抑制して、無効電力の削減およびＥＭＩの低減を実現している。この詳細については後述する。
【０１００】
維持パルス発生回路６０は、維持パルス発生回路５０と同様の構成になっている。維持パルス発生回路６０は、電力回収回路６１、クランプ回路６２、および補助回路６３を含む。電力回収回路６１は電力回収回路５１と同様に構成され、クランプ回路６２はクランプ回路５２と同様に構成され、補助回路６３は補助回路５３と同様に構成される。維持パルス発生回路６０は、パネル１０の電極間容量Ｃｐの一端である維持電極ＳＵ１〜ＳＵｎに接続されている。維持パルス発生回路６０の動作は、維持パルス発生回路５０と同様であるので説明を省略する。
【０１０１】
電力回収回路５１の回収インダクタＬ１０ａとパネル１０の電極間容量ＣｐとのＬＣ共振の周期（以下、「共振周期」と記す）は、インダクタＬ１０ａのインダクタンスをＬとすれば、計算式「２π√（ＬＣｐ）」によって求めることができる。例えば、電力回収回路５１における共振周期が大略３μｓｅｃになるようにインダクタＬ１０ａを設定し、電力回収回路６１における共振周期も同様に設定している。また、維持パルスの周波数を１００ｋＨｚとし、維持パルスの立ち上がりおよび立ち下がりにかける期間をそれぞれ１μｓｅｃ、維持パルスを電位Ｖｓにクランプする期間を３μｓｅｃに設定している。しかし、これらの数値は一例に過ぎず、パネルの特性やプラズマディスプレイ装置の仕様等に合わせて最適な値に設定すればよい。
【０１０２】
次に、上述したように、維持パルスの立ち上がり時および立ち下がり時に、維持パルス発生回路５０と電極間容量Ｃｐとの間に（すなわちインダクタＬ１０ａに）流れる電流ＪＬ１０ａを、回収インダクタＬ１０ａと電極間容量ＣｐとのＬＣ共振によってのみ発生する主電流よりも増加させる動作の詳細について説明する。
【０１０３】
図７は、維持パルス発生回路の動作を説明するためのタイミングチャートである。ここでは、維持パルスを発生させるための一連の動作をＴ１〜Ｔ６で示した６つの期間に分割し、それぞれの期間について説明する。また、ここでは維持パルス発生回路５０での動作を説明するが、維持パルス発生回路６０における動作も同様である。
【０１０４】
図７では、上から順に、Ｓ４３は、走査電極ＳＣ１〜ＳＣｎに印加される走査電極駆動信号Ｓ４３の電圧の変化を示す。ＪＱ１５は、スイッチング素子Ｑ１５に流れる１次補助電流ＪＱ１５の変化（ここでは、インダクタＬ１０ｂからスイッチング素子Ｑ１５に向かって流れる場合を正とする）を示す。ＪＱ１６は、スイッチング素子Ｑ１６に流れる１次補助電流ＪＱ１６の変化（ここでは、インダクタＬ１０ｃからスイッチング素子Ｑ１６に向かって流れる場合を負とする）を示す。ＪＬ１０ａは、インダクタＬ１０ａに流れる電流ＪＬ１０ａの変化（ここでは、コンデンサＣ１０からインダクタＬ１０ａに向かって流れる場合を正とし、インダクタＬ１０ａからコンデンサＣ１０に向かって流れる場合を負とする）を示す。Ｑ１１は、スイッチング素子Ｑ１１の制御の状態を示す。Ｑ１２は、スイッチング素子Ｑ１２の制御の状態を示す。Ｑ１３は、スイッチング素子Ｑ１３の制御の状態を示す。Ｑ１４は、スイッチング素子Ｑ１４の制御の状態を示す。Ｑ１５は、スイッチング素子Ｑ１５の制御の状態を示す。Ｑ１６は、スイッチング素子Ｑ１６の制御の状態を示す。
【０１０５】
以下の説明においてスイッチング素子を導通させる動作をオン、遮断させる動作をオフと表記し、図面にはスイッチング素子をオンさせる信号を「ＯＮ」、オフさせる信号を「ＯＦＦ」と表記する。また、図７では、正の維持パルス電圧Ｖｓを表す正極の波形を用いて説明をするが、本発明はこれに限られるものではない。例えば、負の維持パルス電圧Ｖｓを表す負極の波形に関する実施の形態については、以下の説明において正極の波形の「立ち上がり」を負極の波形の「立ち下がり」に読みかえることで、負極の波形であっても同様の効果を得ることができる。
【０１０６】
（期間Ｔ１）
時点ｔ１でスイッチング素子Ｑ１５をオンにする。すると、回収コンデンサＣ１０から、インダクタＬ１０ｂおよびスイッチング素子Ｑ１５を通して、基準電位にある接地端子ＧＮＤ２へと経由する正方向の経路に沿って、１次補助電流ＪＱ１５が流れる。１次補助電流ＪＱ１５が流れる上述した経路は、インダクタＬ１０ｂへ正方向（供給方向）に充電する経路という意味で、供給充電経路とも呼ばれる。このときに流れる１次補助電流ＪＱ１５は、コンデンサＣ１０とインダクタＬ１０ｂとの接続点（すなわちＢ点）の電位ＶＢがＶｓ／２なので、インダクタＬ１０ｂのインダクタンスをＬとすると、（Ｖｓ／２）／Ｌの傾きで増加していく。これによりインダクタＬ１０ｂに正方向の１次補助電流ＪＱ１５を流し、インダクタＬ１０ｂに正方向の１次補助エネルギーを蓄積する。同時に、相互誘導により、インダクタＬ１０ａに正方向の２次補助エネルギーを蓄積する。
【０１０７】
続く期間Ｔ２では、電力回収回路５１を動作させて回収コンデンサＣ１０から走査電極ＳＣ１〜ＳＣｎへの電力供給を行う。ここで、インダクタＬ１０ｂおよびインダクタＬ１０ａに蓄積された正方向の補助エネルギーによる２次補助電流が、期間Ｔ１から期間Ｔ２への切り替え時に、速やかにインダクタＬ１０ａを流れるように、時点ｔ２の前の時点ｔ１１であらかじめスイッチング素子Ｑ１１をオンにしておく。
【０１０８】
この間、スイッチング素子Ｑ１４はオンに維持し、走査電極ＳＣ１〜ＳＣｎは０（Ｖ）にクランプしておく。
【０１０９】
（期間Ｔ２）
次に、時点ｔ２でスイッチング素子Ｑ１４およびスイッチング素子Ｑ１５をオフにする。
【０１１０】
回収インダクタＬ１０ａと電極間容量ＣｐとはＬＣ共振回路を構成しているので、このスイッチング動作によりＬＣ共振が発生する。このＬＣ共振に基づいて、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、主電流が流れ、主電力が供給される。主電流が流れる上述した経路は、供給経路とも呼ばれる。これにより、走査電極ＳＣ１〜ＳＣｎにおける走査電極駆動信号Ｓ４３の電位が上がり始める。例えば、回収インダクタＬ１０ａと電極間容量Ｃｐとの共振周期を大略３μｓｅｃに設定した場合、時点ｔ２から大略１μｓｅｃ後には走査電極ＳＣ１〜ＳＣｎにおける走査電極駆動信号Ｓ４３の電位は電位Ｖｓ付近まで上昇する。供給充電経路は、供給経路と、回収コンデンサＣ１０を共有するだけであり、経路としては実質的には供給経路から分離されている。
【０１１１】
時点ｔ２においてスイッチング素子Ｑ１５がオフされることにより、供給充電経路を流れていた１次補助電流ＪＱ１５が、図７に示すように遮断される。このとき、インダクタＬ１０ｂおよびインダクタＬ１０ａは、コンデンサＣ１０からの正方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２の前後で実質的に変化しない。このため、インダクタＬ１０ａを流れる２次補助電流は、遮断される直前にインダクタＬ１０ｂを流れていた１次補助電流ＪＱ１５に、インダクタＬ１０ｂのインダクタＬ１０ａに対する巻数比を乗算した値に大略等しくなる（詳細は後述する）。このように、インダクタＬ１０ｂに蓄積された正方向の１次補助エネルギーは、インダクタＬ１０ａにおける正方向の２次補助エネルギーに変換される。時点ｔ２以降、インダクタＬ１０ａに蓄積された正方向の２次補助エネルギーの働きによる正方向への放電により、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、２次補助電流が流れ始める。２次補助電流が流れる上述した経路は、インダクタＬ１０ａから正方向（供給方向）に放電する経路という意味で、供給放電経路とも呼ばれる。この２次補助電流が、回収インダクタＬ１０ａと電極間容量ＣｐとのＬＣ共振によって流れる主電流に付加され、電流ＪＬ１０ａは正方向に急峻に増加する。供給放電経路は、供給経路と一致する。
【０１１２】
これにより、図７のインダクタＬ１０ａに流れる電流ＪＬ１０ａの変化を示す波形のように、走査電極ＳＣ１〜ＳＣｎへ流れる電流ＪＬ１０ａの立ち上がりは、回収インダクタＬ１０ａと電極間容量ＣｐとのＬＣ共振によって流れる主電流のみ（図示せず）よりも、非常に急峻になる。
【０１１３】
インダクタＬ１０ｂに蓄積された正方向のエネルギーがインダクタＬ１０ａの正方向のエネルギーに変換されることによりインダクタＬ１０ａに流れる２次補助電流は、インダクタＬ１０ｂの巻数をＮｂ，流れる１次補助電流をＩｂ、インダクタＬ１０ａの巻数をＮａ，流れる２次補助電流をＩａとすると、計算式「Ｉａ＝Ｉｂ×Ｎｂ／Ｎａ」によって求めることができる。例えば、巻数Ｎｂが巻数Ｎａと等しい場合、２次電流Ｉａは１次電流Ｉｂと等しくなる。また巻数Ｎｂが巻数Ｎａの２倍の場合、２次電流Ｉａは１次電流Ｉｂの２倍とすることができる。したがってインダクタＬ１０ａと電極間容量ＣｐとのＬＣ共振の共振周期は、インダクタＬ１０ａの巻数Ｎａにより設定し、維持パルスの立ち上がり時に電力回収回路５１から走査電極ＳＣ１〜ＳＣｎへ供給される電流の急峻さは、インダクタＬ１０ｂの巻数Ｎｂにより設定することができる。一例として、インダクタＬ１０ｂの巻数Ｎｂは、インダクタＬ１０ａの巻数Ｎａ以上に設定される。
【０１１４】
このように、期間Ｔ１でインダクタＬ１０ｂに蓄積された正方向のエネルギーにより、期間Ｔ２において維持パルスの立ち上がり時に電力回収回路５１から走査電極ＳＣ１〜ＳＣｎへ流れる電流を急峻に増加させることができ、維持パルスの立ち上がりを早くすることができる。しかも、インダクタＬ１０ａに流れるピーク電流を抑えることが可能となる。
【０１１５】
電力回収回路５１および補助回路５３を用いない場合、共振周期の半分の時間が経過したときに、走査電極ＳＣ１〜ＳＣｎに印加する走査電極駆動信号Ｓ４３の電圧が最も高くなるが、電力の損失等により電位Ｖｓには到達しない。しかし、上述したように、インダクタＬ１０ｂに蓄積された正方向の１次エネルギーの働きによる２次補助電流が、回収インダクタＬ１０ａと電極間容量ＣｐとのＬＣ共振によって流れる主電流に付加される。このため、共振周期の半分の時間を要することなく（ここでは、共振周期大略３μｓｅｃに対し、大略１μｓｅｃの時間で）、走査電極ＳＣ１〜ＳＣｎに印加する走査電極駆動信号Ｓ４３の電位を電位Ｖｓに到達するまで上昇させることができる。
【０１１６】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電位Ｖｓに近い電位（ここでは、実質的に電位Ｖｓに達する）まで上昇させることが可能となる。これにより、電力回収回路５１における電力の供給効率を上げるとともに、直後のクランプ回路５２への切り替え時に電源ＶＳ１から走査電極ＳＣ１〜ＳＣｎへ供給される電力を抑えて、消費電力をさらに低減させることができる。
【０１１７】
補助回路５３は、インダクタＬ１０ｂにエネルギーを蓄積するためにインダクタＬ１０ｂに流す正方向の電流を、不要な回路を通さず最小限の回路（ここでは、スイッチング素子Ｑ１５）のみを介して接地端子ＧＮＤ２へと流す構成としている。これにより、スイッチング素子Ｑ１１およびダイオードＤ１１での不要な発熱や無効電力を低減することができる。
【０１１８】
ここで、維持パルスの立ち上がり時（または後述する立ち下がり時）において、電力回収回路５１から走査電極ＳＣ１〜ＳＣｎへ流れる電流ＪＬ１０ａを、回収インダクタＬ１０ａと電極間容量ＣｐとのＬＣ共振によって流れる主電流に、インダクタＬ１０ｂに蓄積されたエネルギーによる補助電流を付加した電流として駆動を行う理由を説明する。
【０１１９】
近年では、パネルのさらなる高精細化が進み、１つのサブフィールド期間内に書き込みをしなければならない電極数がますます増加している。そのため１回の書き込み期間に要する時間が増大する傾向にあるが、１つのサブフィールドに割り当てることができる時間は限られているため、例えば維持パルスの周期を短くする等して維持期間を短縮するといった対応が必要となる。
【０１２０】
一方、安定した維持放電を発生させるためには、一般に放電遅れと呼ばれる放電発生の遅れ時間および放電セル間での放電遅れのばらつき等の阻害要因を考慮する必要がある。放電発生の遅れ時間は、放電セルへの印加電圧が放電開始電圧を超えてから実際に放電が発生するまでの時間を表す。これらの要因を考慮し、維持パルスを電源ＶＳ１の電位Ｖｓおよび接地電位にクランプするクランプ期間を十分に確保しなければならない。そして、クランプ期間を確保しつつ維持パルスの周期を短くするためには、例えば維持パルスの立ち上がりや立ち下がりを急峻にし、それらにかける時間を短縮するといった対応が必要となる。
【０１２１】
また、維持動作においては、電圧の変化が急峻な状態で放電を生じさせると、強い放電が発生して放電セル内に十分な壁電荷を形成することができる。さらに、電圧の変化が急峻な状態で放電を生じさせることで放電開始電圧のばらつきを吸収し、維持放電の放電セル毎のばらつきを抑えることができるので、放電を安定に発生させる効果を高めることができる。
【０１２２】
そのため、維持パルス発生回路５０から走査電極ＳＣ１〜ＳＣｎに供給する走査電極駆動信号Ｓ４３の電流をできるだけ急峻に増加させ、維持パルスの立ち上がりを急峻にすることが望ましい。
【０１２３】
維持パルスの立ち上がりや立ち下がりを急峻にするためには、回収インダクタＬ１０ａのインダクタンスを小さくする等して、回収インダクタＬ１０ａと電極間容量Ｃｐとの共振周期を短くすればよい。しかしながら、回収インダクタＬ１０ａと電極間容量Ｃｐとの共振周期を短くすると、回収コンデンサＣ１０と電極間容量Ｃｐとの間を移動する電流の最大値（ピーク電流）が増加し、ＥＭＩを増加させてしまう。また、ピーク電流が増加すると、発光に寄与することなく無効に消費される電力、すなわち無効電力も増加してしまう。そして、高精細化されたパネルでは駆動負荷も増大するため、無効電力がさらに増加する恐れがある。
【０１２４】
また、電力回収回路５１の出力インピーダンスは、クランプ回路５２の出力インピーダンスと比較して大きいため、ピーク電流の増加は、駆動負荷等の影響によるリンギングと呼ばれる波形歪を発生させる。このような波形歪は、放電を不安定にするだけでなく、無効電力をさらに増加させてしまう。
【０１２５】
また、ピーク電流が大きいとその分だけ電圧降下も大きくなるため、電力回収回路５１による駆動時に、走査電極ＳＣ１〜ＳＣｎへの走査電極駆動信号Ｓ４３の印加電圧が電圧Ｖｓまで上昇しない。そうすると、直後のクランプ回路５２への切り替え時に電源ＶＳ１から走査電極ＳＣ１〜ＳＣｎへ供給される電力が増え、消費電力が増加してしまう。
【０１２６】
一方、回収インダクタＬ１０ａのインダクタンスを大きくする等して電力回収回路５１の共振周期を長くすれば、電力回収回路５１から走査電極ＳＣ１〜ＳＣｎに供給する電流ＪＬ１０ａの立ち上がりは緩やかになる。そうすると、回収コンデンサＣ１０と電極間容量Ｃｐとの間を移動する電流の最大値（ピーク電流）が低減されるので、ＥＭＩを低減することができ、無効電力を低減することができる。また、電圧降下も抑えられるので、電力回収回路５１による駆動時に、走査電極ＳＣ１〜ＳＣｎへの走査電極駆動信号Ｓ４３の印加電圧を、より電圧Ｖｓに近い電位まで上昇させることができる。これにより、直後のクランプ回路５２への切り替え時に電源ＶＳ１から走査電極ＳＣ１〜ＳＣｎへ供給される電力を低減でき、消費電力を低減することができる。
【０１２７】
しかしながら、電力回収回路５１の共振周期を長くして維持パルスの立ち上がりおよび立ち下がりの傾きを表すエッジ特性を緩やかにすると、維持期間がその分、増大するといった問題が発生する。
【０１２８】
これらのことから、高精細化されたパネルを安定に駆動しつつＥＭＩおよび無効電力を低減するためには、維持パルスを発生させる際のエッジ特性をできるだけ急峻にし、一方で維持パルス発生回路５０と電極間容量Ｃｐとの間を流れる走査電極駆動信号Ｓ４３の電流の最大値、すなわちピーク電流を低減させるといった、互いに矛盾する動作を両立させることが必要となることがわかる。
【０１２９】
維持パルス発生回路５０は、この動作を実現することを目的としたものであり、維持パルス発生回路５０と電極間容量Ｃｐとの間を流れるピーク電流を低減しつつ維持パルスを発生させる際のエッジ特性を急峻にすることを可能にする。
【０１３０】
すなわち、維持パルス波形を立ち上げる直前には、正方向補助スイッチであるスイッチング素子Ｑ１５を導通させて、インダクタＬ１０ｂに正方向の１次補助電流を流して正方向のエネルギーを蓄積する。そして、維持パルスの立ち下がりの直前には、負方向補助スイッチであるスイッチング素子Ｑ１６を導通させて、インダクタＬ１０ｃに負方向の１次補助電流を流して負方向のエネルギーを蓄積する。
【０１３１】
これにより、電力回収回路５１の動作開始直後に電力回収回路５１と走査電極ＳＣ１〜ＳＣｎとの間に流れる電流を、回収インダクタＬ１０ａと電極間容量ＣｐとのＬＣ共振によって流れる主電流に、インダクタＬ１０ｂまたはインダクタＬ１０ｃに蓄積されたエネルギーによる２次補助電流を付加した電流とすることができる。すなわち、インダクタＬ１０と電極間容量Ｃｐとの共振周期を短くすることなく、維持パルスの急峻な立ち上がり、立ち下がりを実現することが可能となる。
【０１３２】
また、インダクタＬ１０ｂに蓄積されたエネルギーによって走査電極ＳＣ１〜ＳＣｎへと流れる２次補助電流は、スイッチング素子Ｑ１５のオフ以降は、走査電極ＳＣ１〜ＳＣｎの電位上昇にともなって急速に減少していく。したがって、維持パルスの立ち上がり時における電流増加は、一時的なものに過ぎない。そのため、維持パルス発生回路５０と電極間容量Ｃｐとの間を流れる電流の最大値は、回収インダクタＬ１０ａと電極間容量Ｃｐとの共振周期により決定される。それゆえに、回収インダクタＬ１０ａと電極間容量Ｃｐとの共振周期が長くなるように回収インダクタＬ１０ａのインダクタンスを設定することで、維持パルス発生回路と電極間容量Ｃｐとの間のピーク電流を抑制することができる。
【０１３３】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電圧Ｖｓに近い電位（ここでは、実質的に電位Ｖｓに達する）まで上昇させることが可能となる。これにより、電力回収回路５１における電力の利用効率を上げるとともに、直後のクランプ回路５２への切り替え時に電源ＶＳ１から走査電極ＳＣ１〜ＳＣｎへ供給される電力を抑えて、消費電力をさらに低減させることができる。
【０１３４】
（期間Ｔ３）
そして、時点ｔ３でスイッチング素子Ｑ１３をオンにする。すると走査電極ＳＣ１〜ＳＣｎは、スイッチング素子Ｑ１３を通して電位Ｖｓに設定される。
【０１３５】
走査電極ＳＣ１〜ＳＣｎにおける走査電極駆動信号Ｓ４３の電位は、電力回収回路５１による駆動によって実質的に電位Ｖｓに達しているため、走査電極ＳＣ１〜ＳＣｎが電位Ｖｓにクランプされても走査電極ＳＣ１〜ＳＣｎの電位に実質的な変化は生じない。これにより、クランプ回路５２から走査電極ＳＣ１〜ＳＣｎへ供給される電力を削減することができる。また、スイッチング素子Ｑ１３は続く期間Ｔ４の間もオンに維持し、これにより期間Ｔ３および期間Ｔ４では、走査電極ＳＣ１〜ＳＣｎにおける走査電極駆動信号Ｓ４３の電位は電位Ｖｓに保たれる。
【０１３６】
（期間Ｔ４）
次に、時点ｔ４でスイッチング素子Ｑ１６をオンにする。すると、回収コンデンサＣ１０から、インダクタＬ１０ｃおよびスイッチング素子Ｑ１６を通して、基準電位にある接地端子ＧＮＤ２へと経由する負方向の経路に沿って、１次補助電流ＪＱ１６が流れる。１次補助電流ＪＱ１６が流れる上述した経路は、インダクタＬ１０ｃへ負方向（回収方向）に充電する経路という意味で、回収充電経路とも呼ばれる。このときに流れる１次補助電流ＪＱ１６は、コンデンサＣ１０とインダクタＬ１０ｃとの接続点（すなわちＢ点）の電位ＶＢがＶｓ／２なので、インダクタＬ１０ｃのインダクタンスをＬとすると、（Ｖｓ／２）／Ｌの傾きで減少（負方向に増加）していく。これによりインダクタＬ１０ｃに負方向の１次補助電流ＪＱ１６を流し、インダクタＬ１０ｃに負方向の１次補助エネルギーを蓄積する。同時に、相互誘導により、インダクタＬ１０ａに負方向の２次補助エネルギーを蓄積する。
【０１３７】
続く期間Ｔ５では電力回収回路５１を動作させて走査電極ＳＣ１〜ＳＣｎから回収コンデンサＣ１０への電力回収を行う。ここで、期間Ｔ４から期間Ｔ５への切り替え時に、インダクタＬ１０ｃおよびインダクタＬ１０ａに蓄積された負方向の補助エネルギーによる２次補助電流が速やかにインダクタＬ１０ａに流れるように、時点ｔ５の前の時点ｔ４１であらかじめスイッチング素子Ｑ１２をオンにしておく。
【０１３８】
（期間Ｔ５）
次に、時点ｔ５でスイッチング素子Ｑ１３およびスイッチング素子Ｑ１６をオフにする。
【０１３９】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、主電流が流れ、主電力が回収される。主電流が流れる上述した経路は回収経路とも呼ばれる。これにより、走査電極ＳＣ１〜ＳＣｎにおける走査電極駆動信号Ｓ４３の電位が下がり始める。例えば、回収インダクタＬ１０ａと電極間容量Ｃｐとの共振周期を大略３μｓｅｃに設定した場合、時点ｔ５から大略１μｓｅｃ後には走査電極ＳＣ１〜ＳＣｎにおける走査電極駆動信号Ｓ４３の電位は接地電位付近まで下降する。回収充電経路は、回収経路と、回収コンデンサＣ１０を共有するだけであり、経路としては実質的には回収経路から分離されている。
【０１４０】
時点ｔ５においてスイッチング素子Ｑ１６がオフされることにより、回収充電経路を流れていた１次補助電流ＪＱ１６が、図７に示すように遮断される。期間Ｔ２において上述したように、インダクタＬ１０ｃに蓄積された負方向の１次補助エネルギーは、インダクタＬ１０ａにおける負方向の２次補助エネルギーに変換される。時点ｔ５以降、インダクタＬ１０ａに蓄積された負方向の２次補助エネルギーの働きによる負方向への放電により、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、２次補助電流が流れ始める。２次補助電流が流れる上述した経路は、インダクタＬ１０ａから負方向（回収方向）に放電する経路という意味で、回収放電経路とも呼ばれる。この２次補助電流が、回収インダクタＬ１０ａと電極間容量ＣｐとのＬＣ共振によって流れる主電流に付加され、電流ＪＬ１０ａは急峻に減少（負方向に急峻に増加）する。回収放電経路は、回収経路と一致する。
【０１４１】
これにより、図７のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる主電流のみ（図示せず）よりも、非常に急峻になる。
【０１４２】
インダクタＬ１０ｃに蓄積された負方向のエネルギーがインダクタＬ１０ａの負方向のエネルギーに変換されることによりインダクタＬ１０ａに流れる２次補助電流は、インダクタＬ１０ｃの巻数をＮｃ，流れる１次補助電流をＩｃ、インダクタＬ１０ａの巻数をＮａ，流れる２次補助電流をＩａとすると、計算式「Ｉａ＝Ｉｃ×Ｎｃ／Ｎａ」によって求めることができる。例えば、巻数Ｎｃが巻数Ｎａと等しい場合、２次電流Ｉａは１次電流Ｉｃと等しくなる。また巻数Ｎｃが巻数Ｎａの２倍の場合、２次電流Ｉａは１次電流Ｉｃの２倍とすることができる。したがってインダクタＬ１０ａと電極間容量ＣｐとのＬＣ共振の共振周期は、インダクタＬ１０ａの巻数Ｎａにより設定し、維持パルスの立ち下がり時に走査電極ＳＣ１〜ＳＣｎから電力回収回路５１へ回収される電流の急峻さは、インダクタＬ１０ｃの巻数Ｎｃにより設定することができる。
【０１４３】
このように、期間Ｔ４でインダクタＬ１０ｃに蓄積された負方向のエネルギーにより、期間Ｔ５において維持パルスの立ち下がり時に走査電極ＳＣ１〜ＳＣｎから電力回収回路５１へ流れる電流を、急峻に減少（負方向に急峻に増加）させることができ、維持パルスの立ち下がりを早くすることができる。しかも、インダクタＬ１０ａに流れるピーク電流を抑えることが可能となる。
【０１４４】
電力回収回路５１および補助回路５３を用いない場合、共振周期の半分の時間が経過したときに、走査電極ＳＣ１〜ＳＣｎに印加する走査電極駆動信号Ｓ４３の電圧が最も低くなるが、電力の損失等により接地電位には到達しない。しかし、上述したように、インダクタＬ１０ｃに蓄積された負方向の１次エネルギーの働きによる２次補助電流が、回収インダクタＬ１０ａと電極間容量ＣｐとのＬＣ共振によって流れる主電流に付加される。このため、共振周期の半分の時間を要することなく（ここでは、共振周期大略３μｓｅｃに対し、大略１μｓｅｃの時間で）、走査電極ＳＣ１〜ＳＣｎに印加する走査電極駆動信号Ｓ４３の電圧を接地電位に到達するまで下降させることができる。
【０１４５】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より接地電位に近い電位（ここでは、実質的に接地電位に達する）まで下降させることが可能となる。これにより、電力回収回路５１における電力の回収効率を上げるとともに、直後のクランプ回路５２への切り替え時に走査電極ＳＣ１〜ＳＣｎから接地端子ＧＮＤ１へ放出される電力を抑えて、消費電力をさらに低減させることができる。
【０１４６】
補助回路５３は、インダクタＬ１０ｃにエネルギーを蓄積するためにインダクタＬ１０ｃに流す負方向の電流を、不要な回路を通さず最小限の回路（ここでは、スイッチング素子Ｑ１６）のみを介して接地端子ＧＮＤ２へと流す構成としている。これにより、スイッチング素子Ｑ１２およびダイオードＤ１２での不要な発熱や無効電力を低減することができる。
【０１４７】
（期間Ｔ６）
そして、時点ｔ６でスイッチング素子Ｑ１４をオンにする。すると走査電極ＳＣ１〜ＳＣｎは、スイッチング素子Ｑ１４を通して接地電位に設定される。
【０１４８】
走査電極ＳＣ１〜ＳＣｎにおける走査電極駆動信号Ｓ４３の電位は、電力回収回路５１による駆動によって実質的に接地電位である０（Ｖ）に達しているため、走査電極ＳＣ１〜ＳＣｎが接地電位にクランプされても走査電極ＳＣ１〜ＳＣｎの電位に実質的な変化は生じない。これにより、クランプ回路５２における消費電力を削減することができる。
【０１４９】
スイッチング素子Ｑ１１は時点ｔ３以降、時点ｔ４までにオフすればよく、スイッチング素子Ｑ１２は時点ｔ６以降、次の時点ｔ１までにオフすればよい。また、維持パルス発生回路５０の出力インピーダンスを下げるために、スイッチング素子Ｑ１３は時点ｔ５直前にオフにすることが望ましく、スイッチング素子Ｑ１４は時点ｔ２直前にオフにすることが望ましい。
【０１５０】
維持期間においては、以上の期間Ｔ１〜期間Ｔ６の動作を、必要なパルス数に応じて繰り返す。このようにして、基準電位である０（Ｖ）から電位Ｖｓに変位する維持パルス電圧を、表示電極対２４のそれぞれに交互に印加して放電セルを維持放電させる。
【０１５１】
以上、説明したように、実施の形態１のプラズマディスプレイ装置によれば、維持パルスの立ち上がり時および立ち下がり時のパルスエッジにおいて、補助回路５３を用いることにより、インダクタＬ１０ｂおよびインダクタＬ１０ｃにあらかじめ蓄積しておいたエネルギーにより発生する補助電流を、ＬＣ共振によって流れる主電流に付加することができる。その結果、維持パルス発生回路５０と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１５２】
電力回収回路５１および補助回路５３を用いない維持パルス発生回路では、安定した維持放電を発生させるために、例えば回収インダクタＬ１０ａと電極間容量Ｃｐとの共振周期を大略２μｓｅｃに設定しなければならない場合でも、実施の形態１では、共振周期を大略３μｓｅｃに延長しても安定した維持放電を発生させることができる。そして、共振周期を２μｓｅｃから３μｓｅｃに延長することで、ピーク電流を大略３８％低減することができる。
【０１５３】
また、インダクタＬ１０ｂおよびインダクタＬ１０ｃに１次補助エネルギーを蓄積するためにインダクタＬ１０ｂおよびインダクタＬ１０ｃに流す１次補助電流を、不要な回路を通さず最小限の回路（ここでは、正方向の１次補助エネルギーを蓄積する場合は正方向補助スイッチ、負方向の１次補助エネルギーを蓄積する場合は負方向補助スイッチ）のみを通す構成とすることで、不要な発熱や無効電力を低減することが可能となる。
【０１５４】
（実施の形態２）
実施の形態２では、実施の形態１と異なる点を中心に説明する。その他の構成、動作、および効果は、実施の形態１と同等であるので、説明を省略する。
【０１５５】
図８は、維持パルス発生回路５０１の回路図である。維持パルス発生回路５０１は、電力回収回路５１１、クランプ回路５２、補助回路５３１を有する。維持パルス発生回路５０１が実施の形態１の維持パルス発生回路５０と異なる点は、相互インダクタＬ１０Ａの構成が実施の形態１の相互インダクタＬ１０と異なる点、ならびにスイッチング素子Ｑ１７およびスイッチング素子Ｑ１８が追加されている点である。
【０１５６】
補助回路５３１は、スイッチング素子Ｑ１５、スイッチング素子Ｑ１６、スイッチング素子Ｑ１７、スイッチング素子Ｑ１８、およびインダクタＬ１０ｂを有する。相互インダクタＬ１０Ａは、インダクタＬ１０ａおよびインダクタＬ１０ｂを含み、インダクタＬ１０ｃを含まない。インダクタＬ１０ｂは、補助誘導部を構成する。インダクタＬ１０ａは、相互誘導によりインダクタＬ１０ｂに結合され、主誘導部を構成する。インダクタＬ１０ｂの一方の端子は、スイッチング素子Ｑ１６とスイッチング素子Ｑ１７との接続点に接続され、インダクタＬ１０ｂの他方の端子は、スイッチング素子Ｑ１５とスイッチング素子Ｑ１８との接続点に接続される。スイッチング素子Ｑ１６の他方の端子およびスイッチング素子Ｑ１５の他方の端子は、ともに接地端子ＧＮＤ２に接続され、接地電位に設定され、スイッチング素子Ｑ１７の他方の端子およびスイッチング素子Ｑ１８の他方の端子は、回収コンデンサＣ１０（すなわちＢ点）に接続され、電位ＶＢ（＝Ｖｓ／２）に設定される。
【０１５７】
スイッチング素子Ｑ１５およびスイッチング素子Ｑ１７は、実施の形態１のスイッチング素子Ｑ１５（図７に示す）と同様に動作し、スイッチング素子Ｑ１６およびスイッチング素子Ｑ１８は、実施の形態１のスイッチング素子Ｑ１６（図７に示す）と同様に動作する。すなわち補助回路５３１は、期間Ｔ１において、スイッチング素子Ｑ１５およびスイッチング素子Ｑ１７を導通させ、インダクタＬ１０ｂに正方向の１次補助エネルギーを蓄積する。さらに補助回路５３１は、期間Ｔ４において、スイッチング素子Ｑ１６およびスイッチング素子Ｑ１８を導通させ、インダクタＬ１０ｂに負方向の１次補助エネルギーを蓄積する。
【０１５８】
このように実施の形態２のプラズマディスプレイ装置では、実施の形態１と同様に、維持パルスの立ち上がり時および立ち下がり時のパルスエッジにおいて、補助回路５３１を用いることにより、インダクタＬ１０ｂにあらかじめ蓄積された１次補助エネルギーにより発生する２次補助電流を、ＬＣ共振によって流れる主電流に付加することができる。その結果、維持パルス発生回路５０１と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１５９】
さらに、実施の形態２では、補助誘導部をインダクタＬ１０ｂだけで構成し、補助回路５３１においてスイッチング素子の構成を補助回路５３から変更することにより、実施の形態１の維持パルス発生回路５０と同様に動作させることが可能となる。これにより、相互インダクタＬ１０Ａの巻線の数を低減し、磁気コアの大きさを小さくすることができるため、相互インダクタＬ１０Ａ全体の大きさを小さくすることが可能となる。
【０１６０】
（実施の形態３）
実施の形態３では、実施の形態１と異なる点を中心に説明する。その他の構成、動作、および効果は、実施の形態１と同等であるので、説明を省略する。
【０１６１】
図９は、維持パルス発生回路５０２の回路図である。維持パルス発生回路５０２は、電力回収回路５１２、クランプ回路５２、および補助回路５３２を有する。維持パルス発生回路５０２が実施の形態１の維持パルス発生回路５０と異なる点は、実施の形態１の相互インダクタＬ１０が相互インダクタＬ１０Ａおよび相互インダクタＬ２０Ａに変更されている点である。
【０１６２】
電力回収回路５１２は、コンデンサＣ１０、スイッチング素子Ｑ１１、スイッチング素子Ｑ１２、ダイオードＤ１１、ダイオードＤ１２、インダクタＬ１０ａ、およびインダクタＬ２０ａを有する。補助回路５３２は、スイッチング素子Ｑ１５、スイッチング素子Ｑ１６、インダクタＬ１０ｂ、およびインダクタＬ２０ｂを有する。相互インダクタＬ１０Ａは、インダクタＬ１０ａおよびインダクタＬ１０ｂを含み、相互インダクタＬ２０Ａは、インダクタＬ２０ａおよびインダクタＬ２０ｂを含む。インダクタＬ１０ｂおよびインダクタＬ２０ｂは、補助誘導部を構成する。インダクタＬ１０ａおよびインダクタＬ２０ａは、相互誘導によりインダクタＬ１０ｂおよびインダクタＬ２０ｂにそれぞれ結合され、主誘導部を構成する。すなわち、インダクタＬ１０ａおよびインダクタＬ２０ａは、電極間容量ＣｐとのＬＣ共振用の回収インダクタである。各インダクタＬ１０ｂ、Ｌ２０ｂは、副補助誘導部の一例であり、各インダクタＬ１０ａ、Ｌ２０ａは、副主誘導部の一例である。
【０１６３】
インダクタＬ１０ａは、回収コンデンサＣ１０から電極間容量Ｃｐへ電力を供給するときに用いる回収インダクタであり、インダクタＬ２０ａは、電極間容量Ｃｐから回収コンデンサＣ１０へ電力を回収するときに用いる回収インダクタである。このように、電力回収回路５１２は、回収コンデンサＣ１０から電極間容量Ｃｐへ電力を供給するときと、電極間容量Ｃｐから回収コンデンサＣ１０へ電力を回収するときとで、２つの異なる回収インダクタＬ１０ａ、Ｌ２０ａを用いる構成としている。
【０１６４】
互いに直列に接続されたスイッチング素子Ｑ１１およびダイオードＤ１１を間に挟んで、コンデンサＣ１０とインダクタＬ１０ａの一方の端子とが直列に接続される。さらに、互いに直列に接続されたスイッチング素子Ｑ１２およびダイオードＤ１２を間に挟んで、コンデンサＣ１０とインダクタＬ２０ａの一方の端子とが直列に接続される。インダクタＬ１０ａの他方の端子およびインダクタＬ２０ａの他方の端子は、ともに走査電極ＳＣ１〜ＳＣｎに接続される。インダクタＬ１０ｂの一方の端子およびインダクタＬ２０ｂの一方の端子は、ともに回収コンデンサＣ１０（すなわちＢ点）に接続され、電位ＶＢ（＝Ｖｓ／２）に設定される。インダクタＬ１０ｂの他方の端子はスイッチング素子Ｑ１５の一方の端子に接続され、インダクタＬ２０ｂの他方の端子はスイッチング素子Ｑ１６の一方の端子に接続される。スイッチング素子Ｑ１５の他方の端子およびスイッチング素子Ｑ１６の他方の端子は、ともに接地端子ＧＮＤ２に接続され、接地電位に設定される。
【０１６５】
図１０は、維持パルス発生回路５０２の動作を説明するためのタイミングチャートである。維持パルス発生回路５０２の動作は、電流ＪＬ１０ａの波形以外、実施の形態１の図７に示すタイミングチャートと同様である。実施の形態３においては、インダクタＬ１０ａを流れる電流ＪＬ１０ａは、図７の電流ＪＬ１０ａにおいて時点ｔ５以降の負の部分を０Ａに置き換えた波形に相当する。同様に、インダクタＬ２０ａを流れる電流ＪＬ２０ａは、図７の電流ＪＬ１０ａにおいて時点ｔ２から時点ｔ４までの正の部分を０Ａに置き換えた波形に相当する。すなわち、実施の形態１では、走査電極ＳＣ１〜ＳＣｎへの電力供給時にインダクタＬ１０ａにおいて正方向の電流ＪＬ１０ａを流し、走査電極ＳＣ１〜ＳＣｎからの電力回収時に同じくインダクタＬ１０ａにおいて負方向の電流ＪＬ１０ａを流していた。他方、実施の形態３では、走査電極ＳＣ１〜ＳＣｎへの電力供給時にインダクタＬ１０ａにおいて正方向の電流ＪＬ１０ａを流し、走査電極ＳＣ１〜ＳＣｎからの電力回収時にインダクタＬ２０ａにおいて負方向の電流ＪＬ２０ａを流している。
【０１６６】
このように実施の形態３のプラズマディスプレイ装置では、実施の形態１と同様に、維持パルスの立ち上がり時および立ち下がり時のパルスエッジにおいて、補助回路５３２を用いることにより、インダクタＬ１０ｂおよびインダクタＬ２０ｂにあらかじめ蓄積された１次補助エネルギーにより発生する２次補助電流を、ＬＣ共振によって流れる主電流に付加することができる。その結果、維持パルス発生回路５０２と電極間容量Ｃｐとの間に流れる電流ＪＬ１０の大きさを急峻に増加させることができる。これにより、パネルを高精細化して維持パルスの周期を短縮しても、維持パルスのクランプ期間を確保するとともに、各回収インダクタＬ１０ａ、Ｌ２０ａと電極間容量Ｃｐとの共振周期を長くすることで各回収インダクタＬ１０ａ、Ｌ２０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１６７】
さらに、実施の形態３では、回収インダクタをインダクタＬ１０ａとインダクタＬ２０ａに分けた構成としているので、維持パルスの立ち上がりにおける電流制御と立ち下がりにおける電流制御とを互いに独立して設定することができる。したがって、電力供給時の共振周期と電力回収時の共振周期を、変えることが可能となる。
【０１６８】
（実施の形態４）
実施の形態４では、実施の形態１と異なる点を中心に説明する。その他の構成、動作、および効果は、実施の形態１と同等であるので、説明を省略する。
【０１６９】
図１１は、維持パルス発生回路５０３の回路図である。維持パルス発生回路５０３は、電力回収回路５１３、クランプ回路５２、および補助回路５３３を有する。維持パルス発生回路５０３が実施の形態１の維持パルス発生回路５０と異なる点は、相互インダクタＬ１０Ｂの接続構成が実施の形態１の場合と異なる点、およびスイッチング素子Ｑ１５の接続構成が実施の形態１の場合と異なる点である。
【０１７０】
電源ＶＳ２は、電位Ｖｓおよび基準電位（例えば接地電位）を補助回路５３３に供給する。別の観点によれば、補助回路５３３に対して、電源ＶＳ２は電位Ｖｓを供給し、基準電源ＧＮＤ２は基準電位を供給する。
【０１７１】
補助回路５３３は、スイッチング素子Ｑ１５、スイッチング素子Ｑ１６、インダクタＬ１０ｂ、およびインダクタＬ１０ｃを有する。スイッチング素子Ｑ１５は、インダクタＬ１０ｂに正方向の電流を流すときに導通させる正方向補助スイッチである。スイッチング素子Ｑ１６は、インダクタＬ１０ｃに負方向の電流を流すときに導通させる負方向補助スイッチである。スイッチング素子Ｑ１５の一方の端子は、インダクタＬ１０ｂ一方の端子に接続され、スイッチング素子Ｑ１５の他方の端子は電源ＶＳ２に接続され、電位Ｖｓにされる。また、スイッチング素子Ｑ１６の一方の端子はインダクタＬ１０ｃの一方の端子に接続され、スイッチング素子Ｑ１６の他方の端子は接地端子ＧＮＤ２に接続され、基準電位である接地電位にされる。インダクタＬ１０ｂの他方の端子およびインダクタＬ１０ｃの他方の端子は、ともに走査電極ＳＣ１〜ＳＣｎに接続される。
【０１７２】
図１２は、維持パルス発生回路５０３の動作を説明するためのタイミングチャートである。
【０１７３】
（期間Ｔ１）
時点ｔ１でスイッチング素子Ｑ１５をオンにする。この間、スイッチング素子Ｑ１４はオンに維持し、走査電極ＳＣ１〜ＳＣｎは０（Ｖ）にクランプしておく。すると、電源ＶＳ２から、スイッチング素子Ｑ１５、インダクタＬ１０ｂ、およびスイッチング素子Ｑ１４を通して、基準電位にある接地端子ＧＮＤ１へと経由する正方向の経路に沿って、１次補助電流ＪＱ１５が流れる。１次補助電流ＪＱ１５が流れる上述した経路は、インダクタＬ１０ｂへ正方向（供給方向）に充電する経路という意味で、供給充電経路とも呼ばれる。このときに流れる１次補助電流ＪＱ１５は、電位Ｖｓと接地電位との間を、インダクタＬ１０ｂを介して流れる電流となるので、インダクタＬ１０ｂのインダクタンスをＬとすると、Ｖｓ／Ｌの傾きで増加していく。これによりインダクタＬ１０ｂに正方向の１次補助電流ＪＱ１５を流し、インダクタＬ１０ｂに正方向の１次補助エネルギーを蓄積する。同時に、相互誘導により、インダクタＬ１０ａに正方向の２次補助エネルギーを蓄積する。
【０１７４】
インダクタＬ１０ｂおよびインダクタＬ１０ａに蓄積された正方向の補助エネルギーによる２次補助電流が、期間Ｔ１から期間Ｔ２への切り替え時に、速やかにインダクタＬ１０ａを流れるように、時点ｔ２の前の時点ｔ１１であらかじめスイッチング素子Ｑ１１をオンにしておく。
【０１７５】
（期間Ｔ２）
次に、時点ｔ２でスイッチング素子Ｑ１４およびスイッチング素子Ｑ１５をオフにする。
【０１７６】
回収インダクタＬ１０ａと電極間容量ＣｐとはＬＣ共振回路を構成しているので、このスイッチング動作によりＬＣ共振が発生する。このＬＣ共振に基づいて、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、主電流が流れ、主電力が供給される。主電流が流れる上述した経路は、供給経路とも呼ばれる。これにより、走査電極ＳＣ１〜ＳＣｎにおける走査電極駆動信号Ｓ４３の電位が上がり始める。供給充電経路は、供給経路と、一部で配線を共有するだけであり、経路に含まれる機能要素を共有しない。それゆえに、供給充電経路は、実質的には供給経路から分離されている（後述するように、経路の機能要素だけでなく配線も共有しない構成も存在する）。
【０１７７】
時点ｔ２においてスイッチング素子Ｑ１４およびスイッチング素子Ｑ１５がオフされることにより、供給充電経路を流れていた１次補助電流ＪＱ１５が、図１２に示すように遮断される。このとき、インダクタＬ１０ｂおよびインダクタＬ１０ａは、電源ＶＳ２からの正方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２の前後で実質的に変化しない。このため、インダクタＬ１０ａを流れる２次補助電流は、遮断される直前にインダクタＬ１０ｂを流れていた１次補助電流ＪＱ１５に、インダクタＬ１０ｂのインダクタＬ１０ａに対する巻数比を乗算した値に大略等しくなる。このように、インダクタＬ１０ｂに蓄積された正方向の１次補助エネルギーは、インダクタＬ１０ａにおける正方向の２次補助エネルギーに変換され、時点ｔ２以降、インダクタＬ１０ａに蓄積された正方向の２次補助エネルギーの働きによる正方向への放電により、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、２次補助電流が流れ始める。２次補助電流が流れる上述した経路は、インダクタＬ１０ａから正方向（供給方向）に放電する経路という意味で、供給放電経路とも呼ばれる。この２次補助電流が、回収インダクタＬ１０ａと電極間容量ＣｐとのＬＣ共振によって流れる主電流に付加され、電流ＪＬ１０ａは正方向に急峻に増加する。供給放電経路は、供給経路と一致する。
【０１７８】
これにより、図１２のインダクタＬ１０ａに流れる電流ＪＬ１０ａの変化を示す波形のように、走査電極ＳＣ１〜ＳＣｎへ流れる電流ＪＬ１０ａの立ち上がりは、回収インダクタＬ１０ａと電極間容量ＣｐとのＬＣ共振によって流れる主電流のみ（図示せず）よりも、非常に急峻になる。
【０１７９】
（期間Ｔ３）
期間Ｔ３における動作は、図７において説明した動作と同様であるため、ここでの説明は省略する。
【０１８０】
（期間Ｔ４）
次に、時点ｔ４でスイッチング素子Ｑ１６をオンにする。すると、電源ＶＳ１から、スイッチング素子Ｑ１３、インダクタＬ１０ｃ、およびスイッチング素子Ｑ１６を通して、基準電位にある接地端子ＧＮＤ２へと経由する負方向の経路に沿って、１次補助電流ＪＱ１６が流れる。１次補助電流ＪＱ１６が流れる上述した経路は、インダクタＬ１０ｃへ負方向（回収方向）に充電する経路という意味で、回収充電経路とも呼ばれる。このときに流れる１次補助電流ＪＱ１６は、電位Ｖｓと接地電位との間を、インダクタＬ１０ｃを介して流れる電流となるので、インダクタＬ１０ｃのインダクタンスをＬとすると、Ｖｓ／Ｌの傾きで減少（負方向に増加）していく。これによりインダクタＬ１０ｃに負方向の１次補助電流ＪＱ１６を流し、インダクタＬ１０ｃに負方向の１次補助エネルギーを蓄積する。同時に、相互誘導により、インダクタＬ１０ａに負方向の２次補助エネルギーを蓄積する。
【０１８１】
インダクタＬ１０ｃおよびインダクタＬ１０ａに蓄積された負方向の補助エネルギーによる２次補助電流が、期間Ｔ４から期間Ｔ５への切り替え時に、速やかにインダクタＬ１０ａを流れるように、時点ｔ５の前の時点ｔ４１であらかじめスイッチング素子Ｑ１２をオンにしておく。
【０１８２】
（期間Ｔ５）
次に、時点ｔ５でスイッチング素子Ｑ１３およびスイッチング素子Ｑ１６をオフにする。
【０１８３】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、インダクタＬ１０ａ、ダイオードＤ１２、およびスイッチング素子Ｑ１２を通して、コンデンサＣ１０へと経由する負方向の経路に沿って、主電流が流れ、主電力が回収される。主電流が流れる上述した経路は回収経路とも呼ばれる。これにより、走査電極ＳＣ１〜ＳＣｎにおける走査電極駆動信号Ｓ４３の電位が下がり始める。回収充電経路は、回収経路と、一部で交差するだけであり、経路としては回収経路から実質的に分離されている。回収充電経路は、回収経路と、一部で配線を共有するだけであり、経路に含まれる機能要素を共有しない。それゆえに、回収充電経路は、実質的には回収経路から分離されている（後述するように、経路の機能要素だけでなく配線も共有しない構成も存在する）。
【０１８４】
時点ｔ５においてスイッチング素子Ｑ１３およびスイッチング素子Ｑ１６がオフされることにより、回収充電経路を流れていた１次補助電流ＪＱ１６が、図１２に示すように遮断される。期間Ｔ２において上述したように、インダクタＬ１０ｃに蓄積された負方向の１次補助エネルギーは、インダクタＬ１０ａにおける負方向の２次補助エネルギーに変換される。時点ｔ５以降、インダクタＬ１０ａに蓄積された負方向の２次補助エネルギーの働きによる負方向への放電により、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、２次補助電流が流れ始める。２次補助電流が流れる上述した経路は、インダクタＬ１０ａから負方向（回収方向）に放電する経路という意味で、回収放電経路とも呼ばれる。この２次補助電流が、回収インダクタＬ１０ａと電極間容量ＣｐとのＬＣ共振によって流れる主電流に付加され、電流ＪＬ１０ａは急峻に減少（負方向に急峻に増加）する。回収放電経路は、回収経路と一致する。
【０１８５】
これにより、図１２のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる主電流のみ（図示せず）よりも、非常に急峻になる。
【０１８６】
（期間Ｔ６）
期間Ｔ６における動作は、図７において説明した動作と同様であるため、ここでの説明は省略する。
【０１８７】
以上、説明したように、実施の形態４のプラズマディスプレイ装置によれば、実施の形態１と同様に、維持パルスの立ち上がり時および立ち下がり時のパルスエッジにおいて、補助回路５３３を用いることにより、インダクタＬ１０ｂおよびインダクタＬ１０ｃにあらかじめ蓄積されたエネルギーにより発生する補助電流を、ＬＣ共振によって流れる主電流に付加することができる。その結果、維持パルス発生回路５０３と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１８８】
また、実施の形態１と同様に、インダクタＬ１０ｂおよびインダクタＬ１０ｃに１次補助エネルギーを蓄積するためにインダクタＬ１０ｂおよびインダクタＬ１０ｃに流す１次補助電流を、不要な回路を通さず最小限の回路（ここでは、正方向の１次補助エネルギーを蓄積する場合は正方向補助スイッチおよびクランプ回路の接地電位側のスイッチ、負方向の補助エネルギーを蓄積する場合は負方向補助スイッチおよびクランプ回路の電源側のスイッチ）のみを通す構成とすることで、不要な発熱や無効電力を低減することが可能となる。
【０１８９】
さらに、実施の形態４では、期間Ｔ１および期間Ｔ４においてインダクタＬ１０ｂおよびインダクタＬ１０ｃに１次補助電流を流すときに、その増加の傾きを実施の形態１と比較して大略２倍の傾きに急峻にできるので、期間Ｔ１および期間Ｔ４を短縮することが可能である。
【０１９０】
なお、実施の形態４では、インダクタＬ１０ｂとインダクタＬ１０ｃとの接続点は、走査電極ＳＣ１〜ＳＣｎに接続され、クランプ回路５２を用い、スイッチング素子Ｑ１３を介して電源ＶＳ１に接続され、スイッチング素子Ｑ１４を介して接地端子ＧＮＤ１に接続された。しかし、インダクタＬ１０ｂとインダクタＬ１０ｃとの接続点は、インダクタＬ１０ａには接続されずに、あらたに追加する１つのスイッチング素子を介して電源ＶＳ２に接続され、あらたに追加する別のスイッチング素子を介して接地端子ＧＮＤ２に接続されてもよい。
【０１９１】
（実施の形態５）
実施の形態５では、実施の形態１と異なる点を中心に説明する。その他の構成、動作、および効果は、実施の形態１と同等であるので、説明を省略する。
【０１９２】
図１３Ａ、図１３Ｂ、図１３Ｃ、および図１３Ｄは、走査電極用維持パルス発生回路５０４（単に、維持パルス発生回路５０４とも呼ばれる）および維持電極用維持パルス発生回路６０４（単に、維持パルス発生回路６０４とも呼ばれる）の回路図である。実施の形態１の維持パルス発生回路５０は維持パルス発生回路５０４に変更され、実施の形態１の維持パルス発生回路６０は維持パルス発生回路６０４に変更されている。すなわち、維持パルス発生回路５０４は、タイミング発生回路４５からのタイミング信号Ｓ４５に基づいて走査電極駆動信号Ｓ４３を生成し、各走査電極ＳＣ１〜ＳＣｎを駆動する。維持パルス発生回路６０４は、タイミング発生回路４５からのタイミング信号Ｓ４５Ａに基づいて維持電極駆動信号Ｓ４４を生成し、各維持電極ＳＵ１〜ＳＵｎを駆動する。維持パルス発生回路５０４は、電力回収回路５１４、クランプ回路５２、および補助回路５３４を有する。維持パルス発生回路６０４は、電力回収回路６１４、クランプ回路６２、および補助回路５３４を有する。維持パルス発生回路５０４および維持パルス発生回路６０４は、補助回路５３４を共有する。
【０１９３】
電力回収回路５１４は、回収コンデンサＣ１０、スイッチング素子Ｑ１１、スイッチング素子Ｑ１２、ダイオードＤ１１、ダイオードＤ１２、および回収インダクタＬ１０ａを有している。スイッチング素子Ｑ１１は、回収コンデンサＣ１０から走査電極ＳＣ１〜ＳＣｎへの電力供給時に導通させる。スイッチング素子Ｑ１２は、走査電極ＳＣ１〜ＳＣｎから回収コンデンサＣ１０への電力回収時に導通させる。ダイオードＤ１１は、回収コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。
【０１９４】
電力回収回路６１４は、回収コンデンサＣ１０、スイッチング素子Ｑ１１Ａ、スイッチング素子Ｑ１２Ａ、ダイオードＤ１１Ａ、ダイオードＤ１２Ａ、および回収インダクタＬ１０ａＡを有している。スイッチング素子Ｑ１１Ａは、回収コンデンサＣ１０から維持電極ＳＵ１〜ＳＵｎへの電力供給時に導通させる。スイッチング素子Ｑ１２Ａは、維持電極ＳＵ１〜ＳＵｎから回収コンデンサＣ１０への電力回収時に導通させる。ダイオードＤ１１Ａは、回収コンデンサＣ１０から維持電極ＳＵ１〜ＳＵｎへ順方向の電力供給時に逆流する電流を防止する。ダイオードＤ１２Ａは、維持電極ＳＵ１〜ＳＵｎから回収コンデンサＣ１０へ順方向の電力回収時に逆流する電流を防止する。電力回収回路５１４および電力回収回路６１４は、回収コンデンサＣ１０を共有する。
【０１９５】
補助回路５３４は、スイッチング素子Ｑ１５および補助インダクタＬ１０ｂを有する。スイッチング素子Ｑ１５は、補助インダクタＬ１０ｂに電流ＪＬ１０ｂを流すときに導通させる補助スイッチである。
【０１９６】
回収コンデンサＣ１０の一方の端子は、端子ＧＮＤ１に接続され、基準電位である接地電位にされ、他方の端子（すなわちＢ点）は電位ＶＢ（＝Ｖｓ／２）にされる。互いに直列に接続されたスイッチング素子Ｑ１１およびダイオードＤ１１と、互いに直列に接続されたスイッチング素子Ｑ１２およびダイオードＤ１２とが、電流を流す向きが互いに逆方向になるように並列に接続される。それとともに、この並列に接続された回路の一方の端子は、回収インダクタ１０ａを介して回収コンデンサＣ１０の他方の端子（すなわちＢ点）に接続され、他方の端子は走査電極ＳＣ１〜ＳＣｎに接続される。同様に、互いに直列に接続されたスイッチング素子Ｑ１１ＡおよびダイオードＤ１１Ａと、互いに直列に接続されたスイッチング素子Ｑ１２ＡおよびダイオードＤ１２Ａとが、電流を流す向きが互いに逆方向になるように並列に接続される。それとともに、この並列に接続された回路の一方の端子は、回収インダクタ１０ａＡを介して回収コンデンサＣ１０の他方の端子（すなわちＢ点）に接続され、他方の端子は維持電極ＳＵ１〜ＳＵｎに接続される。
【０１９７】
スイッチング素子Ｑ１５の一方の端子は、補助インダクタＬ１０ｂを介して回収コンデンサＣ１０の他方の端子（すなわちＢ点）に接続され、他方の端子は接地端子ＧＮＤ２に接続され、基準電位にされる。
【０１９８】
回収インダクタＬ１０ａ、回収インダクタＬ１０ａＡ、および補助インダクタＬ１０ｂは、相互インダクタＬ１０Ｃを構成する。回収インダクタＬ１０ａ、回収インダクタＬ１０ａＡ、および補助インダクタＬ１０ｂのそれぞれは、磁気コアＬ１０ｚの少なくとも一部を含み、自己誘導により所定の自己インダクタンスを有する。さらに、回収インダクタＬ１０ａ、回収インダクタＬ１０ａＡ、および補助インダクタＬ１０ｂは、相互誘導により磁気コアＬ１０ｚを介して互いに磁気的に結合され、所定の相互インダクタンスを有する。相互インダクタンスの符号は、相互誘導を生成する磁気コアＬ１０ｚの構造と、各インダクタＬ１０ａ、Ｌ１０ａＡ、Ｌ１０ｂのコイルの巻き方向とによって決定される。図１３Ａ〜図１３Ｄでは、相互インダクタＬ１０Ｃは、棒状の磁気コアＬ１０ｚを用い、補助インダクタＬ１０ｂのコイルの巻き方向に対して、回収インダクタＬ１０ａのコイルを逆方向に巻くように構成され、回収インダクタＬ１０ａＡのコイルを逆方向に巻くように構成される。すなわち、インダクタＬ１０ａおよびインダクタＬ１０ａＡは、互いに正の相互誘導により結合される。インダクタＬ１０ｂは、インダクタＬ１０ａと負の相互誘導により結合され、インダクタＬ１０ａＡと負の相互誘導により結合される。一例として、インダクタＬ１０ｂの巻数は、インダクタＬ１０ａの巻数以上に設定され、インダクタＬ１０ａＡの巻数は、インダクタＬ１０ａの巻数と大略等しく設定される。相互インダクタＬ１０Ｃは、図１３Ａ〜図１３Ｄの構成に限らず、例えばトロイダル形状の磁気コアを用い、各コイルの巻き方向を必要に応じて変更することにより、図１３Ａ〜図１３Ｄの構成と同様に動作させることが可能である。
【０１９９】
実施の形態１〜４においては、走査電極駆動回路４３に含まれる回収インダクタと維持電極駆動回路４４に含まれる回収インダクタとは、互いに異なる磁気コアを有しており、両者の相互誘導は、大略ゼロである。これに対して相互インダクタＬ１０Ｃの場合、回収インダクタＬ１０ａ、Ｌ１０ａＡは、磁気コアＬ１０ｚを共有し、磁気コアＬ１０ｚの周囲に巻線を巻回することにより構成される。すなわち、走査電極駆動回路４３と維持電極駆動回路４４とは、インダクタＬ１０ａおよびインダクタＬ１０ａＡで構成される回収インダクタを実質的に共有する。
【０２００】
補助インダクタＬ１０ｂにおいて、負方向の１次補助電流ＪＬ１０ｂが回収コンデンサＣ１０からスイッチング素子Ｑ１５の方向へ流れることにより、回収インダクタＬ１０ａには負方向の電流ＪＬ１０ａが流れ、回収インダクタＬ１０ａＡには負方向の電流ＪＬ１０ａＡが流れる。
【０２０１】
図１４は、維持パルス発生回路の動作を説明するためのタイミングチャートである。図１４では、上から順に、Ｓ４３は、走査電極ＳＣ１〜ＳＣｎに印加される走査電極駆動信号Ｓ４３の電圧の変化を示す。Ｓ４４は、維持電極ＳＵ１〜ＳＵｎに印加される維持電極駆動信号Ｓ４４の電圧の変化を示す。ＪＬ１０ｂは、インダクタＬ１０ｂからスイッチング素子Ｑ１５に流れる電流ＪＬ１０ｂの変化（ここでは、インダクタＬ１０ｂからスイッチング素子Ｑ１５に向かって流れる場合を負とする）を示す。ＪＬ１０ａは、インダクタＬ１０ａに流れる電流ＪＬ１０ａの変化を示す。ＪＬ１０ａＡは、インダクタＬ１０ａＡに流れる電流ＪＬ１０ａＡの変化（ここでは、コンデンサＣ１０からインダクタＬ１０ａおよびインダクタＬ１０ａＡに向かって流れる場合を正とし、インダクタＬ１０ａおよびインダクタＬ１０ａＡからコンデンサＣ１０に向かって流れる場合を負とする）を示す。Ｑ１１は、スイッチング素子Ｑ１１の制御の状態を示す。Ｑ１２は、スイッチング素子Ｑ１２の制御の状態を示す。Ｑ１３は、スイッチング素子Ｑ１３の制御の状態を示す。Ｑ１４は、スイッチング素子Ｑ１４の制御の状態を示す。Ｑ１５は、スイッチング素子Ｑ１５の制御の状態を示す。Ｑ１１Ａは、スイッチング素子Ｑ１１Ａの制御の状態を示す。Ｑ１２Ａは、スイッチング素子Ｑ１２Ａの制御の状態を示す。Ｑ１３Ａは、スイッチング素子Ｑ１３Ａの制御の状態を示す。Ｑ１４Ａは、スイッチング素子Ｑ１４Ａの制御の状態を示す。
【０２０２】
実施の形態１〜４では、一例として、維持パルスの周波数は１００ｋＨｚ、維持パルスの立ち上がりおよび立ち下がりにかける期間はそれぞれ１μｓｅｃ、維持パルスを電位Ｖｓにクランプする期間は３μｓｅｃに設定されていた。この場合、維持パルスのデューティ比は、大略、（１＋３）／１０＝４０％、となる。したがって、図１４に示すように、走査電極駆動信号Ｓ４３の立ち下がり後に維持電極駆動信号Ｓ４４が立ち上がり、維持電極駆動信号Ｓ４４の立ち下がり後に走査電極駆動信号Ｓ４３が立ち上がる。実施の形態５では、このような走査電極駆動信号Ｓ４３と維持電極駆動信号Ｓ４４との関係が成り立っているが、上述した維持パルスの各数値は、この関係が維持される範囲においていかなる値であってもよい。
【０２０３】
（期間Ｔ１Ａ）
時点ｔ１Ａでスイッチング素子Ｑ１５をオンにする。すると、回収コンデンサＣ１０から、インダクタＬ１０ｂおよびスイッチング素子Ｑ１５を通して、基準電位にある接地端子ＧＮＤ２へと経由する負方向の経路に沿って、１次補助電流ＪＬ１０ｂが流れる。１次補助電流ＪＬ１０ｂが流れる上述した経路は、回収充電経路とも呼ばれる。１次補助電流ＪＬ１０ｂの絶対値は、インダクタＬ１０ｂのインダクタンスをＬとすると、（Ｖｓ／２）／Ｌの傾きで増加していく。これによりインダクタＬ１０ｂに負方向の１次補助電流ＪＬ１０ｂを流し、インダクタＬ１０ｂに負方向の１次補助エネルギーを蓄積する。同時に、相互誘導により、インダクタＬ１０ａに負方向の２次補助エネルギーを蓄積する。
【０２０４】
続く期間Ｔ２Ａでは、電力回収回路５１４を動作させて走査電極ＳＣ１〜ＳＣｎから回収コンデンサＣ１０への電力回収を行う。ここで、インダクタＬ１０ｂおよびインダクタＬ１０ａに蓄積された負方向の補助エネルギーによる２次補助電流が、期間Ｔ１Ａから期間Ｔ２Ａへの切り替え時に、速やかにインダクタＬ１０ａに流れるように、時点ｔ２Ａの前の時点ｔ１１Ａであらかじめスイッチング素子Ｑ１２をオンにしておく。
【０２０５】
この間、スイッチング素子Ｑ１３はオンに維持し、走査電極ＳＣ１〜ＳＣｎは電位Ｖｓにクランプしておく。
【０２０６】
（期間Ｔ２Ａ）
次に、時点ｔ２Ａでスイッチング素子Ｑ１３およびスイッチング素子Ｑ１５をオフにする。
【０２０７】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、ダイオードＤ１２、スイッチング素子Ｑ１２、およびインダクタＬ１０ａを通して、回収コンデンサＣ１０へと経由する負方向の経路に沿って、主電流が流れ、主電力が回収される（図１３Ａ）。この主電流は走査電極側主電流とも呼ばれ、走査電極側主電流を生成する主電力は走査電極側主電力とも呼ばれる。さらに、走査電極側主電流が流れる上述した経路ＲＡは、走査電極側主電力を回収する経路であり、走査電極側回収経路とも呼ばれる。これにより、走査電極ＳＣ１〜ＳＣｎにおける走査電極駆動信号Ｓ４３の電位が下がり始める。回収充電経路は、走査電極側回収経路と、回収コンデンサＣ１０を共有するだけであり、経路としては実質的には走査電極側回収経路から分離されている。
【０２０８】
時点ｔ２Ａにおいてスイッチング素子Ｑ１３およびスイッチング素子Ｑ１５がオフされることにより、回収充電経路を流れていた１次補助電流ＪＬ１０ｂが、図１４に示すように遮断される。このとき、インダクタＬ１０ｂおよびインダクタＬ１０ａは、コンデンサＣ１０からの負方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２Ａの前後で実質的に変化しない。このため、インダクタＬ１０ａを流れる２次補助電流は、遮断される直前にインダクタＬ１０ｂを流れていた１次補助電流ＪＬ１０ｂに、インダクタＬ１０ｂのインダクタＬ１０ａに対する巻数比を乗算した値に大略等しくなる。このように、インダクタＬ１０ｂに蓄積された負方向の１次補助エネルギーは、インダクタＬ１０ａにおける負方向の２次補助エネルギーに変換される。時点ｔ２Ａ以降、インダクタＬ１０ａに蓄積された負方向の２次補助エネルギーの働きによる負方向への放電により、走査電極ＳＣ１〜ＳＣｎから、ダイオードＤ１２、スイッチング素子Ｑ１２、およびインダクタＬ１０ａを通して、回収コンデンサＣ１０へと経由する負方向の経路に沿って、２次補助電流が流れ始める。２次補助電流が流れる上述した経路は、走査電極側回収放電経路とも呼ばれる。この２次補助電流が、回収インダクタＬ１０ａと電極間容量ＣｐとのＬＣ共振によって流れる走査電極側主電流に付加され、電流ＪＬ１０ａは負方向に急峻に増加する。走査電極側回収放電経路は、走査電極側回収経路と一致する。
【０２０９】
これにより、図１４のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる走査電極側主電流のみ（図示せず）よりも、非常に急峻になる。
【０２１０】
このように、期間Ｔ１ＡでインダクタＬ１０ｂに蓄積された負方向のエネルギーにより、期間Ｔ２Ａにおいて維持パルスの立ち下がり時に走査電極ＳＣ１〜ＳＣｎから電力回収回路５１４へ流れる電流を急峻に増加させることができ、維持パルスの立ち下がりを早くすることができる。しかも、インダクタＬ１０ａに流れるピーク電流を抑えることが可能となる。
【０２１１】
続く期間Ｔ３Ａでは電力回収回路６１４を動作させて回収コンデンサＣ１０から維持電極ＳＵ１〜ＳＵｎへの電力供給を行う。ここで、インダクタＬ１０ａに蓄積された負方向のエネルギーによる電流ＪＬ１０ａが、期間Ｔ２Ａから期間Ｔ３Ａへの切り替え時に、速やかにインダクタＬ１０ａＡに流れるように、時点ｔ３Ａの前の時点ｔ２１Ａであらかじめスイッチング素子Ｑ１１Ａをオンにしておく。
【０２１２】
（期間Ｔ３Ａ）
次に、時点ｔ３Ａでスイッチング素子Ｑ１２およびスイッチング素子Ｑ１４Ａをオフし、スイッチング素子Ｑ１４をオンにする。
【０２１３】
回収インダクタＬ１０ａＡと電極間容量ＣｐとはＬＣ共振回路を構成しているので、このスイッチング動作によりＬＣ共振が発生する。このＬＣ共振に基づいて、回収コンデンサＣ１０から、インダクタＬ１０ａＡ、スイッチング素子Ｑ１１Ａ、およびダイオードＤ１１Ａを通して、維持電極ＳＵ１〜ＳＵｎへと経由する正方向の経路に沿って、主電流が流れ、主電力が供給される（図１３Ｂ）。この主電流は維持電極側主電流とも呼ばれ、維持電極側主電流が流れる上述した経路ＲＢは、維持電極側主電力を供給する経路であり、維持電極側供給経路とも呼ばれる。これにより、維持電極ＳＵ１〜ＳＵｎにおける維持電極駆動信号Ｓ４４の電位が上がり始める。
【０２１４】
時点ｔ３Ａにおいてスイッチング素子Ｑ１２がオフされることにより、走査電極側回収経路を流れていた電流ＪＬ１０ａが、図１４に示すように遮断される。電流ＪＬ１０ａが遮断される直前には、回収インダクタＬ１０ａには、蓄積された負方向の２次エネルギーの放電による負方向の２次補助電流と、走査電極ＳＣ１〜ＳＣｎからの負方向の主電流との和電流がまだ流れていた。すなわち、回収インダクタＬ１０ａは充電状態であり、エネルギーが残留していた。時点ｔ３Ａにおいて、インダクタＬ１０ａは、負方向エネルギーの充電動作を停止し、放電動作を開始する。インダクタＬ１０ｂおよびインダクタＬ１０ａを経由する経路は遮断されているため、インダクタＬ１０ａＡを経由する経路で放電が開始され、インダクタＬ１０ａＡにおいて、上述した残留エネルギーに基づいて補助電流が流れる。期間Ｔ２Ａの２次補助電流と主電流との和電流に起因して生じる、期間Ｔ３Ａのこのような補助電流は３次補助電流とも呼ばれ、３次補助電流を生成するエネルギーは３次補助エネルギーとも呼ばれる。インダクタＬ１０ａおよびインダクタＬ１０ａＡに蓄積された補助エネルギーは、時点ｔ３Ａの前後で実質的に変化しない。このため、インダクタＬ１０ａＡを流れる３次補助電流は、遮断される直前にインダクタＬ１０ａを流れていた電流ＪＬ１０ａに、インダクタＬ１０ａのインダクタＬ１０ａＡに対する巻数比を乗算した値に大略等しくなる。インダクタＬ１０ａとインダクタＬ１０ａＡとは、回収コンデンサＣ１０を中心に巻線方向が互いに同方向になるよう構成される。換言すれば、インダクタＬ１０ａおよびインダクタＬ１０ａＡの両巻線は、磁気コアＬ１０ｚの周囲に、互いに同方向になるように巻回されている。このため、インダクタＬ１０ａに蓄積された負方向のエネルギーは、インダクタＬ１０ａＡにおける正方向のエネルギーに変換される。時点ｔ３Ａ以降、インダクタＬ１０ａＡに蓄積された正方向のエネルギーの働きによる正方向への放電により、回収コンデンサＣ１０から、インダクタＬ１０ａＡ、スイッチング素子Ｑ１１Ａ、およびダイオードＤ１１Ａを通して、維持電極ＳＵ１〜ＳＵｎへと経由する正方向の経路に沿って、３次補助電流が流れ始める。３次補助電流が流れる上述した経路は、維持電極側供給放電経路とも呼ばれる。この３次補助電流が、回収インダクタＬ１０ａＡと電極間容量ＣｐとのＬＣ共振によって流れる維持電極側主電流に付加され、電流ＪＬ１０ａＡは正方向に急峻に増加する。維持電極側供給放電経路は、維持電極側供給経路と一致する。
【０２１５】
これにより、図１４のインダクタＬ１０ａＡに流れる電流ＪＬ１０ａＡの変化を示す波形のように、維持電極ＳＵ１〜ＳＵｎへ流れる電流ＪＬ１０ａＡの立ち上がりは、回収インダクタＬ１０ａＡと電極間容量ＣｐとのＬＣ共振によって流れる主電流のみ（図示せず）よりも、非常に急峻になる。
【０２１６】
このように、期間Ｔ２ＡでインダクタＬ１０ａに蓄積された負方向のエネルギーにより、期間Ｔ３Ａにおいて維持パルスの立ち上がり時に電力回収回路６１４から維持電極ＳＵ１〜ＳＵｎへ流れる電流を急峻に増加させることができ、維持パルスの立ち上がりを早くすることができる。しかも、インダクタＬ１０ａＡに流れるピーク電流を抑えることが可能となる。
【０２１７】
維持電極ＳＵ１〜ＳＵｎの維持パルスの立ち下がりから走査電極ＳＣ１〜ＳＣｎの維持パルスの立ち上がりへの動作(図１４の期間Ｔ１Ｂ、Ｔ２Ｂ、Ｔ３Ｂ)については、同様に説明することができる。すなわち、期間Ｔ２Ｂにおいて、維持電極ＳＵ１〜ＳＵｎから、ダイオードＤ１２Ａ、スイッチング素子Ｑ１２Ａ、およびインダクタＬ１０ａＡを通して、回収コンデンサＣ１０へと経由する負方向の経路に沿って、維持電極側主電流および２次補助電流が流れる（図１３Ｃ）。上述した経路ＲＣは、維持電極側主電流が流れるため、維持電極側回収経路とも呼ばれ、２次補助電流が流れるため、維持電極側回収放電経路とも呼ばれる。期間Ｔ２Ｂにおける２次補助電流は、期間Ｔ１Ｂにおける負方向の１次補助電流ＪＬ１０ｂに基づく。
【０２１８】
続く期間Ｔ３Ｂにおいて、回収コンデンサＣ１０から、インダクタＬ１０ａ、スイッチング素子Ｑ１１、およびダイオードＤ１１を通して、走査電極ＳＣ１〜ＳＣｎへと経由する正方向の経路に沿って、走査電極側主電流および３次補助電流が流れる（図１３Ｄ）。上述した経路ＲＤは、走査電極側主電流が流れるため、走査電極側供給経路とも呼ばれ、３次補助電流が流れるため、走査電極側供給放電経路とも呼ばれる。期間Ｔ３Ｂにおける３次補助電流は、期間Ｔ２Ｂにおける走査電極側主電流と２次補助電流との和電流に起因して、インダクタＬ１０ａＡにおいて残留するエネルギーに基づく。期間Ｔ１Ｂ〜Ｔ３Ｂにおける詳細な動作は、期間Ｔ１Ａ〜Ｔ３Ａにおける動作と同様であるため、説明は省略する。
【０２１９】
なお、実施の形態５では、図１４に示すように、走査電極駆動信号Ｓ４３の立ち下がり後に維持電極駆動信号Ｓ４４が立ち上がり、維持電極駆動信号Ｓ４４の立ち下がり後に走査電極駆動信号Ｓ４３が立ち上がるように設定されていた。しかし、維持電極駆動信号Ｓ４４の立ち上がり後に走査電極駆動信号Ｓ４３が立ち下がり、走査電極駆動信号Ｓ４３の立ち上がり後に維持電極駆動信号Ｓ４４が立ち下がるように設定されてもよい。この場合、一例として、維持パルスの周波数は１００ｋＨｚ、維持パルスの立ち上がりおよび立ち下がりにかける期間はそれぞれ１μｓｅｃ、維持パルスを電位Ｖｓにクランプする期間は５μｓｅｃに設定される。したがって、維持パルスのデューティ比は、大略、（１＋５）／１０＝６０％、となる。また、図１３Ａ〜１３Ｄの相互インダクタＬ１０Ｃは、補助インダクタＬ１０ｂのコイルの巻き方向に対して、回収インダクタＬ１０ａのコイルを同方向に巻くように変更され、回収インダクタＬ１０ａＡのコイルを同方向に巻くように変更される。
【０２２０】
このように、回収コンデンサＣ１０は、走査電極側主電力および維持電極側主電力を充放電する。インダクタＬ１０ｂは、走査電極側主電力が回収開始される直前に、補助電力を充電し、インダクタＬ１０ａは、走査電極側主電力が回収開始されると、補助電力を回収方向に放電する。インダクタＬ１０ａＡは、走査電極側主電力の回収後に維持電極側主電力が供給開始されると、維持電極側主電力が供給開始される直前にインダクタＬ１０ａにおいて残留する電力を、供給方向に放電する。インダクタＬ１０ｂは、維持電極側主電力が回収開始される直前に、補助電力を充電し、インダクタＬ１０ａＡは、維持電極側主電力が回収開始されると、補助電力を回収方向に放電する。インダクタＬ１０ａは、維持電極側主電力の回収後に走査電極側主電力が供給開始されると、走査電極側主電力が供給開始される直前にインダクタＬ１０ａＡにおいて残留する電力を、供給方向に放電する。
【０２２１】
実施の形態５ののプラズマディスプレイ装置によれば、維持パルスの立ち上がり時および立ち下がり時のパルスエッジにおいて、補助回路５３４および相互インダクタＬ１０Ｃを用いることにより、補助インダクタＬ１０ｂにあらかじめ蓄積された１次補助エネルギーにより発生する２次補助電流または３次補助電流を、ＬＣ共振によって流れる主電流に付加することができる。その結果、維持パルス発生回路と電極間容量Ｃｐとの間に流れる電流の大きさを急峻に増加させることができる。これにより、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０２２２】
また実施の形態１〜４に比較して、回収コンデンサおよび回収インダクタおよび補助回路が共用できるため、大幅な部品の削減が可能となる。
【０２２３】
（実施の形態６）
実施の形態６では、実施の形態１〜５と異なる点を中心に説明する。その他の構成、動作、および効果は、実施の形態１〜５と同等であるので、説明を省略する。
【０２２４】
実施の形態１〜５では、補助回路の電源電位として、高圧側に回収コンデンサＣ１０の電位ＶＢ（＝Ｖｓ／２）または電源ＶＳ２の電位Ｖｓを、低圧側に基準端子ＧＮＤ２の基準電位として接地電位を用いる構成を説明した。実施の形態６では、実施の形態４における電源ＶＳ２の電位Ｖｓ、および実施の形態１〜５における基準電源ＧＮＤ２の基準電位を可変とする構成について説明する。実施の形態６では、実施の形態４の構成は変更され、インダクタＬ１０ｂとインダクタＬ１０ｃとの接続点は、インダクタＬ１０ａには接続されずに、あらたに追加する１つのスイッチング素子を介して電源ＶＳ２に接続され、あらたに追加する別のスイッチング素子を介して基準電源ＧＮＤ２に接続される構成とする。図１５は、補助回路の基準電位を可変した場合の波形図である。例えば、実施の形態１〜５においてインダクタＬ１０ａに正方向の１次補助エネルギーを蓄積する動作においては、基準電位を低くすることで、図１５に実線で示すように、回収コンデンサＣ１０または電源ＶＳ２から、インダクタＬ１０ａおよび正方向補助スイッチ（例えば、スイッチング素子Ｑ１５）を通して、基準電源ＧＮＤ２へと流れる電流ＪＱ１５の単位時間あたりの増加量（電流の増加を表す傾き）を大きくすることができ、逆に基準電位を高くすることで、破線や一点鎖線に示すように電流ＪＱ１５の増加を小さくすることができる。また、図示はしないが、実施の形態４における電源ＶＳ２の電位Ｖｓに関しても同様であり、可変にすることで同様の効果を得られる。
【０２２５】
したがって、例えば表示画像に応じて補助回路の基準電位（または電源ＶＳ２の電位Ｖｓ）を制御する構成を設けてもよい。具体的な一例としては、表示画像が明るいとき、あるいは全放電セルに対する点灯すべき放電セルの割合を表す点灯率が高いときには基準電位を低くする（電源ＶＳ２の電位Ｖｓを高くする）。逆に、表示画像が暗いとき、あるいは点灯率が低いときには基準電位を高くする（電源電位Ｖｓを低くする）。このように構成することで、画像表示品質をさらに高めることも可能である。
【０２２６】
次に、実施の形態１〜５において、例えば、補助回路における正方向補助スイッチ（スイッチング素子Ｑ１５）および負方向補助スイッチ（スイッチング素子Ｑ１６）の導通期間（図７における期間Ｔ１および期間Ｔ４）を可変とする構成について説明する。図１６は、正方向補助スイッチの導通期間を可変した場合の波形図である。
【０２２７】
例えば、実施の形態１〜５においてインダクタＬ１０ａに正方向の１次補助エネルギーを蓄積する動作においては、正方向補助スイッチの導通期間を、図１６における期間Ｔ１のように長くすることで、実線に示すようにインダクタＬ１０ａに流す正方向の電流ＪＱ１５の電流量を増やすことができる。逆に正方向補助スイッチの導通期間を、図１６における期間Ｔ１Ａおよび期間Ｔ１Ｂのように短くすることで、破線や一点鎖線に示すようにインダクタＬ１０ａに流す正方向の電流ＪＱ１５の電流量を少なくすることができる。また、図示はしないが、負方向の電流に関しても同様であり、負方向補助スイッチの導通期間を可変にすることで同様の効果を得られる。
【０２２８】
したがって、例えば表示画像に応じて補助回路の正方向補助スイッチおよび負方向補助スイッチの導通期間を制御する構成を設けてもよい。具体的な一例としては、正方向補助スイッチおよび負方向補助スイッチの導通期間を、表示画像が明るいとき、あるいは点灯率が高いときには長くし、逆に、表示画像が暗いとき、あるいは点灯率が低いときには短くする構成とすることで、画像表示品質をさらに高めることも可能である。
【０２２９】
（実施の形態の結び）
以上説明したように、本発明の実施の形態のプラズマディスプレイ装置によれば、維持パルスの立ち上がり時および立ち下がり時のパルスエッジにおいて、補助回路または相互インダクタを用いることにより、補助誘導部にあらかじめ蓄積された１次補助エネルギーにより発生する２次補助電流または３次補助電流を、ＬＣ共振によって流れる主電流に付加することができる。その結果、維持パルス発生回路と電極間容量Ｃｐとの間に流れる電流の大きさを急峻に増加させることができる。これにより、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０２３０】
なお、実施の形態１、２、４、および５では、電力回収回路において、電力回収時と電力供給時とで同一のインダクタＬ１０ａまたはＬ１０ａＡを用いる構成を説明した。また実施の形態３では、実施の形態１のインダクタＬ１０ａに代えて２つのインダクタ、すなわち、回収コンデンサＣ１０から走査電極ＳＣ１〜ＳＣｎに電力を供給するときに用いるインダクタＬ１０ａと、走査電極ＳＣ１〜ＳＣｎから回収コンデンサＣ１０に電力を回収するときに用いるインダクタＬ２０ａとに分ける構成を説明した。実施の形態１、２、４および５においても、実施の形態３と同様にして、インダクタＬ１０ａまたはＬ１０ａＡを、電力供給用のインダクタと電力回収用のインダクタに分ける構成としてもよい。これにより、表示電極対２４から電力を回収するときと、表示電極対２４へ電力を供給するときとで共振周期を変えることができる。
【０２３１】
本発明の実施の形態において示した具体的な各数値は、実験に用いた表示電極対数１０８０対の５０インチのパネルに基づき設定したものであって、単に実施の形態の一例を示したものに過ぎない。本発明はこれらの数値に何ら限定されるものではなく、パネルの特性やプラズマディスプレイ装置の仕様等に応じて最適な値に設定することが望ましい。また、これらの各数値は、上述した効果を得られる範囲でのばらつきを許容するものとする。
【０２３２】
本発明はこれらの課題に鑑みなされたものであり、高精細化されたパネルであっても、消費電力の削減と安定した維持放電とを実現することが可能なプラズマディスプレイ装置およびプラズマディスプレイパネルの駆動方法に対して有用である。
【０２３３】
ここで、別の観点から、本発明の概要を説明する。
【０２３４】
（項１）
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
ＬＣ共振用の回収インダクタと電力回収用の回収コンデンサと電力回収経路と電力供給経路とを有し、前記表示電極対の容量性負荷に蓄積された電力をＬＣ共振によって前記電力回収経路を介して前記回収コンデンサに回収し、その回収した電力を前記電力供給経路を介して前記表示電極対の駆動に再利用する電力回収回路と、
第１の補助スイッチを有する補助回路とを備え、
前記補助回路は、前記電力供給経路を介して前記容量性負荷を駆動する前に前記第１の補助スイッチを導通させて前記回収インダクタにエネルギーを蓄積するように構成することにより、前記維持パルスの立ち上がりの前には前記第１の補助スイッチを導通させて前記回収インダクタに前記エネルギーを蓄積し
前記電力回収回路は、前記維持パルスの立ち上げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【０２３５】
（項２）
前記補助回路は、
第２の補助スイッチを有し、
前記電力回収経路を介して前記回収コンデンサに電力を回収する前に前記第２の補助スイッチを導通させて前記回収インダクタにエネルギーを蓄積するように構成することにより、前記維持パルスの立ち下がりの前には前記第２の補助スイッチを導通させて前記回収インダクタに前記エネルギーを蓄積し、
前記電力回収回路は、前記維持パルスの立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とする、項１に記載のプラズマディスプレイ装置。
【０２３６】
（項３）
前記補助回路は、前記電力回収経路を介して前記回収コンデンサに電力を回収する前に前記第１の補助スイッチを導通させて前記回収インダクタにエネルギーを蓄積するように構成することにより、前記維持パルスの立ち下がりの前には前記第１の補助スイッチを導通させて前記回収インダクタに前記エネルギーを蓄積し、
前記電力回収回路は、前記維持パルスの立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とする、項１に記載のプラズマディスプレイ装置。
【０２３７】
（項４）
主電力および補助電力を用いて、容量性負荷を駆動するプラズマディスプレイ装置であって、
前記主電力を充放電可能な主容量部と、
前記補助電力を充電可能な補助誘導部と、
相互誘導により前記補助誘導部に結合され、前記補助誘導部からの前記補助電力を充放電可能であり、前記容量性負荷とＬＣ共振する主誘導部と、
前記ＬＣ共振に基づいて、前記容量性負荷から前記主誘導部を経由して前記主容量部へ、前記主電力を回収する回収経路と、
前記ＬＣ共振に基づいて、前記主容量部から前記主誘導部を経由して前記容量性負荷へ、回収された前記主電力を供給する供給経路と、
前記補助誘導部を経由する経路であって、前記主電力の回収動作を強める方向に、前記補助誘導部に前記補助電力を充電する回収充電経路と、
前記主誘導部を経由する経路であって、前記主誘導部において充電された前記補助電力を、回収方向に放電する回収放電経路と、
前記補助誘導部を経由する経路であって、前記主電力の供給動作を強める方向に、前記補助誘導部に前記補助電力を充電する供給充電経路と、
前記主誘導部を経由する経路であって、前記主誘導部において充電された前記補助電力を、供給方向に放電する供給放電経路と、を有し、
前記回収経路は、前記回収充電経路から実質的に分離され、前記回収放電経路と実質的に一致し、
前記供給経路は、前記供給充電経路から実質的に分離され、前記供給放電経路と実質的に一致する、プラズマディスプレイ装置。
【０２３８】
（項５）
前記補助誘導部は、前記主電力が回収開始される直前に、前記補助電力を充電し、
前記主誘導部は、前記主電力が回収開始されると、前記補助電力を回収方向に放電する、項４に記載のプラズマディスプレイ装置。
【０２３９】
（項６）
前記補助誘導部は、前記主電力が供給開始される直前に、前記補助電力を充電し、
前記主誘導部は、前記主電力が供給開始されると、前記補助電力を供給方向に放電する、項４に記載のプラズマディスプレイ装置。
【０２４０】
（項７）
前記回収充電経路は、前記補助誘導部の一端に接続される第１スイッチを経由する経路を含み、
前記補助誘導部は、前記主電力が回収開始される前に前記第１スイッチが導通されることにより、前記補助電力を回収方向に充電する、項４に記載のプラズマディスプレイ装置。
【０２４１】
（項８）
前記供給充電経路は、前記補助誘導部の他端に接続される第２スイッチを経由する経路を含み、
前記補助誘導部は、前記主電力が供給開始される前に前記第２スイッチが導通されることにより、前記補助電力を供給方向に充電する、項７に記載のプラズマディスプレイ装置。
【０２４２】
（項９）
前記補助回路は、前記第１スイッチが導通する期間を、表示画像に応じて変化させる、項７に記載のプラズマディスプレイ装置。
【０２４３】
（項１０）
前記回収充電経路および前記供給充電経路は、前記主容量部を経由する経路を共通に含み、
前記補助誘導部は、前記主容量部からの前記補助電力を充電する、項４に記載のプラズマディスプレイ装置。
【０２４４】
（項１１）
前記回収充電経路は、前記主容量部と前記補助誘導部の一端との間に挿入される第１スイッチを経由する経路を含み、
前記供給充電経路は、前記主容量部と前記補助誘導部の他端との間に挿入される第２スイッチを経由する経路を含み、
前記主誘導部は、前記第１スイッチの導通時に、前記補助電力を回収方向に充電し、前記第２スイッチの導通時に、前記補助電力を供給方向に充電する、項１０に記載のプラズマディスプレイ装置。
【０２４５】
（項１２）
前記補助誘導部は、第１副補助誘導部および第２副補助誘導部を含み、
前記第１副補助誘導部は、前記回収充電経路に含まれ、前記主誘導部を回収方向に充電するように、前記補助電力を充電し、
前記第２副補助誘導部は、前記供給充電経路に含まれ、前記主誘導部を供給方向に充電するように、前記補助電力を充電する、項４に記載のプラズマディスプレイ装置。
【０２４６】
（項１３）
前記主誘導部は、第１副主誘導部および第２副主誘導部を含み、
前記第１副主誘導部は、前記回収放電経路に含まれ、相互誘導により前記第１副補助誘導部に結合され、前記補助電力を回収方向に充放電し、
前記第２副主誘導部は、前記供給放電経路に含まれ、相互誘導により前記第２副補助誘導部に結合され、前記補助電力を供給方向に充放電する、項１２に記載のプラズマディスプレイ装置。
【０２４７】
（項１４）
さらに、
第１電位を供給する第１電源から、前記容量性負荷への経路であって、前記第１電源により前記容量性負荷の所定電極を第１電位に保持する経路と、
前記容量性負荷から、基準電位を供給する基準電源への経路であって、前記基準電源により前記容量性負荷の所定電極を基準電位に保持する経路と、を有する、項４に記載のプラズマディスプレイ装置。
【０２４８】
（項１５）
前記補助誘導部は、第１副補助誘導部および第２副補助誘導部を含み、
前記第１副補助誘導部は、
前記第１電源と前記基準電源との間に挿入され、
前記主誘導部を回収方向に充電するように、前記第１電源からの前記補助電力を充電し、
前記第２副補助誘導部は、
第２電位を供給する第２電源と前記基準電源との間に挿入され、
前記主誘導部を供給方向に充電するように、前記第２電源からの前記補助電力を充電する、項１４に記載のプラズマディスプレイ装置。
【０２４９】
（項１６）
前記補助回路は、第２電位または基準電位を、表示画像に応じて変化させる、項１５に記載のプラズマディスプレイ装置。
【０２５０】
（項１７）
前記主容量部は、第１電極側主電力および第２電極側主電力を充放電可能であり、
前記回収経路は、
前記容量性負荷の第１電極から前記第１電極側主電力を回収する第１電極側回収経路と、
前記容量性負荷の第２電極から前記第２電極側主電力を回収する第２電極側回収経路と、を含み、
前記供給経路は、
前記容量性負荷の第１電極へ前記第１電極側主電力を供給する第１電極側供給経路と、
前記容量性負荷の第２電極へ前記第２電極側主電力を供給する第２電極側供給経路と、を含む、項１４に記載のプラズマディスプレイ装置。
【０２５１】
（項１８）
前記主誘導部は、第１電極側主誘導部および第２電極側主誘導部を含み、
前記第１電極側主誘導部および前記第２電極側主誘導部は、互いに負の相互誘導により結合され、
前記補助誘導部は、前記第１電極側主誘導部と負の相互誘導により結合され、前記第２電極側主誘導部と正の相互誘導により結合され、
前記第１電極側回収経路および前記第１電極側供給経路は、前記第１電極側主誘導部を経由する経路を含み、
前記第２電極側回収経路および前記第２電極側供給経路は、前記第２電極側主誘導部を経由する経路を含む、項１７に記載のプラズマディスプレイ装置。
【０２５２】
（項１９）
前記補助誘導部は、前記第１電極側主電力が回収開始される直前に、前記補助電力を充電し、
前記第１電極側主誘導部は、前記第１電極側主電力が回収開始されると、前記補助電力を回収方向に放電する、項１８に記載のプラズマディスプレイ装置。
【０２５３】
（項２０）
前記第２電極側主誘導部は、前記第１電極側主電力の回収後に前記第２電極側主電力が供給開始されると、前記第２電極側主電力が供給開始される直前に前記第１電極側主誘導部において残留する電力を、供給方向に放電する、項１９に記載のプラズマディスプレイ装置。
【０２５４】
（項２１）
前記補助誘導部は、前記第２電極側主電力が回収開始される直前に、前記補助電力を充電し、
前記第２電極側主誘導部は、前記第２電極側主電力が回収開始されると、前記補助電力を回収方向に放電する、項１８に記載のプラズマディスプレイ装置。
【０２５５】
（項２２）
前記第１電極側主誘導部は、前記第２電極側主電力の回収後に前記第１電極側主電力が供給開始されると、前記第１電極側主電力が供給開始される直前に前記第２電極側主誘導部において残留する電力を、供給方向に放電する、項２１に記載のプラズマディスプレイ装置。
【０２５６】
（項２３）
主電力および補助電力を用いて、容量性負荷を駆動するプラズマディスプレイ装置であって、
主誘導部および前記主電力を充放電可能な主容量部を含み、前記容量性負荷と前記主誘導部とのＬＣ共振に基づいて、前記容量性負荷から前記主誘導部を経由して前記主容量部へ前記主電力を回収し、回収された前記主電力を前記主容量部から前記主誘導部を経由して前記容量性負荷へ供給する電力循環回路と、
前記補助電力を充電可能な補助誘導部を含む補助回路と、を有し、
前記電力循環回路は、前記主誘導部が、相互誘導により前記補助誘導部に結合され、前記補助誘導部からの前記補助電力を充放電することにより、前記主電力に前記補助電力を追加し、前記主電力の回収動作および供給動作を急峻にする、プラズマディスプレイ装置。
【０２５７】
（項２４）
前記補助回路は、前記主電力が回収開始される直前に、前記補助誘導部において前記補助電力を充電し、
前記電力循環回路は、前記主電力が回収開始されると、前記主誘導部において前記補助電力を回収方向に放電する、項２３に記載のプラズマディスプレイ装置。
【０２５８】
（項２５）
前記補助回路は、前記主電力が供給開始される直前に、前記補助誘導部において前記補助電力を充電し、
前記電力循環回路は、前記主電力が供給開始されると、前記主誘導部において前記補助電力を供給方向に放電する、項２３に記載のプラズマディスプレイ装置。
【０２５９】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０２６０】
本発明は、プラズマディスプレイ装置およびプラズマディスプレイパネルの駆動方法に利用できる。
【符号の説明】
【０２６１】
１  プラズマディスプレイ装置
１０  パネル
２１  （ガラス製の）前面板
２２  走査電極
２３  維持電極
２４  表示電極対
２５、３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
５０、６０、５０１、５０２、５０３、５０４、６０４  維持パルス発生回路
５１、６１、５１１、５１２、５１３、５１４、６１４  電力回収回路
５２、６２  クランプ回路
５３、６３、５３１、５３２、５３３、５３４  補助回路
Ｌ１０、Ｌ１０Ａ、Ｌ２０Ａ、Ｌ１０Ｂ、Ｌ１０Ｃ  相互インダクタ
Ｌ１０ａ、Ｌ１０ｂ、Ｌ１０ｃ、Ｌ２０ａ、Ｌ２０ｂ、Ｌ１０ａＡ  インダクタ
Ｌ１０ｚ  磁気コア
Ｃ１０  コンデンサ
Ｑ１１、Ｑ１２、Ｑ１３、Ｑ１４、Ｑ１５、Ｑ１６、Ｑ１７、Ｑ１８、Ｑ１１Ａ、Ｑ１２Ａ、Ｑ１３Ａ、Ｑ１４Ａ  スイッチング素子
Ｄ１１、Ｄ１２、Ｄ１１Ａ、Ｄ１２Ａ  ダイオード
【図１】
2009130860.tif 000003
【図２】
2009130860.tif 000004
【図３】
2009130860.tif 000005
【図４】
2009130860.tif 000006
【図５】
2009130860.tif 000007
【図６】
2009130860.tif 000008
【図７】
2009130860.tif 000009
【図８】
2009130860.tif 000010
【図９】
2009130860.tif 000011
【図１０】
2009130860.tif 000012
【図１１】
2009130860.tif 000013
【図１２】
2009130860.tif 000014
【図１３Ａ】
2009130860.tif 000015
【図１３Ｂ】
2009130860.tif 000016
【図１３Ｃ】
2009130860.tif 000017
【図１３Ｄ】
2009130860.tif 000018
【図１４】
2009130860.tif 000019
【図１５】
2009130860.tif 000020
【図１６】
2009130860.tif 000021
【手続補正書】
【提出日】平成21年11月17日(2009.11.17)
【手続補正１】
【補正対象書類名】特許請求の範囲
【補正対象項目名】全文
【補正方法】変更
【補正の内容】
【特許請求の範囲】
【請求項１】
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
少なくとも２つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路と、
前記表示電極対を電源電位および接地電位にクランプするクランプ回路と、
第１の補助スイッチおよび第２の補助スイッチを有する補助回路とを備え、
前記補助回路は、前記第１の補助スイッチを導通させたときには前記回収インダクタに正方向のエネルギーを蓄積し、前記第２の補助スイッチを導通させたときには前記回収インダクタに負方向のエネルギーを蓄積するように構成するとともに、前記維持パルスの立ち上がりの直前には前記第１の補助スイッチを導通させて前記回収インダクタに正方向のエネルギーを蓄積し、前記維持パルスの立ち下がりの直前には前記第２の補助スイッチを導通させて前記回収インダクタに負方向のエネルギーを蓄積し、
前記電力回収回路は、前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【請求項２】
前記補助回路は、
前記第１の補助スイッチを前記回収インダクタの第１の巻線に電流を流すためのスイッチとして設けるとともに前記第２の補助スイッチを前記回収インダクタの第２の巻線に電流を流すためのスイッチとして設け、
前記第１の補助スイッチを導通させたときには前記回収コンデンサから前記回収インダクタの第１の巻線を通って基準電位に流れる電流が発生し、前記第２の補助スイッチを導通させたときには前記回収コンデンサから前記回収インダクタの第２の巻線を通って基準電位に流れる電流が発生するように構成することを特徴とする請求項１に記載のプラズマディスプレイ装置。
【請求項３】
前記補助回路は、
前記第１の補助スイッチと前記第２の補助スイッチをそれぞれ１対のスイッチにて構成し、
前記１対の第１の補助スイッチを導通させたときには前記回収コンデンサから前記回収インダクタの第１の巻線を通って基準電位に流れる電流が発生し、前記１対の第２の補助スイッチを導通させたときには前記回収コンデンサから前記１対の第１の補助スイッチを導通させたときに流れる電流とは逆方向に前記回収インダクタの第１の巻線を通って基準電位に流れる電流が発生するように構成することを特徴とする請求項１に記載のプラズマディスプレイ装置。
【請求項４】
前記電力回収回路は、前記回収インダクタを、正方向の電流を流して正方向のエネルギーをあらかじめ蓄積しておくためのインダクタと、負方向の電流を流して負方向のエネルギーをあらかじめ蓄積しておくためのインダクタとに分けた構成とすることを特徴とする請求項１に記載のプラズマディスプレイ装置。
【請求項５】
前記維持パルス発生回路は、前記第１の補助スイッチおよび前記クランプ回路が有する接地電位側のスイッチを導通させたときに前記回収インダクタの第１の巻線に電流が流れ、前記第２の補助スイッチおよび前記クランプ回路が有する電源電位側のスイッチを導通させたときに前記回収インダクタの第２の巻線に電流が流れるように構成したことを特徴とする請求項１に記載のプラズマディスプレイ装置。
【請求項６】
前記補助回路は、前記補助回路に用いる電源電位および基準電位を表示画像に応じて可変することを特徴とする請求項１に記載のプラズマディスプレイ装置。
【請求項７】
前記補助回路は、前記第１の補助スイッチおよび前記第２の補助スイッチの導通期間を表示画像に応じて可変することを特徴とする請求項２に記載のプラズマディスプレイ装置。
【請求項８】
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
少なくとも３つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路と、
前記表示電極対を電源電位および接地電位にクランプするクランプ回路と、
補助スイッチを有する補助回路とを備え、
前記補助回路は、前記補助スイッチを導通させたときには前記回収インダクタに負方向のエネルギーを蓄積するように構成するとともに、前記維持パルスの立ち下がりの直前には前記補助スイッチを導通させて前記回収インダクタに負方向のエネルギーを蓄積し、
前記電力回収回路は、前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【請求項９】
前記維持パルス発生回路は、
走査電極用維持パルス発生回路と維持電極用維持パルス発生回路とを備え、
前記走査電極用維持パルス発生回路と前記維持電極用維持パルス発生回路との前記電力回収回路の前記ＬＣ共振用の回収インダクタと前記回収コンデンサを共用することを特徴とする請求項８に記載のプラズマディスプレイ装置。
【請求項１０】
前記電力回収回路の前記回収インダクタの第１の巻線は前記補助回路の前記補助スイッチに接続され、前記回収インダクタの第２の巻線は走査電極用維持パルス発生回路の回収インダクタとして、また前記回収インダクタの第３の巻線は維持電極用維持パルス発生回路の回収インダクタとして構成することを特徴とする請求項９に記載のプラズマディスプレイ装置。
【請求項１１】
前記補助回路は、前記補助回路に用いる電源電位および基準電位を表示画像に応じて可変することを特徴とする請求項８に記載のプラズマディスプレイ装置。
【請求項１２】
前記補助回路は、前記第１の補助スイッチおよび前記第２の補助スイッチの導通期間を表示画像に応じて可変することを特徴とする請求項１１に記載のプラズマディスプレイ装置。
【請求項１３】
表示電極対を構成する複数の走査電極および維持電極を有するプラズマディスプレイパネルを、
少なくとも２つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路、前記表示電極対を電源電位および接地電位にクランプするクランプ回路、ならびに第１の補助スイッチと第２の補助スイッチとを有する補助回路を用い、
初期化期間と書き込み期間と維持期間とを有する複数のサブフィールドの前記維持期間において維持パルスを発生させて前記表示電極対に交互に印加して駆動するプラズマディスプレイパネルの駆動方法であって、
前記補助回路を、前記第１の補助スイッチを導通させたときには前記回収インダクタに正方向のエネルギーを蓄積し、前記第２の補助スイッチを導通させたときには前記回収インダクタに負方向のエネルギーを蓄積するように構成し、
前記維持パルスの立ち上がりの直前には前記第１の補助スイッチを導通させて前記回収インダクタに正方向のエネルギーをあらかじめ蓄積し、前記維持パルスの立ち下がりの直前には前記第２の補助スイッチを導通させて前記回収インダクタに負方向のエネルギーをあらかじめ蓄積しておいて、
前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイパネルの駆動方法。
【請求項１４】
前記第１の補助スイッチを導通させたときには前記回収コンデンサから前記回収インダクタの第１の巻線を通って基準電位に流れる電流を発生させ、前記第２の補助スイッチを導通させたときには前記回収コンデンサから前記回収インダクタの第２の巻線を通って基準電位に流れる電流を発生させることを特徴とする請求項１３に記載のプラズマディスプレイパネルの駆動方法。
【請求項１５】
前記補助回路に用いる電源電位および基準電位を表示画像に応じて制御することを特徴とする請求項１３に記載のプラズマディスプレイパネルの駆動方法。
【請求項１６】
前記回収インダクタに正方向のエネルギーを蓄積するために前記第１の補助スイッチを導通させる時間、および前記回収インダクタに負方向のエネルギーを蓄積するために前記第２の補助スイッチを導通させる時間を表示画像に応じて制御することを特徴とする請求項１３に記載のプラズマディスプレイパネルの駆動方法。
【請求項１７】
表示電極対を構成する複数の走査電極および維持電極を有するプラズマディスプレイパネルを、
少なくとも３つ以上の巻線を有するＬＣ共振用の回収インダクタと電力回収用の回収コンデンサとを有し前記表示電極対の容量性負荷に蓄積された電力をＬＣ共振によって前記回収コンデンサに回収しその回収した電力を前記表示電極対の駆動に再利用する電力回収回路、前記表示電極対を電源電位および接地電位にクランプするクランプ回路、ならびに補助スイッチを有する補助回路を用い、
初期化期間と書き込み期間と維持期間とを有する複数のサブフィールドの前記維持期間において維持パルスを発生させて前記表示電極対に交互に印加して駆動するプラズマディスプレイパネルの駆動方法であって、
前記補助回路を、前記補助スイッチを導通させたときには前記回収インダクタに負方向のエネルギーを蓄積するように構成し、
前記維持パルスの立ち下がりの直前には前記補助スイッチを導通させて前記回収インダクタに負方向のエネルギーをあらかじめ蓄積し、
前記維持パルスの立ち上げ時および立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイパネルの駆動方法。
【手続補正２】
【補正対象書類名】明細書
【補正対象項目名】全文
【補正方法】変更
【補正の内容】
【発明の詳細な説明】
【技術分野】
【０００１】
本発明は、容量性負荷を駆動する装置に関し、さらに詳しくは壁掛けテレビや大型モニターに用いられるプラズマディスプレイ装置およびプラズマディスプレイパネルの駆動方法に関する。
【背景技術】
【０００２】
プラズマディスプレイパネル（Ｐｌａｓｍａ  Ｄｉｓｐｌａｙ  Ｐａｎｅｌ：ＰＤＰ、以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書き込み期間および維持期間を有する。初期化期間では初期化放電を発生し、続く書き込み動作に必要な壁電荷を各電極上に形成するとともに、書き込み放電を安定して発生させるためのプライミング粒子（放電のための起爆剤＝励起粒子）を発生させる。書き込み期間では、表示を行うべき放電セルに選択的に書き込みパルス電圧を印加して書き込み放電を発生させ壁電荷を形成する（以下、この動作を「書き込み」とも記す）。そして維持期間では、走査電極と維持電極とからなる表示電極対に交互に維持パルス電圧を印加し、書き込み放電を起こした放電セルで維持放電を発生させ、対応する放電セルの蛍光体層を発光させることにより画像表示を行う。
【０００５】
このような構成のパネルを用いたプラズマディスプレイ装置に対して、その消費電力を削減するために、様々な消費電力削減技術が提案されている。例えば、維持期間における消費電力を削減する技術の１つとして、表示電極対のそれぞれが表示電極対の電極間容量を持つ容量性の負荷であることに着目する案がある。この案では、インダクタを構成要素に含む共振回路を用いてそのインダクタと電極間容量とをＬＣ共振させ、電極間容量に蓄えられた電荷を電力回収用のコンデンサに回収し、回収した電荷を表示電極対の駆動に再利用する。この案は、電力回収回路と呼ばれ、例えば特許文献１に開示されている。
【０００６】
また、補助共振部を用いて電力回収にともなうスイッチング損失を低減し、回収効率を向上させる技術が開示されている（例えば、特許文献２参照）。
【０００７】
また、パネル全体にわたって安定した放電を実現するとともに、電力回収回路からクランプ回路への切り替え時、およびクランプ回路から電力回収回路への切り替え時に発生するスイッチング損失を低減する技術が開示されている（例えば、特許文献３参照）。
【先行技術文献】
【特許文献】
【０００８】
【特許文献１】特開昭６３−１０１８９７号公報
【特許文献２】特開２００６−１０７５０号公報
【特許文献３】特開２００５−４９８１４号公報
【発明の概要】
【発明が解決しようとする課題】
【０００９】
近年においては、パネルの高精細化によって１つのサブフィールド期間内に書き込みをしなければならない電極数が増加しており、それにともない１回の書き込み期間に要する時間が増大している。そのため、例えば維持パルスの周期を短くして維持期間を短縮する等の対応が必要となっている。
【００１０】
しかしながら、安定した維持放電を発生させるためには、維持パルスを電源電圧に維持する期間（クランプ期間）を十分に確保しなければならない。クランプ期間を確保しつつ維持パルスの周期を短くするためには、例えば維持パルスの立ち上がりや立ち下がりを急峻にし、それらにかける時間を短縮するといった対応が必要となる。
【００１１】
このとき、維持パルスの立ち上がりや立ち下がりのエッジ特性を急峻にするために、例えば電力回収回路におけるＬＣ共振の周期を短くすると、電極の駆動の際に流れる電流の最大値（以下、「ピーク電流」とも呼称する）が増加してしまう。この電流の増加は無効電力と呼ばれる発光に寄与しないまま無効に消費される電力を増大させるだけでなく、ＥＭＩ（Ｅｌｅｃｔｒｏ  Ｍａｇｎｅｔｉｃ  Ｉｎｔｅｒｆｅｒｅｎｃｅ）と呼ばれる電磁妨害を増大させてしまう。
【００１２】
ＬＣ共振の周期を長くすれば、維持パルスの立ち上がりを緩やかにし、ピーク電流の抑制による無効電力の削減、およびＥＭＩの低減を図ることができるが、維持パルスの立ち上がりが緩やかになる分、維持パルスの周期が長くなってしまい、維持期間が増大してしまう。
【００１３】
一方、大画面化、高輝度化されたパネルでは消費電力はさらに増加し、また、高精細化されたパネルでは駆動しなければならない電極数が増えるため消費電力はさらに増加してしまう。
【００１４】
本発明はこれらの課題に鑑みなされたものであり、パネルを高精細化しても、消費電力の削減と安定した維持放電とを実現することが可能なプラズマディスプレイ装置およびプラズマディスプレイパネルの駆動方法を提供することを目的とする。
【課題を解決するための手段】
【００１５】
上述した目的を達成するために、本発明のプラズマディスプレイ装置は、表示電極対を構成する複数の走査電極および維持電極を有するイパネルの表示電極対に、初期化期間、書き込み期間および維持期間を有するサブフィールドの維持期間に維持パルスを交互に印加する維持パルス発生回路を備えたプラズマディスプレイ装置であって、維持パルス発生回路は、少なくとも２つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、第１の補助スイッチおよび第２の補助スイッチを有する補助回路とを備え、補助回路は、第１の補助スイッチを導通させたときには回収インダクタに正方向のエネルギーを蓄積し、第２の補助スイッチを導通させたときには回収インダクタに負方向のエネルギーを蓄積するように構成するとともに、維持パルスの立ち上がりの直前には第１の補助スイッチを導通させて回収インダクタに正方向のエネルギーを蓄積し、維持パルスの立ち下がりの直前には第２の補助スイッチを導通させて回収インダクタに負方向のエネルギーを蓄積し、電力回収回路は、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。
【００１６】
これにより、維持パルスを立ち上げるときおよび立ち下げるときに電力回収回路と表示電極対の容量性負荷との間に流れる電流に、回収インダクタに蓄積されたエネルギーによる電流を付加できるので、回収インダクタと容量性負荷とのＬＣ共振の周期（以下、単に「共振周期」と記す）を長くしてピーク電流を低減させることができ、消費電力の削減およびＥＭＩの低減が可能となる。また、回収インダクタにエネルギーを蓄積させる際に、必要最低限の回路だけに電流を流すので、消費電力を低減させるとともに不要な熱の発生を防止することができる。
【００１７】
また、本発明のプラズマディスプレイ装置において、補助回路は、第１の補助スイッチを回収インダクタの第１の巻線に電流を流すためのスイッチとして設けるとともに第２の補助スイッチを回収インダクタの第２の巻線に電流を流すためのスイッチとして設け、第１の補助スイッチを導通させたときには回収コンデンサから回収インダクタの第１の巻線を通って基準電位に流れる電流が発生し、第２の補助スイッチを導通させたときには回収コンデンサから回収インダクタの第２の巻線を通って基準電位に流れる電流が発生するように構成してもよい。これにより、第１の補助スイッチを導通させたときには、回収コンデンサから回収インダクタの第１の巻線を通って基準電位に流れる電流を発生させ、回収インダクタに正方向のエネルギーを蓄積させることができ、第２の補助スイッチを導通させたときには、回収コンデンサから回収インダクタの第２の巻線を通って基準電位に流れる電流を発生させ、回収インダクタに負方向のエネルギーを蓄積させることができる。
【００１８】
また、本発明のプラズマディスプレイ装置において、補助回路は、第１の補助スイッチと第２の補助スイッチをそれぞれ１対のスイッチにて構成し、１対の第１の補助スイッチを導通させたときには回収コンデンサから回収インダクタの第１の巻線を通って基準電位に流れる電流が発生し、１対の第２の補助スイッチを導通させたときには回収コンデンサから１対の第１の補助スイッチを導通させたときに流れる電流とは逆方向に回収インダクタの第１の巻線を通って基準電位に流れる電流が発生するように構成してもよい。これにより、正方向のエネルギーを蓄積する回収インダクタの第１の巻線を負方向のエネルギーを蓄積する巻線としても使用することができる。
【００１９】
また、本発明のプラズマディスプレイ装置において、電力回収回路は、回収インダクタを、正方向の電流を流して正方向のエネルギーをあらかじめ蓄積しておくためのインダクタと、負方向の電流を流して負方向のエネルギーをあらかじめ蓄積しておくためのインダクタとに分けた構成としてもよい。これにより、正方向に蓄積するエネルギーと負方向に蓄積するエネルギーとを互いに独立して調整することができる。
【００２０】
また、本発明のプラズマディスプレイ装置において、維持パルス発生回路は、第１の補助スイッチおよびクランプ回路が有する接地電位側のスイッチを導通させたときに回収インダクタの第１の巻線に電流が流れ、第２の補助スイッチおよびクランプ回路が有する電源電位側のスイッチを導通させたときに回収インダクタの第２の巻線に電流が流れるように構成してもよい。これにより、回収インダクタに正方向のエネルギーおよび負方向のエネルギーを蓄積するときに流す電流をより急峻に増加させることができ、蓄積に要する時間を短縮することができる。
【００２１】
また、本発明のプラズマディスプレイ装置において、補助回路は、補助回路に用いる電源電位および基準電位を表示画像に応じて可変する構成としてもよい。これにより、所定の期間に回収インダクタに蓄積するエネルギーを表示画像に応じて変更することができる。例えば、表示画像が明るいときには、表示画像が暗いときよりも、回収インダクタに蓄積するエネルギーを高くすることで、表示画像が明るいときの維持パルスの立ち上がりを表示画像が暗いときの維持パルスの立ち上がりよりも急峻にすることができ、安定した駆動を行うことが可能となる。
【００２２】
また、本発明のプラズマディスプレイ装置において、補助回路は、第１の補助スイッチおよび第２の補助スイッチの導通期間を表示画像に応じて可変する構成としてもよい。この構成によっても、回収インダクタに蓄積するエネルギーを表示画像に応じて変更することができ、安定した駆動を行うことが可能となる。
【００２３】
また、本発明のプラズマディスプレイ装置は、表示電極対を構成する複数の走査電極および維持電極を有するプラズマディスプレイパネルの表示電極対に、初期化期間、書き込み期間および維持期間を有するサブフィールドの維持期間に維持パルスを交互に印加する維持パルス発生回路を備えたプラズマディスプレイ装置であって、維持パルス発生回路は、少なくとも３つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路と、表示電極対を電源電位および接地電位にクランプするクランプ回路と、補助スイッチを有する補助回路とを備え、補助回路は、補助スイッチを導通させたときには回収インダクタに負方向のエネルギーを蓄積するように構成するとともに、維持パルスの立ち下がりの直前には補助スイッチを導通させて回収インダクタに負方向のエネルギーを蓄積し、電力回収回路は、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。
【００２４】
また、本発明のプラズマディスプレイ装置において、維持パルス発生回路は、走査電極用維持パルス発生回路と維持電極用維持パルス発生回路とを備え、走査電極用維持パルス発生回路と維持電極用維持パルス発生回路との電力回収回路のＬＣ共振用の回収インダクタと回収コンデンサを共用してもよい。
【００２５】
また、本発明のプラズマディスプレイ装置において、電力回収回路の回収インダクタの第１の巻線は補助回路の補助スイッチに接続され、回収インダクタの第２の巻線は走査電極用維持パルス発生回路の回収インダクタとして、また回収インダクタの第３の巻線は維持電極用維持パルス発生回路の回収インダクタとして構成してもよい。
【００２６】
また、本発明のパネルの駆動方法は、表示電極対を構成する複数の走査電極および維持電極を有するパネルを、少なくとも２つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、表示電極対を電源電位および接地電位にクランプするクランプ回路、ならびに第１の補助スイッチと第２の補助スイッチとを有する補助回路を用い、初期化期間と書き込み期間と維持期間とを有する複数のサブフィールドの維持期間において維持パルスを発生させて表示電極対に交互に印加して駆動するパネルの駆動方法であって、補助回路を、第１の補助スイッチを導通させたときには回収インダクタに正方向のエネルギーを蓄積し、第２の補助スイッチを導通させたときには回収インダクタに負方向のエネルギーを蓄積するように構成し、維持パルスの立ち上がりの直前には第１の補助スイッチを導通させて回収インダクタに正方向のエネルギーをあらかじめ蓄積し、維持パルスの立ち下がりの直前には第２の補助スイッチを導通させて回収インダクタに負方向のエネルギーをあらかじめ蓄積しておいて、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。
【００２７】
これにより、維持パルスを立ち上げるときおよび立ち下げるときに電力回収回路と表示電極対の容量性負荷との間に流れる電流に、回収インダクタに蓄積されたエネルギーによる電流を付加できるので、回収インダクタと容量性負荷との共振周期を長くしてピーク電流を低減させることができ、消費電力の削減およびＥＭＩの低減が可能となる。また、回収インダクタにエネルギーを蓄積させる際に、必要最低限の回路だけに電流を流すので、消費電力を低減させるとともに不要な熱の発生を防止することができる。
【００２８】
また、本発明のパネルの駆動方法においては、第１の補助スイッチを導通させたときには回収コンデンサから回収インダクタの第１の巻線を通って基準電位に流れる電流を発生させ、第２の補助スイッチを導通させたときには回収コンデンサから回収インダクタの第２の巻線を通って基準電位に流れる電流を発生させてもよい。これにより、第１の補助スイッチを導通させたときには、回収コンデンサから回収インダクタの第１の巻線を通って基準電位に流れる電流を発生させ、回収インダクタに正方向のエネルギーを蓄積させることができ、第２の補助スイッチを導通させたときには、回収コンデンサから回収インダクタの第２の巻線を通って基準電位に流れる電流を発生させ、回収インダクタに負方向のエネルギーを蓄積させることができる。
【００２９】
また、本発明のパネルの駆動方法においては、補助回路に用いる電源電位および基準電位を表示画像に応じて制御してもよい。これにより、所定の期間に回収インダクタに蓄積するエネルギーを表示画像に応じて制御することができるので、例えば、表示画像が明るいときと暗いときとで回収インダクタに蓄積するエネルギーを変えて維持パルスの立ち上がりの急峻さを変えることができ、安定した駆動を行うことが可能となる。
【００３０】
また、本発明のパネルの駆動方法においては、回収インダクタに正方向のエネルギーを蓄積するために第１の補助スイッチを導通させる時間、および回収インダクタに負方向のエネルギーを蓄積するために第２の補助スイッチを導通させる時間を表示画像に応じて制御してもよい。これによっても、回収インダクタに蓄積するエネルギーを表示画像に応じて変更することができ、安定した駆動を行うことが可能となる。
【００３１】
また、本発明のパネルの駆動方法は、表示電極対を構成する複数の走査電極および維持電極を有するプラズマディスプレイパネルを、少なくとも３つ以上の巻線を有するＬＣ共振用の回収インダクタと電力回収用の回収コンデンサとを有し表示電極対の容量性負荷に蓄積された電力をＬＣ共振によって回収コンデンサに回収しその回収した電力を表示電極対の駆動に再利用する電力回収回路、表示電極対を電源電位および接地電位にクランプするクランプ回路、ならびに補助スイッチを有する補助回路を用い、初期化期間と書き込み期間と維持期間とを有する複数のサブフィールドの維持期間において維持パルスを発生させて表示電極対に交互に印加して駆動するプラズマディスプレイパネルの駆動方法であって、補助回路を、補助スイッチを導通させたときには回収インダクタに負方向のエネルギーを蓄積するように構成し、維持パルスの立ち下がりの直前には補助スイッチを導通させて回収インダクタに負方向のエネルギーをあらかじめ蓄積し、維持パルスの立ち上げ時および立ち下げ時に、電力回収回路と容量性負荷との間に流れる電流を、ＬＣ共振によって発生する電流に、回収インダクタにあらかじめ蓄積しておいたエネルギーにより発生する電流を付加した電流とすることを特徴とする。
【発明の効果】
【００３２】
本発明のプラズマディスプレイ装置およびプラズマディスプレイパネルの駆動方法によれば、維持パルスのエッジ特性を急峻にする補助回路により、パネルを高精細化して維持パルスの周期を短縮しても、クランプ期間の確保により安定して維持放電を発生させるとともに、ピーク電流の低減により消費電力およびＥＭＩを低減することが可能となる。
【図面の簡単な説明】
【００３３】
【図１】本発明の実施の形態１におけるパネルの構造を示す分解斜視図
【図２】本発明の実施の形態１におけるパネルの電極配列図
【図３】本発明の実施の形態１におけるパネルの各電極に印加する駆動電圧波形図
【図４】本発明の実施の形態１におけるプラズマディスプレイ装置の回路ブロック図
【図５】本発明の実施の形態１における維持パルス発生回路の回路ブロック図
【図６】本発明の実施の形態１における維持パルス発生回路の回路図
【図７】本発明の実施の形態１における維持パルス発生回路の動作を説明するためのタイミングチャート
【図８】本発明の実施の形態２における維持パルス発生回路の他の一例を示す回路図
【図９】本発明の実施の形態３における維持パルス発生回路の回路図
【図１０】本発明の実施の形態３における維持パルス発生回路の動作を説明するためのタイミングチャート
【図１１】本発明の実施の形態４における維持パルス発生回路の回路図
【図１２】本発明の実施の形態４における維持パルス発生回路の動作を説明するためのタイミングチャート
【図１３Ａ】本発明の実施の形態５における維持パルス発生回路の回路図
【図１３Ｂ】本発明の実施の形態５における維持パルス発生回路の回路図
【図１３Ｃ】本発明の実施の形態５における維持パルス発生回路の回路図
【図１３Ｄ】本発明の実施の形態５における維持パルス発生回路の回路図
【図１４】本発明の実施の形態５における維持パルス発生回路の動作を説明するためのタイミングチャート
【図１５】本発明の実施の形態６における補助回路の基準電位を可変した場合の波形図
【図１６】本発明の実施の形態６における正方向補助スイッチの導通期間を可変した場合の波形図
【発明を実施するための形態】
【００３４】
以下、本発明を実施するための最良の形態に関するいくつかの例について、図面を参照しながら説明する。図面において、実質的に同一の構成、動作、および効果を表す要素については、同一の符号を付す。また、以下において記述される数字は、すべて本発明を具体的に説明するために例示するものであり、本発明は例示された数字に制限されない。さらに、オン／オフにより表されるスイッチング状態は、本発明を具体的に説明するために例示するものであり、例示されたスイッチング状態が異なる組み合わせで、同等な結果を得ることも可能である。また、構成要素間の接続関係は、本発明を具体的に説明するために例示するものであり、本発明の機能を実現する接続関係はこれに限定されない。
【００３５】
（実施の形態１）
図１は、パネル１０の構造を示す分解斜視図である。ガラス製の前面板２１上には、１対の走査電極２２と維持電極２３とからなる表示電極対２４を互いに平行に複数形成している。そして走査電極２２と維持電極２３とを覆うように誘電体層２５を形成し、その誘電体層２５上に保護層２６を形成している。
【００３６】
また、保護層２６は、ＭｇＯ（酸化マグネシウム）を主成分とする材料で形成している。ＭｇＯは、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れている。
【００３７】
背面板３１上にはデータ電極３２を互いに平行に複数形成し、データ電極３２を覆うように誘電体層３３を形成し、さらにその上に井桁状の隔壁３４を形成している。そして、隔壁３４の側面および誘電体層３３上には赤色（Ｒ）、緑色（Ｇ）および青色（Ｂ）の各色に発光する蛍光体層３５を設けている。
【００３８】
これら前面板２１と背面板３１とは、微小な放電空間を挟んで表示電極対２４とデータ電極３２とが立体交差するように対向配置し、その外周部をガラスフリット等の封着材によって封着している。そして、内部の放電空間には、ネオンとキセノンの混合ガスを放電ガスとして封入している。一例では、発光効率を向上させるために、キセノン分圧を大略１０％とした放電ガスを用いている。放電空間は隔壁３４によって複数の区画に仕切られており、表示電極対２４とデータ電極３２とが交差する部分に放電セルが形成されている。そして各放電セル内でガス放電により紫外線を発生させ、この紫外線でＲ、ＧおよびＢの各色の蛍光体を励起発光させることにより画像のカラー表示を行っている。
【００３９】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００４０】
図２は、パネル１０の電極配列図である。パネル１０には、行方向に長いｎ本の走査電極ＳＣ１、ＳＣ２、・・・、ＳＣｎ（図１の走査電極２２と同一であり、以降では走査電極ＳＣ１〜ＳＣｎと記す）およびｎ本の維持電極ＳＵ１、ＳＵ２、・・・、ＳＵｎ（図１の維持電極２３と同一であり、以降では維持電極ＳＵ１〜ＳＵｎと記す）が配列され、列方向に長いｍ本のデータ電極Ｄ１、Ｄ２、・・・、Ｄｍ（図１のデータ電極３２と同一であり、以降ではデータ電極Ｄ１〜Ｄｍと記す）が配列されている。そして、１対の走査電極ＳＣｉ（ｉ＝１〜ｎ）および維持電極ＳＵｉと１つのデータ電極Ｄｊ（ｊ＝１〜ｍ）とが交差した放電空間内に、放電セルがｍ×ｎ個形成されている。
【００４１】
次に、パネル１０を駆動するための駆動電圧波形とその動作の概要について説明する。プラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書き込み期間、および維持期間を有する。
【００４２】
各サブフィールドにおいて、初期化期間では初期化放電を発生し、続く書き込み放電に必要な壁電荷を各電極上に形成する。加えて、放電遅れを小さくし書き込み放電を安定して発生させるためのプライミング粒子（放電のための起爆剤＝励起粒子）を発生させるという働きを持つ。このときの初期化動作には、すべての放電セルで初期化放電を発生させる全セル初期化動作と、直前のサブフィールドで維持放電を行った放電セルだけで選択的に初期化放電を発生させる選択初期化動作とがある。
【００４３】
書き込み期間では、後に続く維持期間において発光させるべき放電セルで選択的に書き込み放電を発生し、壁電荷を形成する。そして維持期間では、輝度重みに比例した数の維持パルスを表示電極対２４に交互に印加して、書き込み放電を発生した放電セルで維持放電を発生させて発光させる。このとき、維持パルスの数と輝度重みとの比を表す比例定数を、「輝度倍率」と呼ぶ。
【００４４】
１フィールドは、１０個のサブフィールドＳＦ１、ＳＦ２、・・・、ＳＦ１０）で構成され、サブフィールドはそれぞれ、例えば１、２、３、６、１１、１８、３０、４４、６０、８０の輝度重みを有する。そして、サブフィールドＳＦ１の初期化期間では全セル初期化動作を行い、各サブフィールドＳＦ２〜ＳＦ１０の初期化期間では選択初期化動作を行うものとする。これにより、画像の表示に関係のない発光は、サブフィールドＳＦ１における全セル初期化動作の放電にともなう発光のみとなる。黒表示領域の輝度を表す黒輝度は、維持放電を発生させず、全セル初期化動作における微弱発光だけとなるので、コントラストの高い画像表示が可能となる。また、各サブフィールドの維持期間においては、それぞれのサブフィールドの輝度重みに所定の輝度倍率を乗じた数の維持パルスを、表示電極対２４のそれぞれに印加する。
【００４５】
しかし、サブフィールド数および各サブフィールドの輝度重みは、上述した値に限定されるものではなく、また、画像信号等に基づいてサブフィールド構成を切り替える構成であってもよい。
【００４６】
図３は、パネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）と、選択初期化動作を行うサブフィールド（以下、「選択初期化サブフィールド」と呼称する）とを示しているが、他のサブフィールドにおける駆動電圧波形もほぼ同様である。また、以下における走査電極ＳＣｉ、維持電極ＳＵｉ、データ電極Ｄｊは、各電極の中から画像データに基づき選択された電極を表す。
【００４７】
まず、全セル初期化サブフィールドであるサブフィールドＳＦ１について説明する。
【００４８】
サブフィールドＳＦ１の初期化期間前半部では、データ電極Ｄ１〜Ｄｍ、維持電極ＳＵ１〜ＳＵｎにそれぞれ０（Ｖ）を印加し、走査電極ＳＣ１〜ＳＣｎには、維持電極ＳＵ１〜ＳＵｎに対して放電開始電圧以下の正の電圧Ｖｉ１から、放電開始電圧を超える正の電圧Ｖｉ２に向かって緩やかに上昇する傾斜波形電圧（以下、「上りランプ波形電圧」と呼称する）を印加する。
【００４９】
この上りランプ波形電圧が上昇する間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部に負の壁電圧が蓄積されるとともに、データ電極Ｄ１〜Ｄｍ上部および維持電極ＳＵ１〜ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００５０】
初期化期間後半部では、維持電極ＳＵ１〜ＳＵｎには正の電圧Ｖｅ１を印加し、データ電極Ｄ１〜Ｄｍには０（Ｖ）を印加し、走査電極ＳＣ１〜ＳＣｎには、維持電極ＳＵ１〜ＳＵｎに対して放電開始電圧以下となる正の電圧Ｖｉ３から、放電開始電圧を超える大きさの負の電圧Ｖｉ４に向かって緩やかに下降する傾斜波形電圧（以下、「下りランプ波形電圧」と呼称する）を印加する。この間に、走査電極ＳＣ１〜ＳＣｎと維持電極ＳＵ１〜ＳＵｎ、およびデータ電極Ｄ１〜Ｄｍとの間で、それぞれ微弱な初期化放電が持続して起こる。そして、走査電極ＳＣ１〜ＳＣｎ上部の負の壁電圧および維持電極ＳＵ１〜ＳＵｎ上部の正の壁電圧が弱められ、データ電極Ｄ１〜Ｄｍ上部の正の壁電圧は書き込み動作に適した値に調整される。以上により、すべての放電セルに対して初期化放電を行う全セル初期化動作が終了する。
【００５１】
なお、図３のサブフィールドＳＦ２の初期化期間に示したように、初期化期間の前半部を省略した駆動電圧波形を各電極に印加してもよい。すなわち、維持電極ＳＵ１〜ＳＵｎに正の電圧Ｖｅ１を、データ電極Ｄ１〜Ｄｍに０（Ｖ）をそれぞれ印加し、走査電極ＳＣ１〜ＳＣｎに放電開始電圧以下となる大きさの電圧（例えば、接地電位）から、負の電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｊ（ｊ＝１〜ｍ）上部に十分な正の壁電圧が蓄積されている放電セルでは、この壁電圧の過剰な部分が放電され書き込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００５２】
続く書き込み期間では、まず維持電極ＳＵ１〜ＳＵｎに電圧Ｖｅ２を、正の走査電極ＳＣ１〜ＳＣｎに正の電圧Ｖｃを印加する。
【００５３】
そして、１行目の走査電極ＳＣ１に負の走査パルス電圧Ｖａを印加するとともに、データ電極Ｄ１〜Ｄｍのうち１行目に発光させるべき放電セルのデータ電極Ｄｊ（ｊ＝１〜ｍ）に、正の書き込みパルス電圧Ｖｄを印加する。このときデータ電極Ｄｊ上と走査電極ＳＣ１上との交差部の電圧差は、外部印加電圧の差（Ｖｄ−Ｖａ）に、データ電極Ｄｊ上の壁電圧と走査電極ＳＣ１上の壁電圧との差を加算したものとなり、放電開始電圧を超える。これにより、データ電極Ｄｊと走査電極ＳＣ１との間に放電が発生する。また、維持電極ＳＵ１〜ＳＵｎに正の電圧Ｖｅ２を印加しているため、維持電極ＳＵ１上と走査電極ＳＣ１上との電圧差は、外部印加電圧の差である（Ｖｅ２−Ｖａ）に、維持電極ＳＵ１上の壁電圧と走査電極ＳＣ１上の壁電圧との差を加算したものとなる。このとき、電圧Ｖｅ２を、放電開始電圧をやや下回る程度の電圧値に設定することで、維持電極ＳＵ１と走査電極ＳＣ１との間の空間を、放電には至らないが放電が発生しやすい状態とすることができる。これにより、データ電極Ｄｊと走査電極ＳＣ１との間に発生する放電を引き金にして、データ電極Ｄｊと交差する領域にある維持電極ＳＵ１と走査電極ＳＣ１との間に放電を発生させることができる。こうして、発光させるべき放電セルに書き込み放電が起こり、走査電極ＳＣ１上に正の壁電圧が蓄積され、維持電極ＳＵ１上に負の壁電圧が蓄積され、データ電極Ｄｊ上にも負の壁電圧が蓄積される。
【００５４】
このようにして、１行目に発光させるべき放電セルで書き込み放電を起こし、各電極上に壁電圧を蓄積する書き込み動作が行われる。一方、書き込みパルス電圧Ｖｄを印加しなかったデータ電極Ｄ１〜Ｄｍと走査電極ＳＣ１との交差部の電圧は放電開始電圧を超えないので、書き込み放電は発生しない。以上の書き込み動作をｎ行目の放電セルに至るまで行い、書き込み期間が終了する。
【００５５】
続く維持期間では、まず走査電極ＳＣ１〜ＳＣｎに正の維持パルス電圧Ｖｓを印加するとともに維持電極ＳＵ１〜ＳＵｎに接地電位、すなわち０（Ｖ）を印加する。すると書き込み放電を起こした放電セルでは、走査電極ＳＣｉ上と維持電極ＳＵｉ上との電圧差が、維持パルス電圧Ｖｓに、走査電極ＳＣｉ上の壁電圧と維持電極ＳＵｉ上の壁電圧との差を加算したものとなり、放電開始電圧を超える。
【００５６】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｊ上にも正の壁電圧が蓄積される。書き込み期間において書き込み放電が起きなかった放電セルでは維持放電は発生せず、初期化期間の終了時における壁電圧が保たれる。
【００５７】
続いて、走査電極ＳＣ１〜ＳＣｎには基準電位となる０（Ｖ）を、維持電極ＳＵ１〜ＳＵｎには正の維持パルス電圧Ｖｓをそれぞれ印加する。すると、維持放電を起こした放電セルでは、維持電極ＳＵｉ上と走査電極ＳＣｉ上との電圧差が放電開始電圧を超える。そのため、再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜ＳＣｎと維持電極ＳＵ１〜ＳＵｎとに交互に輝度重みに輝度倍率を乗じた数の維持パルスを印加し、表示電極対２４の電極間に電位差を与える。これにより、書き込み期間において書き込み放電を起こした放電セルで維持放電が継続して行われる。
【００５８】
そして、維持期間の最後には、走査電極ＳＣ１〜ＳＣｎに、基準電位となる０（Ｖ）から、正の電圧Ｖｅｒｓに向かって緩やかに上昇する傾斜波形電圧（以下、「消去ランプ波形電圧」と呼称する）を印加する。これにより、微弱な放電を持続して発生させ、データ電極Ｄｊ上の正の壁電圧を残したまま、走査電極ＳＣｉおよび維持電極ＳＵｉ上の壁電圧の一部または全部を消去している。
【００５９】
具体的には、維持電極ＳＵ１〜ＳＵｎを０（Ｖ）に戻した後、基準電位となる０（Ｖ）から、放電開始電圧を超える正の電圧Ｖｅｒｓに向かって上昇する消去ランプ波形電圧を発生させ、走査電極ＳＣ１〜ＳＣｎに印加する。すると、維持放電を起こした放電セルの維持電極ＳＵｉと走査電極ＳＣｉとの間で微弱な放電が発生する。そして、この微弱な放電は、走査電極ＳＣ１〜ＳＣｎへの印加電圧が上昇する期間、持続して発生する。
【００６０】
このとき、この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｊ上の正の壁電荷を残したまま、走査電極ＳＣ１〜ＳＣｎ上と維持電極ＳＵ１〜ＳＵｎ上との間の壁電圧は、走査電極ＳＣｉに印加した電圧と放電開始電圧との差、すなわち（電圧Ｖｅｒｓ−放電開始電圧）の程度まで弱められる。以下、この消去ランプ波形電圧によって発生させる維持期間の最後の放電を「消去放電」と呼称する。
【００６１】
続くサブフィールドの動作は、維持期間の維持パルスの数を除いて上述の動作とほぼ同様であるため説明を省略する。以上が、パネル１０の各電極に印加する駆動電圧波形の概要である。
【００６２】
後述するように、補助回路の働きにより、維持パルスを発生させる際のピーク電流を削減し、無効電力の削減およびＥＭＩ（Ｅｌｅｃｔｒｏ  Ｍａｇｎｅｔｉｃ  Ｉｎｔｅｒｆｅｒｅｎｃｅ：電磁妨害）の低減と安定した維持放電とを両立させている。
【００６３】
次に、プラズマディスプレイ装置の構成について説明する。図４は、プラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００６４】
画像信号処理回路４１は、入力された画像信号ＳＩＧをサブフィールド毎の発光・非発光を示す画像データＳ４１に変換する。データ電極駆動回路４２はサブフィールド毎の画像データＳ４１を各データ電極Ｄ１〜Ｄｍに対応するデータ電極駆動信号Ｓ４２に変換し、各データ電極Ｄ１〜Ｄｍを駆動する。
【００６５】
タイミング発生回路４５は、画像信号ＳＩＧの水平同期信号Ｈおよび垂直同期信号Ｖを表す画像同期信号ＳＩＮＣに基づいて、走査電極駆動回路４３の動作を制御する各種のタイミング信号Ｓ４５を発生し、走査電極駆動回路４３へ供給する。タイミング発生回路４５は、同様に画像同期信号ＳＩＮＣに基づいて、維持電極駆動回路４４の動作を制御する各種のタイミング信号Ｓ４５Ａを発生し、維持電極駆動回路４４へ供給する。
【００６６】
走査電極駆動回路４３は、初期化波形発生回路（図示せず）、維持パルス発生回路５０、および走査パルス発生回路（図示せず）を有する。初期化波形発生回路は、初期化期間において走査電極ＳＣ１〜ＳＣｎに印加する初期化波形電圧を発生する。維持パルス発生回路５０は、維持期間において走査電極ＳＣ１〜ＳＣｎに印加する維持パルスを発生する。走査パルス発生回路は、書き込み期間において走査電極ＳＣ１〜ＳＣｎに印加する走査パルス電圧を発生する。走査電極駆動回路４３は、タイミング発生回路４５から出力されるタイミング信号Ｓ４５に基づいて走査電極駆動信号Ｓ４３を生成し、各走査電極ＳＣ１〜ＳＣｎを駆動する。維持電極駆動回路４４は、維持パルス発生回路６０と、電圧Ｖｅ１および電圧Ｖｅ２を発生するための回路とを備え、同様にタイミング信号Ｓ４５Ａに基づいて維持電極駆動信号Ｓ４４を生成し、各維持電極ＳＵ１〜ＳＵｎを駆動する。
【００６７】
次に、維持パルス発生回路５０および維持パルス発生回路６０の詳細とその動作について説明する。図５は、維持パルス発生回路５０および維持パルス発生回路６０の回路ブロック図である。図５においてパネル１０は電極間容量Ｃｐとして示し、走査パルス発生回路および初期化波形発生回路は省略している。
【００６８】
維持パルス発生回路５０は、電力回収回路５１、クランプ回路５２、および補助回路５３を備えている。電力回収回路５１は、表示電極対２４の容量性負荷である電極間容量Ｃｐに蓄積された電力を、ＬＣ共振によって回収コンデンサに回収し、その回収した電力を走査電極ＳＣ１〜ＳＣｎの駆動に再利用する。クランプ回路５２は、走査電極ＳＣ１〜ＳＣｎを電圧Ｖｓおよび接地電位にクランプする。補助回路５３は、走査電極ＳＣ１〜ＳＣｎを駆動する際に電力回収回路５１が備える回収コンデンサから走査電極ＳＣ１〜ＳＣｎに流れる電流と、電極間容量Ｃｐから回収コンデンサに流れる電流とを補助的に制御する。補助回路５３、電力回収回路５１、およびクランプ回路５２は、初期化波形発生回路および走査パルス発生回路を介して、パネル１０の電極間容量Ｃｐの一端である走査電極ＳＣ１〜ＳＣｎに接続されている。維持期間の間、走査電極ＳＣ１〜ＳＣｎに対して、維持パルス発生回路５０は電気的に短絡状態となり、初期化波形発生回路および走査パルス発生回路は電気的に開放状態となる。このため、初期化波形発生回路および走査パルス発生回路は図面では省略されている。
【００６９】
維持パルス発生回路６０も、維持パルス発生回路５０と同様に、電力回収回路６１、クランプ回路６２、および補助回路６３を備えている。補助回路６３、電力回収回路６１、およびクランプ回路６２は、パネル１０の電極間容量Ｃｐの一端である維持電極ＳＵ１〜ＳＵｎに接続されている。
【００７０】
また、維持電極駆動回路４４は、さらに電源ＶＥ１、スイッチング素子Ｑ２６、スイッチング素子Ｑ２７、電源ＤＶＥ、ダイオードＤ３０、コンデンサＣ３０、スイッチング素子Ｑ２８、およびスイッチング素子Ｑ２９を備える。電源ＶＥ１は、電圧Ｖｅ１を発生する。スイッチング素子Ｑ２６およびスイッチング素子Ｑ２７は、電圧Ｖｅ１の維持電極ＳＵ１〜ＳＵｎへの印加をオン／オフする。電源ＤＶＥは、電圧ＤＶｅを発生する。ダイオードＤ３０は、電源ＶＥ１へ逆流する電流を防止する。コンデンサＣ３０は、電圧Ｖｅ１に電圧ＤＶｅを積み上げるチャージポンプの動作を行う。スイッチング素子Ｑ２８およびスイッチング素子Ｑ２９は、電圧Ｖｅ１に電圧ＤＶｅを積み上げて電圧Ｖｅ２とする。
【００７１】
例えば、図３に示した電圧Ｖｅ１を印加するタイミングでは、スイッチング素子Ｑ２６およびスイッチング素子Ｑ２７を導通させ、維持電極ＳＵ１〜ＳＵｎに、ダイオードＤ３０、スイッチング素子Ｑ２６、およびスイッチング素子Ｑ２７を介して、正の電圧Ｖｅ１を印加する。このときスイッチング素子Ｑ２８を導通させ、コンデンサＣ３０の電圧が電圧Ｖｅ１になるように充電しておく。また、図３に示した電圧Ｖｅ２を印加するタイミングでは、スイッチング素子Ｑ２６およびスイッチング素子Ｑ２７を導通させたまま、スイッチング素子Ｑ２８を遮断させるとともにスイッチング素子Ｑ２９を導通させる。そして、コンデンサＣ３０の電圧に電圧ＤＶｅを重畳し、維持電極ＳＵ１〜ＳＵｎに電圧Ｖｅ１＋ＤＶｅ、すなわち電圧Ｖｅ２を印加する。このとき、逆流防止用のダイオードＤ３０の働きにより、コンデンサＣ３０から電源ＶＥ１への電流は遮断される。
【００７２】
なお、電圧Ｖｅ１および電圧Ｖｅ２を印加する回路については、図５に示した回路に限定されるものではなく、例えば、電圧Ｖｅ１を発生させる電源と電圧Ｖｅ２を発生させる電源とそれぞれの電圧を維持電極ＳＵ１〜ＳＵｎに印加するための複数のスイッチング素子とを用いて、それぞれの電圧を必要なタイミングで維持電極ＳＵ１〜ＳＵｎに印加する構成とすることもできる。
【００７３】
続いて、補助回路５３、電力回収回路５１、およびクランプ回路５２の詳細とその動作について説明する。図６は、維持パルス発生回路５０の回路図である。
【００７４】
電位は、回路上の任意の測定点において、接地端子との間の正、０、および負の電圧を表す。電源ＶＳ１は、電位Ｖｓおよび基準電位（例えば接地電位）を、維持パルス発生回路５０および維持パルス発生回路６０へ供給する。維持パルス発生回路５０は、維持期間において、電位Ｖｓおよび基準電位で特定される維持パルスを、走査電極駆動信号Ｓ４３を介して走査電極ＳＣ１〜ＳＣｎへ供給する。維持パルス発生回路６０は、維持期間において、電位Ｖｓおよび基準電位で特定される維持パルスを、維持電極駆動信号Ｓ４４を介して維持電極ＳＵ１〜ＳＵｎへ供給する。維持期間において走査電極駆動信号Ｓ４３は、維持電極駆動信号Ｓ４４が電位Ｖｓの場合、基準電位となり、維持電極駆動信号Ｓ４４が基準電位の場合、電位Ｖｓとなる。したがって維持期間において、走査電極ＳＣ１〜ＳＣｎと維持電極ＳＵ１〜ＳＵｎとの間にそれぞれ構成されるｎ個の電極間容量Ｃｐの両端には、正の電圧Ｖｓと負の電圧−Ｖｓが交互に供給される。ここで電位Ｖｓおよび基準電位は、接地電位（０Ｖ）との間の正、０、および負の電圧を表す意味で、それぞれ電圧Ｖｓおよび基準電圧（例えば０Ｖ）とも呼ばれる。
【００７５】
維持パルス発生回路５０から電極間容量Ｃｐへ電流が流れる方向は正方向と呼ばれ、逆に電極間容量Ｃｐから維持パルス発生回路５０へ電流が流れる方向は負方向と呼ばれる。さらに、正方向に流れる電流を生成するエネルギー（または電力）は正方向のエネルギー（または電力）と呼ばれ、負方向に流れる電流を生成するエネルギー（または電力）は負方向のエネルギー（または電力）と呼ばれる。正方向は供給方向とも呼ばれ、負方向は回収方向とも呼ばれる。
【００７６】
ここで図６を参照して、維持パルス発生回路５０の構成の概要を説明する。維持パルス発生回路５０は、主電力および補助電力を用いて、電極間容量Ｃｐを駆動する。維持パルス発生回路５０は、電力回収回路５１および補助回路５３を含む。電力回収回路５１は、コンデンサＣ１０およびインダクタＬ１０ａを含む。コンデンサＣ１０は、主電力を充放電可能である。電力回収回路５１は、電極間容量ＣｐとインダクタＬ１０ａとのＬＣ共振に基づいて、電極間容量ＣｐからインダクタＬ１０ａを経由してコンデンサＣ１０へ主電力を回収し、回収された主電力をコンデンサＣ１０からインダクタＬ１０ａを経由して電極間容量Ｃｐへ供給する。補助回路５３は、インダクタＬ１０ｂおよびインダクタＬ１０ｃを含む。インダクタＬ１０ｂおよびインダクタＬ１０ｃは、補助電力を充放電可能である。インダクタＬ１０ａは、相互誘導によりインダクタＬ１０ｂおよびインダクタＬ１０ｃに結合され、インダクタＬ１０ｂおよびインダクタＬ１０ｃからの補助電力を充放電可能である。これにより、電力回収回路５１は、主電力に補助電力を追加し、主電力の回収動作および供給動作を急峻にする。
【００７７】
補助回路５３は、主電力が回収開始される直前に、インダクタＬ１０ａを回収方向に充電するように、インダクタＬ１０ｃにおいて補助電力を充電し、電力回収回路５１は、主電力が回収開始されると、主誘導部において回収方向に充電された補助電力を回収方向に放電する。さらに、補助回路５３は、主電力が供給開始される直前に、インダクタＬ１０ａを供給方向に充電するように、インダクタＬ１０ｂにおいて補助電力を充電する。電力回収回路５１は、主電力が供給開始されると、主誘導部において供給方向に充電された補助電力を供給方向に放電する。
【００７８】
別の観点によれば、電力回収回路５１および補助回路５３の構成は、以下のように説明することができる。電力回収回路５１および補助回路５３は、コンデンサＣ１０、インダクタＬ１０ｂおよびインダクタＬ１０ｃ、インダクタＬ１０ａ、回収経路、供給経路、回収充電経路、回収放電経路、供給充電経路、ならびに供給放電経路を含む。コンデンサＣ１０は、主電力を充放電可能である。インダクタＬ１０ｂおよびインダクタＬ１０ｃは、補助電力を充電可能である。インダクタＬ１０ａは、相互誘導によりインダクタＬ１０ｂおよびインダクタＬ１０ｃに結合され、インダクタＬ１０ｂおよびインダクタＬ１０ｃからの補助電力を充放電可能であり、電極間容量ＣｐとＬＣ共振する。回収経路は、ＬＣ共振に基づいて、電極間容量ＣｐからインダクタＬ１０ａを経由してコンデンサＣ１０へ、主電力を回収する経路である。供給経路は、ＬＣ共振に基づいて、コンデンサＣ１０からインダクタＬ１０ａを経由して電極間容量Ｃｐへ、回収された主電力を供給する経路である。回収充電経路は、インダクタＬ１０ｃを経由する経路であって、インダクタＬ１０ａを回収方向に充電するように、すなわち主電力の回収動作を強める方向に、インダクタＬ１０ｃに補助電力を充電する経路である。回収放電経路は、インダクタＬ１０ａを経由する経路であって、インダクタＬ１０ａにおいて回収方向に充電された補助電力を、回収方向に放電する経路である。供給充電経路は、インダクタＬ１０ｂを経由する経路であって、インダクタＬ１０ａを供給方向に充電するように、すなわち主電力の供給動作を強める方向に、インダクタＬ１０ｂに補助電力を充電する経路である。供給放電経路は、インダクタＬ１０ａを経由する経路であって、インダクタＬ１０ａにおいて供給方向に充電された補助電力を、供給方向に放電する経路である。回収経路は、回収充電経路から実質的に分離され、回収放電経路と実質的に一致する。供給経路は、供給充電経路から実質的に分離され、供給放電経路と実質的に一致する。
【００７９】
インダクタＬ１０ｃは、主電力が回収開始される直前に、補助電力を回収方向に充電し、インダクタＬ１０ａは、主電力が回収開始されると、回収方向に充電された補助電力を回収方向に放電する。インダクタＬ１０ｂは、主電力が供給開始される直前に、補助電力を供給方向に充電する。インダクタＬ１０ａは、主電力が供給開始されると、供給方向に充電された補助電力を供給方向に放電する。
【００８０】
維持パルス発生回路５０は、クランプ回路５２を含む。クランプ回路５２は、電位Ｖｓを供給する電源ＶＳ１により、電極間容量Ｃｐの走査電極ＳＣ１〜ＳＣｎを電位Ｖｓに保持し、基準電位を供給する基準電源ＧＮＤ１により、電極間容量Ｃｐの走査電極ＳＣ１〜ＳＣｎを基準電位に保持（すなわちクランプ）する。電源ＶＳ１の投入時点から所定期間経過後の定常状態においては、電力回収回路５１がほとんどの主電力の回収および供給を行う。クランプ回路５２は、定常状態において、走査電極ＳＣ１〜ＳＣｎを電位Ｖｓおよび基準電位に保持することにより、主電力のわずかな不足分を走査電極ＳＣ１〜ＳＣｎに供給する。
【００８１】
電極間容量Ｃｐは、容量性負荷の一例である。電力回収回路５１は電力循環回路の一例であり、クランプ回路５２は保持回路の一例である。基準電源ＧＮＤ１は、基準端子とも呼ばれる。基準端子は、例えば接地端子のことを指す。電源ＶＳ１の電位Ｖｓは主電位とも呼ばれ、基準電源ＧＮＤ１の電位は基準電位とも呼ばれる。基準電位は、一例では接地電位に等しい。コンデンサＣ１０は、回収コンデンサまたは主容量部の一例である。インダクタＬ１０ａは、回収インダクタまたは主誘導部の一例である。インダクタＬ１０ｂおよびインダクタＬ１０ｃを含むインダクタは、補助インダクタまたは補助誘導部の一例である。なお、主容量部は、複数のコンデンサで構成されてもよいし、主誘導部および補助誘導部は、それぞれ複数のインダクタにより構成されてもよい。
【００８２】
以下、具体的な構成について、さらに詳細に説明する。
【００８３】
電力回収回路５１は、コンデンサＣ１０、スイッチング素子Ｑ１１、スイッチング素子Ｑ１２、ダイオードＤ１１、ダイオードＤ１２、およびインダクタＬ１０ａを有している。スイッチング素子Ｑ１１は、回収コンデンサＣ１０から走査電極ＳＣ１〜ＳＣｎへの電力供給時に導通させる。スイッチング素子Ｑ１２は、走査電極ＳＣ１〜ＳＣｎから回収コンデンサＣ１０への電力回収時に導通させる。ダイオードＤ１１は、回収コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。
【００８４】
コンデンサＣ１０の一方の端子は、端子ＧＮＤ１に接続され、基準電位である接地電位にされる。また、互いに直列に接続されたスイッチング素子Ｑ１１およびダイオードＤ１１と、互いに直列に接続されたスイッチング素子Ｑ１２およびダイオードＤ１２とが、電流を流す向きが互いに逆方向になるように並列に接続される。それとともに、この並列に接続された回路を間に挟んで、コンデンサＣ１０の他方の端子（すなわちＢ点）とインダクタＬ１０ａの一方の端子とが直列に接続され、インダクタＬ１０ａの他方の端子が走査電極ＳＣ１〜ＳＣｎに接続される。スイッチング素子Ｑ１１、ダイオードＤ１１、スイッチング素子Ｑ１２、およびダイオードＤ１２を含む回路は、双方向スイッチとも呼ばれる。
【００８５】
電力回収回路５１は、回収インダクタＬ１０ａと電極間容量ＣｐとをＬＣ共振させて、維持パルスの立ち上がりおよび立ち下がりのエッジ動作を行う。このように、電力回収回路５１は、回収インダクタＬ１０ａと電極間容量ＣｐとのＬＣ共振によって走査電極ＳＣ１〜ＳＣｎの駆動を行う。電力回収用のコンデンサＣ１０は電極間容量Ｃｐに比べて十分に大きい容量を持ち、また、電力回収回路５１の電源として働くように、コンデンサＣ１０の電圧は電圧値Ｖｓの半分の大略Ｖｓ／２に充電されている。すなわち、コンデンサＣ１０の一方の端子は接地電位にされ、他方の端子（すなわちＢ点）は電位ＶＢ（＝Ｖｓ／２）にされる。
【００８６】
クランプ回路５２は、スイッチング素子Ｑ１３およびスイッチング素子Ｑ１４を有している。走査電極ＳＣ１〜ＳＣｎは、スイッチング素子Ｑ１３を介して電源ＶＳ１に接続され、スイッチング素子Ｑ１４を介して接地端子ＧＮＤ１に接続される。クランプ回路５２は、スイッチング素子Ｑ１３がオンされる場合、走査電極ＳＣ１〜ＳＣｎを電位Ｖｓにクランプし、スイッチング素子Ｑ１４がオンされる場合、走査電極ＳＣ１〜ＳＣｎを電位０（Ｖ）にクランプする。したがって、クランプ回路５２による電圧印加時のインピーダンスは小さく、強い維持放電による大きな放電電流を安定して流すことができる。
【００８７】
補助回路５３は、スイッチング素子Ｑ１５、スイッチング素子Ｑ１６、インダクタＬ１０ｂ、およびインダクタＬ１０ｃを有する。スイッチング素子Ｑ１５は、インダクタＬ１０ｂに電流ＪＱ１５を流すときに導通させる補助スイッチである。スイッチング素子Ｑ１６は、インダクタＬ１０ｃに電流ＪＱ１６を流すときに導通させる補助スイッチである。インダクタＬ１０ａ、インダクタＬ１０ｂ、およびインダクタＬ１０ｃは、相互インダクタＬ１０を構成する。相互インダクタＬ１０は、変成器またはトランスとも呼ばれ、また広義的に回収インダクタとも呼ばれる（上述したように回収インダクタは、狭義的にはインダクタＬ１０ａのみを指し、以下の説明でも断らない限り、回収インダクタはインダクタＬ１０ａのみとする）。インダクタＬ１０ｂとインダクタＬ１０ｃとの直列接続によるインダクタは、補助誘導部または補助インダクタの一例である。各インダクタＬ１０ｂ、Ｌ１０ｃは、副補助誘導部または副補助インダクタの一例である。相互インダクタＬ１０のうち、インダクタＬ１０ａは電力回収回路５１に含まれ、主誘導部として動作し、インダクタＬ１０ｂおよびインダクタＬ１０ｃは補助回路５３に含まれ、補助誘導部として動作する。
【００８８】
スイッチング素子Ｑ１５の一方の端子は、インダクタＬ１０ｂの一方の端子に接続され、スイッチング素子Ｑ１５の他方の端子は接地端子ＧＮＤ２（基準端子とも呼ぶ）に接続され、基準電位である接地電位にされる。また、スイッチング素子Ｑ１６の一方の端子はインダクタＬ１０ｃの一方の端子に接続され、スイッチング素子Ｑ１６の他方の端子は接地端子ＧＮＤ２に接続され、基準電位である接地電位にされる。さらに、インダクタＬ１０ｂの他方の端子とインダクタＬ１０ｃの他方の端子との接続点は、コンデンサＣ１０の他方の端子（すなわちＢ点）に接続される。
【００８９】
インダクタＬ１０ａ、インダクタＬ１０ｂ、およびインダクタＬ１０ｃは、それぞれ自己誘導により所定の自己インダクタンスを有する。さらに、補助インダクタ（Ｌ１０ｂ、Ｌ１０ｃ）と回収インダクタＬ１０ａとは、相互誘導により互いに磁気的に結合され、所定の相互インダクタンスを有する。この相互インダクタンスの符号は、相互誘導を生成する磁気コアの構造と、各インダクタＬ１０ａ、Ｌ１０ｂ、Ｌ１０ｃのコイルの巻き方向とによって決定される。図６では、相互インダクタＬ１０は、補助インダクタ（Ｌ１０ｂ、Ｌ１０ｃ）のコイルと回収インダクタＬ１０ａのコイルとを、棒状の磁気コアに同方向に巻くように構成されている。相互インダクタＬ１０は、図６の構成に限らず、例えばトロイダル形状の磁気コアを用い、各コイルの巻き方向を必要に応じて変更することにより、図６の構成と同様に動作させることが可能である。
【００９０】
インダクタＬ１０ｂにおいて、電流ＪＱ１５がコンデンサＣ１０からスイッチング素子Ｑ１５の方向へ流れることにより、回収インダクタＬ１０ａには正方向の電流ＪＬ１０ａが流れる。他方、インダクタＬ１０ｃにおいて、電流ＪＱ１６がコンデンサＣ１０からスイッチング素子Ｑ１６の方向へ流れるにことにより、回収インダクタＬ１０ａには負方向の電流ＪＬ１０ａが流れる。補助インダクタ（Ｌ１０ｂ、Ｌ１０ｃ）に流れる電流または補助インダクタに発生するエネルギー（または電力）により、回収インダクタＬ１０ａに正方向の電流またはエネルギー（または電力）が生成される場合、補助インダクタに流れる電流または補助インダクタに発生するエネルギー（または電力）の方向は、正方向（または供給方向）と呼ばれる。逆に、補助インダクタ（Ｌ１０ｂ、Ｌ１０ｃ）に流れる電流または補助インダクタに発生するエネルギー（または電力）により、回収インダクタＬ１０ａに負方向の電流またはエネルギー（または電力）が生成される場合、補助インダクタに流れる電流または補助インダクタに発生するエネルギー（または電力）の方向は、負方向（または回収方向）と呼ばれる。
【００９１】
また、補助インダクタに流れる電流は１次電流とも呼ばれ、補助インダクタに発生する（または蓄積された）エネルギー（または電力）は１次エネルギー（または１次電力）とも呼ばれる。他方、１次電流または１次エネルギー（または１次電力）からの相互誘導により、回収インダクタＬ１０ａに流れる電流は２次電流とも呼ばれ、回収インダクタＬ１０ａに発生する（または蓄積される）エネルギー（または電力）は２次エネルギー（または２次電力）とも呼ばれる。さらに、１次電流は１次補助電流とも呼ばれ、１次エネルギー（または１次電力）は１次補助エネルギー（または１次補助電力）とも呼ばれる。他方、２次電流は２次補助電流とも呼ばれ、２次エネルギー（または２次電力）は２次補助エネルギー（または２次補助電力）とも呼ばれる。
【００９２】
維持パルス発生回路５０は、タイミング発生回路４５から出力されるタイミング信号Ｓ４５に基づいて制御され、スイッチング素子Ｑ１１、スイッチング素子Ｑ１２、スイッチング素子Ｑ１３、スイッチング素子Ｑ１４、スイッチング素子Ｑ１５、およびスイッチング素子Ｑ１６の導通と遮断とを切り替える。これにより、維持パルス発生回路５０は、電力回収回路５１、クランプ回路５２、および補助回路５３を動作させ、維持パルス波形を発生させる。
【００９３】
例えば、維持パルス波形を立ち上げる際には、スイッチング素子Ｑ１１を導通させて電極間容量Ｃｐと回収インダクタＬ１０ａとを共振させ、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、電流を流し、主電力を供給する。この電流は、主電流とも呼ばれる。次に、走査電極ＳＣ１〜ＳＣｎにおける走査電極駆動信号Ｓ４３の電位が電位Ｖｓに近づいた時点で、スイッチング素子Ｑ１３を導通させて、走査電極ＳＣ１〜ＳＣｎを駆動する回路を電力回収回路５１からクランプ回路５２に切り替え、走査電極ＳＣ１〜ＳＣｎを電位Ｖｓにクランプする。
【００９４】
逆に、維持パルス波形を立ち下げる際には、スイッチング素子Ｑ１２を導通させて電極間容量Ｃｐと回収インダクタＬ１０ａとを共振させ、電極間容量Ｃｐから、インダクタＬ１０ａ、ダイオードＤ１２、およびスイッチング素子Ｑ１２を通して、回収コンデンサＣ１０へと経由する負方向の経路に沿って、主電流を流し、主電力を回収する。次に、走査電極ＳＣ１〜ＳＣｎにおける走査電極駆動信号Ｓ４３の電位が０（Ｖ）に近づいた時点で、スイッチング素子Ｑ１４を導通させる。これにより、走査電極ＳＣ１〜ＳＣｎを駆動する回路を電力回収回路５１からクランプ回路５２に切り替え、走査電極ＳＣ１〜ＳＣｎを基準電位である０（Ｖ）にクランプする。
【００９５】
このようにして、維持パルス発生回路５０は、維持パルスを発生させる。これらのスイッチング素子Ｑ１１、Ｑ１２、Ｑ１３、Ｑ１４、Ｑ１５、Ｑ１６は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ：金属酸化膜半導体電界効果トランジスタ）やＩＧＢＴ（Ｉｎｓｕｌａｔｅｄ  Ｇａｔｅ  Ｂｉｐｏｌａｒ  Ｔｒａｎｓｉｓｔｏｒ：絶縁ゲートバイポーラトランジスタ）等のスイッチング用素子を用いて構成することができる。
【００９６】
ここで、スイッチング素子Ｑ１５およびスイッチング素子Ｑ１６は、スイッチ部を構成する。スイッチ部は、導通させることにより、相互インダクタＬ１０を接地電位に設定する。各スイッチング素子Ｑ１１、Ｑ１２、Ｑ１３、Ｑ１４、Ｑ１５、Ｑ１６は、単にスイッチとも呼ばれる。インダクタＬ１０ｂは、スイッチング素子Ｑ１５の導通時に、正方向へ流れる１次補助電流を生成し、インダクタＬ１０ｃは、スイッチング素子Ｑ１６の導通時に、負方向へ流れる１次補助電流を生成する。この意味で、スイッチング素子Ｑ１５は正方向補助スイッチとも呼ばれ、スイッチング素子Ｑ１６は負方向補助スイッチとも呼ばれる。
【００９７】
補助回路５３および電力回収回路５１は、維持パルス波形を立ち上げる直前に、すなわちスイッチング素子Ｑ１１を導通させる直前に、スイッチング素子Ｑ１５を導通させ、回収コンデンサＣ１０からインダクタＬ１０ｂおよびスイッチング素子Ｑ１５を通って接地端子ＧＮＤ２へ流れる１次補助電流ＪＱ１５を生成する。その結果、インダクタＬ１０ｂに正方向の１次補助エネルギーを蓄積（充電）すると同時に、相互誘導によりインダクタＬ１０ｂに結合されるインダクタＬ１０ａに、正方向の２次補助エネルギーを蓄積（充電）する。次にスイッチング素子Ｑ１１を導通させ、スイッチング素子Ｑ１５を遮断させると、１次補助電流ＪＱ１５が遮断され、代わりに回収インダクタＬ１０ａにおいて２次補助エネルギーが正方向に放電され、正方向へ流れる２次補助電流が生成される。
【００９８】
他方、補助回路５３および電力回収回路５１は、維持パルス波形を立ち下げる直前に、すなわちスイッチング素子Ｑ１２を導通させる直前に、スイッチング素子Ｑ１６を導通させ、回収コンデンサＣ１０からインダクタＬ１０ｃおよびスイッチング素子Ｑ１６を通って接地端子ＧＮＤ２へ流れる１次補助電流ＪＱ１６を生成する。その結果、インダクタＬ１０ｃに負方向の１次補助エネルギーを蓄積（充電）すると同時に、相互誘導によりインダクタＬ１０ｃに結合されるインダクタＬ１０ａに、負方向の２次補助エネルギーを蓄積（充電）する。次にスイッチング素子Ｑ１２を導通させ、スイッチング素子Ｑ１６を遮断させると、１次補助電流ＪＱ１６が遮断され、代わりに回収インダクタＬ１０ａにおいて２次補助エネルギーが負方向に放電され、負方向へ流れる２次補助電流が生成される。
【００９９】
このように、維持パルスの立ち上げ時および立ち下げ時に、維持パルス発生回路５０と電極間容量Ｃｐとの間に流れる電流は、回収インダクタＬ１０ａと電極間容量ＣｐとのＬＣ共振によって流れる主電流に、インダクタＬ１０ｂまたはインダクタＬ１０ｃにそれぞれあらかじめ蓄積しておいた正方向の１次補助エネルギーまたは負方向の１次補助エネルギーにより、回収インダクタＬ１０ａに発生する２次補助電流を付加した電流とする。これにより、回収インダクタＬ１０ａと電極間容量ＣｐとのＬＣ共振によってのみ発生する主電流よりも電流量を増加させ、維持パルスを発生させる際のピーク電流を抑制して、無効電力の削減およびＥＭＩの低減を実現している。この詳細については後述する。
【０１００】
維持パルス発生回路６０は、維持パルス発生回路５０と同様の構成になっている。維持パルス発生回路６０は、電力回収回路６１、クランプ回路６２、および補助回路６３を含む。電力回収回路６１は電力回収回路５１と同様に構成され、クランプ回路６２はクランプ回路５２と同様に構成され、補助回路６３は補助回路５３と同様に構成される。維持パルス発生回路６０は、パネル１０の電極間容量Ｃｐの一端である維持電極ＳＵ１〜ＳＵｎに接続されている。維持パルス発生回路６０の動作は、維持パルス発生回路５０と同様であるので説明を省略する。
【０１０１】
電力回収回路５１の回収インダクタＬ１０ａとパネル１０の電極間容量ＣｐとのＬＣ共振の周期（以下、「共振周期」と記す）は、インダクタＬ１０ａのインダクタンスをＬとすれば、計算式「２π√（ＬＣｐ）」によって求めることができる。例えば、電力回収回路５１における共振周期が大略３μｓｅｃになるようにインダクタＬ１０ａを設定し、電力回収回路６１における共振周期も同様に設定している。また、維持パルスの周波数を１００ｋＨｚとし、維持パルスの立ち上がりおよび立ち下がりにかける期間をそれぞれ１μｓｅｃ、維持パルスを電位Ｖｓにクランプする期間を３μｓｅｃに設定している。しかし、これらの数値は一例に過ぎず、パネルの特性やプラズマディスプレイ装置の仕様等に合わせて最適な値に設定すればよい。
【０１０２】
次に、上述したように、維持パルスの立ち上がり時および立ち下がり時に、維持パルス発生回路５０と電極間容量Ｃｐとの間に（すなわちインダクタＬ１０ａに）流れる電流ＪＬ１０ａを、回収インダクタＬ１０ａと電極間容量ＣｐとのＬＣ共振によってのみ発生する主電流よりも増加させる動作の詳細について説明する。
【０１０３】
図７は、維持パルス発生回路の動作を説明するためのタイミングチャートである。ここでは、維持パルスを発生させるための一連の動作をＴ１〜Ｔ６で示した６つの期間に分割し、それぞれの期間について説明する。また、ここでは維持パルス発生回路５０での動作を説明するが、維持パルス発生回路６０における動作も同様である。
【０１０４】
図７では、上から順に、Ｓ４３は、走査電極ＳＣ１〜ＳＣｎに印加される走査電極駆動信号Ｓ４３の電圧の変化を示す。ＪＱ１５は、スイッチング素子Ｑ１５に流れる１次補助電流ＪＱ１５の変化（ここでは、インダクタＬ１０ｂからスイッチング素子Ｑ１５に向かって流れる場合を正とする）を示す。ＪＱ１６は、スイッチング素子Ｑ１６に流れる１次補助電流ＪＱ１６の変化（ここでは、インダクタＬ１０ｃからスイッチング素子Ｑ１６に向かって流れる場合を負とする）を示す。ＪＬ１０ａは、インダクタＬ１０ａに流れる電流ＪＬ１０ａの変化（ここでは、コンデンサＣ１０からインダクタＬ１０ａに向かって流れる場合を正とし、インダクタＬ１０ａからコンデンサＣ１０に向かって流れる場合を負とする）を示す。Ｑ１１は、スイッチング素子Ｑ１１の制御の状態を示す。Ｑ１２は、スイッチング素子Ｑ１２の制御の状態を示す。Ｑ１３は、スイッチング素子Ｑ１３の制御の状態を示す。Ｑ１４は、スイッチング素子Ｑ１４の制御の状態を示す。Ｑ１５は、スイッチング素子Ｑ１５の制御の状態を示す。Ｑ１６は、スイッチング素子Ｑ１６の制御の状態を示す。
【０１０５】
以下の説明においてスイッチング素子を導通させる動作をオン、遮断させる動作をオフと表記し、図面にはスイッチング素子をオンさせる信号を「ＯＮ」、オフさせる信号を「ＯＦＦ」と表記する。また、図７では、正の維持パルス電圧Ｖｓを表す正極の波形を用いて説明をするが、本発明はこれに限られるものではない。例えば、負の維持パルス電圧Ｖｓを表す負極の波形に関する実施の形態については、以下の説明において正極の波形の「立ち上がり」を負極の波形の「立ち下がり」に読みかえることで、負極の波形であっても同様の効果を得ることができる。
【０１０６】
（期間Ｔ１）
時点ｔ１でスイッチング素子Ｑ１５をオンにする。すると、回収コンデンサＣ１０から、インダクタＬ１０ｂおよびスイッチング素子Ｑ１５を通して、基準電位にある接地端子ＧＮＤ２へと経由する正方向の経路に沿って、１次補助電流ＪＱ１５が流れる。１次補助電流ＪＱ１５が流れる上述した経路は、インダクタＬ１０ｂへ正方向（供給方向）に充電する経路という意味で、供給充電経路とも呼ばれる。このときに流れる１次補助電流ＪＱ１５は、コンデンサＣ１０とインダクタＬ１０ｂとの接続点（すなわちＢ点）の電位ＶＢがＶｓ／２なので、インダクタＬ１０ｂのインダクタンスをＬとすると、（Ｖｓ／２）／Ｌの傾きで増加していく。これによりインダクタＬ１０ｂに正方向の１次補助電流ＪＱ１５を流し、インダクタＬ１０ｂに正方向の１次補助エネルギーを蓄積する。同時に、相互誘導により、インダクタＬ１０ａに正方向の２次補助エネルギーを蓄積する。
【０１０７】
続く期間Ｔ２では、電力回収回路５１を動作させて回収コンデンサＣ１０から走査電極ＳＣ１〜ＳＣｎへの電力供給を行う。ここで、インダクタＬ１０ｂおよびインダクタＬ１０ａに蓄積された正方向の補助エネルギーによる２次補助電流が、期間Ｔ１から期間Ｔ２への切り替え時に、速やかにインダクタＬ１０ａを流れるように、時点ｔ２の前の時点ｔ１１であらかじめスイッチング素子Ｑ１１をオンにしておく。
【０１０８】
この間、スイッチング素子Ｑ１４はオンに維持し、走査電極ＳＣ１〜ＳＣｎは０（Ｖ）にクランプしておく。
【０１０９】
（期間Ｔ２）
次に、時点ｔ２でスイッチング素子Ｑ１４およびスイッチング素子Ｑ１５をオフにする。
【０１１０】
回収インダクタＬ１０ａと電極間容量ＣｐとはＬＣ共振回路を構成しているので、このスイッチング動作によりＬＣ共振が発生する。このＬＣ共振に基づいて、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、主電流が流れ、主電力が供給される。主電流が流れる上述した経路は、供給経路とも呼ばれる。これにより、走査電極ＳＣ１〜ＳＣｎにおける走査電極駆動信号Ｓ４３の電位が上がり始める。例えば、回収インダクタＬ１０ａと電極間容量Ｃｐとの共振周期を大略３μｓｅｃに設定した場合、時点ｔ２から大略１μｓｅｃ後には走査電極ＳＣ１〜ＳＣｎにおける走査電極駆動信号Ｓ４３の電位は電位Ｖｓ付近まで上昇する。供給充電経路は、供給経路と、回収コンデンサＣ１０を共有するだけであり、経路としては実質的には供給経路から分離されている。
【０１１１】
時点ｔ２においてスイッチング素子Ｑ１５がオフされることにより、供給充電経路を流れていた１次補助電流ＪＱ１５が、図７に示すように遮断される。このとき、インダクタＬ１０ｂおよびインダクタＬ１０ａは、コンデンサＣ１０からの正方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２の前後で実質的に変化しない。このため、インダクタＬ１０ａを流れる２次補助電流は、遮断される直前にインダクタＬ１０ｂを流れていた１次補助電流ＪＱ１５に、インダクタＬ１０ｂのインダクタＬ１０ａに対する巻数比を乗算した値に大略等しくなる（詳細は後述する）。このように、インダクタＬ１０ｂに蓄積された正方向の１次補助エネルギーは、インダクタＬ１０ａにおける正方向の２次補助エネルギーに変換される。時点ｔ２以降、インダクタＬ１０ａに蓄積された正方向の２次補助エネルギーの働きによる正方向への放電により、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、２次補助電流が流れ始める。２次補助電流が流れる上述した経路は、インダクタＬ１０ａから正方向（供給方向）に放電する経路という意味で、供給放電経路とも呼ばれる。この２次補助電流が、回収インダクタＬ１０ａと電極間容量ＣｐとのＬＣ共振によって流れる主電流に付加され、電流ＪＬ１０ａは正方向に急峻に増加する。供給放電経路は、供給経路と一致する。
【０１１２】
これにより、図７のインダクタＬ１０ａに流れる電流ＪＬ１０ａの変化を示す波形のように、走査電極ＳＣ１〜ＳＣｎへ流れる電流ＪＬ１０ａの立ち上がりは、回収インダクタＬ１０ａと電極間容量ＣｐとのＬＣ共振によって流れる主電流のみ（図示せず）よりも、非常に急峻になる。
【０１１３】
インダクタＬ１０ｂに蓄積された正方向のエネルギーがインダクタＬ１０ａの正方向のエネルギーに変換されることによりインダクタＬ１０ａに流れる２次補助電流は、インダクタＬ１０ｂの巻数をＮｂ，流れる１次補助電流をＩｂ、インダクタＬ１０ａの巻数をＮａ，流れる２次補助電流をＩａとすると、計算式「Ｉａ＝Ｉｂ×Ｎｂ／Ｎａ」によって求めることができる。例えば、巻数Ｎｂが巻数Ｎａと等しい場合、２次電流Ｉａは１次電流Ｉｂと等しくなる。また巻数Ｎｂが巻数Ｎａの２倍の場合、２次電流Ｉａは１次電流Ｉｂの２倍とすることができる。したがってインダクタＬ１０ａと電極間容量ＣｐとのＬＣ共振の共振周期は、インダクタＬ１０ａの巻数Ｎａにより設定し、維持パルスの立ち上がり時に電力回収回路５１から走査電極ＳＣ１〜ＳＣｎへ供給される電流の急峻さは、インダクタＬ１０ｂの巻数Ｎｂにより設定することができる。一例として、インダクタＬ１０ｂの巻数Ｎｂは、インダクタＬ１０ａの巻数Ｎａ以上に設定される。
【０１１４】
このように、期間Ｔ１でインダクタＬ１０ｂに蓄積された正方向のエネルギーにより、期間Ｔ２において維持パルスの立ち上がり時に電力回収回路５１から走査電極ＳＣ１〜ＳＣｎへ流れる電流を急峻に増加させることができ、維持パルスの立ち上がりを早くすることができる。しかも、インダクタＬ１０ａに流れるピーク電流を抑えることが可能となる。
【０１１５】
電力回収回路５１および補助回路５３を用いない場合、共振周期の半分の時間が経過したときに、走査電極ＳＣ１〜ＳＣｎに印加する走査電極駆動信号Ｓ４３の電圧が最も高くなるが、電力の損失等により電位Ｖｓには到達しない。しかし、上述したように、インダクタＬ１０ｂに蓄積された正方向の１次エネルギーの働きによる２次補助電流が、回収インダクタＬ１０ａと電極間容量ＣｐとのＬＣ共振によって流れる主電流に付加される。このため、共振周期の半分の時間を要することなく（ここでは、共振周期大略３μｓｅｃに対し、大略１μｓｅｃの時間で）、走査電極ＳＣ１〜ＳＣｎに印加する走査電極駆動信号Ｓ４３の電位を電位Ｖｓに到達するまで上昇させることができる。
【０１１６】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電位Ｖｓに近い電位（ここでは、実質的に電位Ｖｓに達する）まで上昇させることが可能となる。これにより、電力回収回路５１における電力の供給効率を上げるとともに、直後のクランプ回路５２への切り替え時に電源ＶＳ１から走査電極ＳＣ１〜ＳＣｎへ供給される電力を抑えて、消費電力をさらに低減させることができる。
【０１１７】
補助回路５３は、インダクタＬ１０ｂにエネルギーを蓄積するためにインダクタＬ１０ｂに流す正方向の電流を、不要な回路を通さず最小限の回路（ここでは、スイッチング素子Ｑ１５）のみを介して接地端子ＧＮＤ２へと流す構成としている。これにより、スイッチング素子Ｑ１１およびダイオードＤ１１での不要な発熱や無効電力を低減することができる。
【０１１８】
ここで、維持パルスの立ち上がり時（または後述する立ち下がり時）において、電力回収回路５１から走査電極ＳＣ１〜ＳＣｎへ流れる電流ＪＬ１０ａを、回収インダクタＬ１０ａと電極間容量ＣｐとのＬＣ共振によって流れる主電流に、インダクタＬ１０ｂに蓄積されたエネルギーによる補助電流を付加した電流として駆動を行う理由を説明する。
【０１１９】
近年では、パネルのさらなる高精細化が進み、１つのサブフィールド期間内に書き込みをしなければならない電極数がますます増加している。そのため１回の書き込み期間に要する時間が増大する傾向にあるが、１つのサブフィールドに割り当てることができる時間は限られているため、例えば維持パルスの周期を短くする等して維持期間を短縮するといった対応が必要となる。
【０１２０】
一方、安定した維持放電を発生させるためには、一般に放電遅れと呼ばれる放電発生の遅れ時間および放電セル間での放電遅れのばらつき等の阻害要因を考慮する必要がある。放電発生の遅れ時間は、放電セルへの印加電圧が放電開始電圧を超えてから実際に放電が発生するまでの時間を表す。これらの要因を考慮し、維持パルスを電源ＶＳ１の電位Ｖｓおよび接地電位にクランプするクランプ期間を十分に確保しなければならない。そして、クランプ期間を確保しつつ維持パルスの周期を短くするためには、例えば維持パルスの立ち上がりや立ち下がりを急峻にし、それらにかける時間を短縮するといった対応が必要となる。
【０１２１】
また、維持動作においては、電圧の変化が急峻な状態で放電を生じさせると、強い放電が発生して放電セル内に十分な壁電荷を形成することができる。さらに、電圧の変化が急峻な状態で放電を生じさせることで放電開始電圧のばらつきを吸収し、維持放電の放電セル毎のばらつきを抑えることができるので、放電を安定に発生させる効果を高めることができる。
【０１２２】
そのため、維持パルス発生回路５０から走査電極ＳＣ１〜ＳＣｎに供給する走査電極駆動信号Ｓ４３の電流をできるだけ急峻に増加させ、維持パルスの立ち上がりを急峻にすることが望ましい。
【０１２３】
維持パルスの立ち上がりや立ち下がりを急峻にするためには、回収インダクタＬ１０ａのインダクタンスを小さくする等して、回収インダクタＬ１０ａと電極間容量Ｃｐとの共振周期を短くすればよい。しかしながら、回収インダクタＬ１０ａと電極間容量Ｃｐとの共振周期を短くすると、回収コンデンサＣ１０と電極間容量Ｃｐとの間を移動する電流の最大値（ピーク電流）が増加し、ＥＭＩを増加させてしまう。また、ピーク電流が増加すると、発光に寄与することなく無効に消費される電力、すなわち無効電力も増加してしまう。そして、高精細化されたパネルでは駆動負荷も増大するため、無効電力がさらに増加する恐れがある。
【０１２４】
また、電力回収回路５１の出力インピーダンスは、クランプ回路５２の出力インピーダンスと比較して大きいため、ピーク電流の増加は、駆動負荷等の影響によるリンギングと呼ばれる波形歪を発生させる。このような波形歪は、放電を不安定にするだけでなく、無効電力をさらに増加させてしまう。
【０１２５】
また、ピーク電流が大きいとその分だけ電圧降下も大きくなるため、電力回収回路５１による駆動時に、走査電極ＳＣ１〜ＳＣｎへの走査電極駆動信号Ｓ４３の印加電圧が電圧Ｖｓまで上昇しない。そうすると、直後のクランプ回路５２への切り替え時に電源ＶＳ１から走査電極ＳＣ１〜ＳＣｎへ供給される電力が増え、消費電力が増加してしまう。
【０１２６】
一方、回収インダクタＬ１０ａのインダクタンスを大きくする等して電力回収回路５１の共振周期を長くすれば、電力回収回路５１から走査電極ＳＣ１〜ＳＣｎに供給する電流ＪＬ１０ａの立ち上がりは緩やかになる。そうすると、回収コンデンサＣ１０と電極間容量Ｃｐとの間を移動する電流の最大値（ピーク電流）が低減されるので、ＥＭＩを低減することができ、無効電力を低減することができる。また、電圧降下も抑えられるので、電力回収回路５１による駆動時に、走査電極ＳＣ１〜ＳＣｎへの走査電極駆動信号Ｓ４３の印加電圧を、より電圧Ｖｓに近い電位まで上昇させることができる。これにより、直後のクランプ回路５２への切り替え時に電源ＶＳ１から走査電極ＳＣ１〜ＳＣｎへ供給される電力を低減でき、消費電力を低減することができる。
【０１２７】
しかしながら、電力回収回路５１の共振周期を長くして維持パルスの立ち上がりおよび立ち下がりの傾きを表すエッジ特性を緩やかにすると、維持期間がその分、増大するといった問題が発生する。
【０１２８】
これらのことから、高精細化されたパネルを安定に駆動しつつＥＭＩおよび無効電力を低減するためには、維持パルスを発生させる際のエッジ特性をできるだけ急峻にし、一方で維持パルス発生回路５０と電極間容量Ｃｐとの間を流れる走査電極駆動信号Ｓ４３の電流の最大値、すなわちピーク電流を低減させるといった、互いに矛盾する動作を両立させることが必要となることがわかる。
【０１２９】
維持パルス発生回路５０は、この動作を実現することを目的としたものであり、維持パルス発生回路５０と電極間容量Ｃｐとの間を流れるピーク電流を低減しつつ維持パルスを発生させる際のエッジ特性を急峻にすることを可能にする。
【０１３０】
すなわち、維持パルス波形を立ち上げる直前には、正方向補助スイッチであるスイッチング素子Ｑ１５を導通させて、インダクタＬ１０ｂに正方向の１次補助電流を流して正方向のエネルギーを蓄積する。そして、維持パルスの立ち下がりの直前には、負方向補助スイッチであるスイッチング素子Ｑ１６を導通させて、インダクタＬ１０ｃに負方向の１次補助電流を流して負方向のエネルギーを蓄積する。
【０１３１】
これにより、電力回収回路５１の動作開始直後に電力回収回路５１と走査電極ＳＣ１〜ＳＣｎとの間に流れる電流を、回収インダクタＬ１０ａと電極間容量ＣｐとのＬＣ共振によって流れる主電流に、インダクタＬ１０ｂまたはインダクタＬ１０ｃに蓄積されたエネルギーによる２次補助電流を付加した電流とすることができる。すなわち、インダクタＬ１０と電極間容量Ｃｐとの共振周期を短くすることなく、維持パルスの急峻な立ち上がり、立ち下がりを実現することが可能となる。
【０１３２】
また、インダクタＬ１０ｂに蓄積されたエネルギーによって走査電極ＳＣ１〜ＳＣｎへと流れる２次補助電流は、スイッチング素子Ｑ１５のオフ以降は、走査電極ＳＣ１〜ＳＣｎの電位上昇にともなって急速に減少していく。したがって、維持パルスの立ち上がり時における電流増加は、一時的なものに過ぎない。そのため、維持パルス発生回路５０と電極間容量Ｃｐとの間を流れる電流の最大値は、回収インダクタＬ１０ａと電極間容量Ｃｐとの共振周期により決定される。それゆえに、回収インダクタＬ１０ａと電極間容量Ｃｐとの共振周期が長くなるように回収インダクタＬ１０ａのインダクタンスを設定することで、維持パルス発生回路と電極間容量Ｃｐとの間のピーク電流を抑制することができる。
【０１３３】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より電圧Ｖｓに近い電位（ここでは、実質的に電位Ｖｓに達する）まで上昇させることが可能となる。これにより、電力回収回路５１における電力の利用効率を上げるとともに、直後のクランプ回路５２への切り替え時に電源ＶＳ１から走査電極ＳＣ１〜ＳＣｎへ供給される電力を抑えて、消費電力をさらに低減させることができる。
【０１３４】
（期間Ｔ３）
そして、時点ｔ３でスイッチング素子Ｑ１３をオンにする。すると走査電極ＳＣ１〜ＳＣｎは、スイッチング素子Ｑ１３を通して電位Ｖｓに設定される。
【０１３５】
走査電極ＳＣ１〜ＳＣｎにおける走査電極駆動信号Ｓ４３の電位は、電力回収回路５１による駆動によって実質的に電位Ｖｓに達しているため、走査電極ＳＣ１〜ＳＣｎが電位Ｖｓにクランプされても走査電極ＳＣ１〜ＳＣｎの電位に実質的な変化は生じない。これにより、クランプ回路５２から走査電極ＳＣ１〜ＳＣｎへ供給される電力を削減することができる。また、スイッチング素子Ｑ１３は続く期間Ｔ４の間もオンに維持し、これにより期間Ｔ３および期間Ｔ４では、走査電極ＳＣ１〜ＳＣｎにおける走査電極駆動信号Ｓ４３の電位は電位Ｖｓに保たれる。
【０１３６】
（期間Ｔ４）
次に、時点ｔ４でスイッチング素子Ｑ１６をオンにする。すると、回収コンデンサＣ１０から、インダクタＬ１０ｃおよびスイッチング素子Ｑ１６を通して、基準電位にある接地端子ＧＮＤ２へと経由する負方向の経路に沿って、１次補助電流ＪＱ１６が流れる。１次補助電流ＪＱ１６が流れる上述した経路は、インダクタＬ１０ｃへ負方向（回収方向）に充電する経路という意味で、回収充電経路とも呼ばれる。このときに流れる１次補助電流ＪＱ１６は、コンデンサＣ１０とインダクタＬ１０ｃとの接続点（すなわちＢ点）の電位ＶＢがＶｓ／２なので、インダクタＬ１０ｃのインダクタンスをＬとすると、（Ｖｓ／２）／Ｌの傾きで減少（負方向に増加）していく。これによりインダクタＬ１０ｃに負方向の１次補助電流ＪＱ１６を流し、インダクタＬ１０ｃに負方向の１次補助エネルギーを蓄積する。同時に、相互誘導により、インダクタＬ１０ａに負方向の２次補助エネルギーを蓄積する。
【０１３７】
続く期間Ｔ５では電力回収回路５１を動作させて走査電極ＳＣ１〜ＳＣｎから回収コンデンサＣ１０への電力回収を行う。ここで、期間Ｔ４から期間Ｔ５への切り替え時に、インダクタＬ１０ｃおよびインダクタＬ１０ａに蓄積された負方向の補助エネルギーによる２次補助電流が速やかにインダクタＬ１０ａに流れるように、時点ｔ５の前の時点ｔ４１であらかじめスイッチング素子Ｑ１２をオンにしておく。
【０１３８】
（期間Ｔ５）
次に、時点ｔ５でスイッチング素子Ｑ１３およびスイッチング素子Ｑ１６をオフにする。
【０１３９】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、主電流が流れ、主電力が回収される。主電流が流れる上述した経路は回収経路とも呼ばれる。これにより、走査電極ＳＣ１〜ＳＣｎにおける走査電極駆動信号Ｓ４３の電位が下がり始める。例えば、回収インダクタＬ１０ａと電極間容量Ｃｐとの共振周期を大略３μｓｅｃに設定した場合、時点ｔ５から大略１μｓｅｃ後には走査電極ＳＣ１〜ＳＣｎにおける走査電極駆動信号Ｓ４３の電位は接地電位付近まで下降する。回収充電経路は、回収経路と、回収コンデンサＣ１０を共有するだけであり、経路としては実質的には回収経路から分離されている。
【０１４０】
時点ｔ５においてスイッチング素子Ｑ１６がオフされることにより、回収充電経路を流れていた１次補助電流ＪＱ１６が、図７に示すように遮断される。期間Ｔ２において上述したように、インダクタＬ１０ｃに蓄積された負方向の１次補助エネルギーは、インダクタＬ１０ａにおける負方向の２次補助エネルギーに変換される。時点ｔ５以降、インダクタＬ１０ａに蓄積された負方向の２次補助エネルギーの働きによる負方向への放電により、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、２次補助電流が流れ始める。２次補助電流が流れる上述した経路は、インダクタＬ１０ａから負方向（回収方向）に放電する経路という意味で、回収放電経路とも呼ばれる。この２次補助電流が、回収インダクタＬ１０ａと電極間容量ＣｐとのＬＣ共振によって流れる主電流に付加され、電流ＪＬ１０ａは急峻に減少（負方向に急峻に増加）する。回収放電経路は、回収経路と一致する。
【０１４１】
これにより、図７のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる主電流のみ（図示せず）よりも、非常に急峻になる。
【０１４２】
インダクタＬ１０ｃに蓄積された負方向のエネルギーがインダクタＬ１０ａの負方向のエネルギーに変換されることによりインダクタＬ１０ａに流れる２次補助電流は、インダクタＬ１０ｃの巻数をＮｃ，流れる１次補助電流をＩｃ、インダクタＬ１０ａの巻数をＮａ，流れる２次補助電流をＩａとすると、計算式「Ｉａ＝Ｉｃ×Ｎｃ／Ｎａ」によって求めることができる。例えば、巻数Ｎｃが巻数Ｎａと等しい場合、２次電流Ｉａは１次電流Ｉｃと等しくなる。また巻数Ｎｃが巻数Ｎａの２倍の場合、２次電流Ｉａは１次電流Ｉｃの２倍とすることができる。したがってインダクタＬ１０ａと電極間容量ＣｐとのＬＣ共振の共振周期は、インダクタＬ１０ａの巻数Ｎａにより設定し、維持パルスの立ち下がり時に走査電極ＳＣ１〜ＳＣｎから電力回収回路５１へ回収される電流の急峻さは、インダクタＬ１０ｃの巻数Ｎｃにより設定することができる。
【０１４３】
このように、期間Ｔ４でインダクタＬ１０ｃに蓄積された負方向のエネルギーにより、期間Ｔ５において維持パルスの立ち下がり時に走査電極ＳＣ１〜ＳＣｎから電力回収回路５１へ流れる電流を、急峻に減少（負方向に急峻に増加）させることができ、維持パルスの立ち下がりを早くすることができる。しかも、インダクタＬ１０ａに流れるピーク電流を抑えることが可能となる。
【０１４４】
電力回収回路５１および補助回路５３を用いない場合、共振周期の半分の時間が経過したときに、走査電極ＳＣ１〜ＳＣｎに印加する走査電極駆動信号Ｓ４３の電圧が最も低くなるが、電力の損失等により接地電位には到達しない。しかし、上述したように、インダクタＬ１０ｃに蓄積された負方向の１次エネルギーの働きによる２次補助電流が、回収インダクタＬ１０ａと電極間容量ＣｐとのＬＣ共振によって流れる主電流に付加される。このため、共振周期の半分の時間を要することなく（ここでは、共振周期大略３μｓｅｃに対し、大略１μｓｅｃの時間で）、走査電極ＳＣ１〜ＳＣｎに印加する走査電極駆動信号Ｓ４３の電圧を接地電位に到達するまで下降させることができる。
【０１４５】
したがって、ピーク電流の低減による無効電力の低減およびＥＭＩの低減を実現でき、さらに、ピーク電流の低減によるリンギングの低減によって維持放電を安定に発生させることが可能となる。また、無効電力を低減することで、走査電極ＳＣ１〜ＳＣｎに印加する走査電極駆動信号Ｓ４３の電圧を、より接地電位に近い電位（ここでは、実質的に接地電位に達する）まで下降させることが可能となる。これにより、電力回収回路５１における電力の回収効率を上げるとともに、直後のクランプ回路５２への切り替え時に走査電極ＳＣ１〜ＳＣｎから接地端子ＧＮＤ１へ放出される電力を抑えて、消費電力をさらに低減させることができる。
【０１４６】
補助回路５３は、インダクタＬ１０ｃにエネルギーを蓄積するためにインダクタＬ１０ｃに流す負方向の電流を、不要な回路を通さず最小限の回路（ここでは、スイッチング素子Ｑ１６）のみを介して接地端子ＧＮＤ２へと流す構成としている。これにより、スイッチング素子Ｑ１２およびダイオードＤ１２での不要な発熱や無効電力を低減することができる。
【０１４７】
（期間Ｔ６）
そして、時点ｔ６でスイッチング素子Ｑ１４をオンにする。すると走査電極ＳＣ１〜ＳＣｎは、スイッチング素子Ｑ１４を通して接地電位に設定される。
【０１４８】
走査電極ＳＣ１〜ＳＣｎにおける走査電極駆動信号Ｓ４３の電位は、電力回収回路５１による駆動によって実質的に接地電位である０（Ｖ）に達しているため、走査電極ＳＣ１〜ＳＣｎが接地電位にクランプされても走査電極ＳＣ１〜ＳＣｎの電位に実質的な変化は生じない。これにより、クランプ回路５２における消費電力を削減することができる。
【０１４９】
スイッチング素子Ｑ１１は時点ｔ３以降、時点ｔ４までにオフすればよく、スイッチング素子Ｑ１２は時点ｔ６以降、次の時点ｔ１までにオフすればよい。また、維持パルス発生回路５０の出力インピーダンスを下げるために、スイッチング素子Ｑ１３は時点ｔ５直前にオフにすることが望ましく、スイッチング素子Ｑ１４は時点ｔ２直前にオフにすることが望ましい。
【０１５０】
維持期間においては、以上の期間Ｔ１〜期間Ｔ６の動作を、必要なパルス数に応じて繰り返す。このようにして、基準電位である０（Ｖ）から電位Ｖｓに変位する維持パルス電圧を、表示電極対２４のそれぞれに交互に印加して放電セルを維持放電させる。
【０１５１】
以上、説明したように、実施の形態１のプラズマディスプレイ装置によれば、維持パルスの立ち上がり時および立ち下がり時のパルスエッジにおいて、補助回路５３を用いることにより、インダクタＬ１０ｂおよびインダクタＬ１０ｃにあらかじめ蓄積しておいたエネルギーにより発生する補助電流を、ＬＣ共振によって流れる主電流に付加することができる。その結果、維持パルス発生回路５０と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１５２】
電力回収回路５１および補助回路５３を用いない維持パルス発生回路では、安定した維持放電を発生させるために、例えば回収インダクタＬ１０ａと電極間容量Ｃｐとの共振周期を大略２μｓｅｃに設定しなければならない場合でも、実施の形態１では、共振周期を大略３μｓｅｃに延長しても安定した維持放電を発生させることができる。そして、共振周期を２μｓｅｃから３μｓｅｃに延長することで、ピーク電流を大略３８％低減することができる。
【０１５３】
また、インダクタＬ１０ｂおよびインダクタＬ１０ｃに１次補助エネルギーを蓄積するためにインダクタＬ１０ｂおよびインダクタＬ１０ｃに流す１次補助電流を、不要な回路を通さず最小限の回路（ここでは、正方向の１次補助エネルギーを蓄積する場合は正方向補助スイッチ、負方向の１次補助エネルギーを蓄積する場合は負方向補助スイッチ）のみを通す構成とすることで、不要な発熱や無効電力を低減することが可能となる。
【０１５４】
（実施の形態２）
実施の形態２では、実施の形態１と異なる点を中心に説明する。その他の構成、動作、および効果は、実施の形態１と同等であるので、説明を省略する。
【０１５５】
図８は、維持パルス発生回路５０１の回路図である。維持パルス発生回路５０１は、電力回収回路５１１、クランプ回路５２、補助回路５３１を有する。維持パルス発生回路５０１が実施の形態１の維持パルス発生回路５０と異なる点は、相互インダクタＬ１０Ａの構成が実施の形態１の相互インダクタＬ１０と異なる点、ならびにスイッチング素子Ｑ１７およびスイッチング素子Ｑ１８が追加されている点である。
【０１５６】
補助回路５３１は、スイッチング素子Ｑ１５、スイッチング素子Ｑ１６、スイッチング素子Ｑ１７、スイッチング素子Ｑ１８、およびインダクタＬ１０ｂを有する。相互インダクタＬ１０Ａは、インダクタＬ１０ａおよびインダクタＬ１０ｂを含み、インダクタＬ１０ｃを含まない。インダクタＬ１０ｂは、補助誘導部を構成する。インダクタＬ１０ａは、相互誘導によりインダクタＬ１０ｂに結合され、主誘導部を構成する。インダクタＬ１０ｂの一方の端子は、スイッチング素子Ｑ１６とスイッチング素子Ｑ１７との接続点に接続され、インダクタＬ１０ｂの他方の端子は、スイッチング素子Ｑ１５とスイッチング素子Ｑ１８との接続点に接続される。スイッチング素子Ｑ１６の他方の端子およびスイッチング素子Ｑ１５の他方の端子は、ともに接地端子ＧＮＤ２に接続され、接地電位に設定され、スイッチング素子Ｑ１７の他方の端子およびスイッチング素子Ｑ１８の他方の端子は、回収コンデンサＣ１０（すなわちＢ点）に接続され、電位ＶＢ（＝Ｖｓ／２）に設定される。
【０１５７】
スイッチング素子Ｑ１５およびスイッチング素子Ｑ１７は、実施の形態１のスイッチング素子Ｑ１５（図７に示す）と同様に動作し、スイッチング素子Ｑ１６およびスイッチング素子Ｑ１８は、実施の形態１のスイッチング素子Ｑ１６（図７に示す）と同様に動作する。すなわち補助回路５３１は、期間Ｔ１において、スイッチング素子Ｑ１５およびスイッチング素子Ｑ１７を導通させ、インダクタＬ１０ｂに正方向の１次補助エネルギーを蓄積する。さらに補助回路５３１は、期間Ｔ４において、スイッチング素子Ｑ１６およびスイッチング素子Ｑ１８を導通させ、インダクタＬ１０ｂに負方向の１次補助エネルギーを蓄積する。
【０１５８】
このように実施の形態２のプラズマディスプレイ装置では、実施の形態１と同様に、維持パルスの立ち上がり時および立ち下がり時のパルスエッジにおいて、補助回路５３１を用いることにより、インダクタＬ１０ｂにあらかじめ蓄積された１次補助エネルギーにより発生する２次補助電流を、ＬＣ共振によって流れる主電流に付加することができる。その結果、維持パルス発生回路５０１と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１５９】
さらに、実施の形態２では、補助誘導部をインダクタＬ１０ｂだけで構成し、補助回路５３１においてスイッチング素子の構成を補助回路５３から変更することにより、実施の形態１の維持パルス発生回路５０と同様に動作させることが可能となる。これにより、相互インダクタＬ１０Ａの巻線の数を低減し、磁気コアの大きさを小さくすることができるため、相互インダクタＬ１０Ａ全体の大きさを小さくすることが可能となる。
【０１６０】
（実施の形態３）
実施の形態３では、実施の形態１と異なる点を中心に説明する。その他の構成、動作、および効果は、実施の形態１と同等であるので、説明を省略する。
【０１６１】
図９は、維持パルス発生回路５０２の回路図である。維持パルス発生回路５０２は、電力回収回路５１２、クランプ回路５２、および補助回路５３２を有する。維持パルス発生回路５０２が実施の形態１の維持パルス発生回路５０と異なる点は、実施の形態１の相互インダクタＬ１０が相互インダクタＬ１０Ａおよび相互インダクタＬ２０Ａに変更されている点である。
【０１６２】
電力回収回路５１２は、コンデンサＣ１０、スイッチング素子Ｑ１１、スイッチング素子Ｑ１２、ダイオードＤ１１、ダイオードＤ１２、インダクタＬ１０ａ、およびインダクタＬ２０ａを有する。補助回路５３２は、スイッチング素子Ｑ１５、スイッチング素子Ｑ１６、インダクタＬ１０ｂ、およびインダクタＬ２０ｂを有する。相互インダクタＬ１０Ａは、インダクタＬ１０ａおよびインダクタＬ１０ｂを含み、相互インダクタＬ２０Ａは、インダクタＬ２０ａおよびインダクタＬ２０ｂを含む。インダクタＬ１０ｂおよびインダクタＬ２０ｂは、補助誘導部を構成する。インダクタＬ１０ａおよびインダクタＬ２０ａは、相互誘導によりインダクタＬ１０ｂおよびインダクタＬ２０ｂにそれぞれ結合され、主誘導部を構成する。すなわち、インダクタＬ１０ａおよびインダクタＬ２０ａは、電極間容量ＣｐとのＬＣ共振用の回収インダクタである。各インダクタＬ１０ｂ、Ｌ２０ｂは、副補助誘導部の一例であり、各インダクタＬ１０ａ、Ｌ２０ａは、副主誘導部の一例である。
【０１６３】
インダクタＬ１０ａは、回収コンデンサＣ１０から電極間容量Ｃｐへ電力を供給するときに用いる回収インダクタであり、インダクタＬ２０ａは、電極間容量Ｃｐから回収コンデンサＣ１０へ電力を回収するときに用いる回収インダクタである。このように、電力回収回路５１２は、回収コンデンサＣ１０から電極間容量Ｃｐへ電力を供給するときと、電極間容量Ｃｐから回収コンデンサＣ１０へ電力を回収するときとで、２つの異なる回収インダクタＬ１０ａ、Ｌ２０ａを用いる構成としている。
【０１６４】
互いに直列に接続されたスイッチング素子Ｑ１１およびダイオードＤ１１を間に挟んで、コンデンサＣ１０とインダクタＬ１０ａの一方の端子とが直列に接続される。さらに、互いに直列に接続されたスイッチング素子Ｑ１２およびダイオードＤ１２を間に挟んで、コンデンサＣ１０とインダクタＬ２０ａの一方の端子とが直列に接続される。インダクタＬ１０ａの他方の端子およびインダクタＬ２０ａの他方の端子は、ともに走査電極ＳＣ１〜ＳＣｎに接続される。インダクタＬ１０ｂの一方の端子およびインダクタＬ２０ｂの一方の端子は、ともに回収コンデンサＣ１０（すなわちＢ点）に接続され、電位ＶＢ（＝Ｖｓ／２）に設定される。インダクタＬ１０ｂの他方の端子はスイッチング素子Ｑ１５の一方の端子に接続され、インダクタＬ２０ｂの他方の端子はスイッチング素子Ｑ１６の一方の端子に接続される。スイッチング素子Ｑ１５の他方の端子およびスイッチング素子Ｑ１６の他方の端子は、ともに接地端子ＧＮＤ２に接続され、接地電位に設定される。
【０１６５】
図１０は、維持パルス発生回路５０２の動作を説明するためのタイミングチャートである。維持パルス発生回路５０２の動作は、電流ＪＬ１０ａの波形以外、実施の形態１の図７に示すタイミングチャートと同様である。実施の形態３においては、インダクタＬ１０ａを流れる電流ＪＬ１０ａは、図７の電流ＪＬ１０ａにおいて時点ｔ５以降の負の部分を０Ａに置き換えた波形に相当する。同様に、インダクタＬ２０ａを流れる電流ＪＬ２０ａは、図７の電流ＪＬ１０ａにおいて時点ｔ２から時点ｔ４までの正の部分を０Ａに置き換えた波形に相当する。すなわち、実施の形態１では、走査電極ＳＣ１〜ＳＣｎへの電力供給時にインダクタＬ１０ａにおいて正方向の電流ＪＬ１０ａを流し、走査電極ＳＣ１〜ＳＣｎからの電力回収時に同じくインダクタＬ１０ａにおいて負方向の電流ＪＬ１０ａを流していた。他方、実施の形態３では、走査電極ＳＣ１〜ＳＣｎへの電力供給時にインダクタＬ１０ａにおいて正方向の電流ＪＬ１０ａを流し、走査電極ＳＣ１〜ＳＣｎからの電力回収時にインダクタＬ２０ａにおいて負方向の電流ＪＬ２０ａを流している。
【０１６６】
このように実施の形態３のプラズマディスプレイ装置では、実施の形態１と同様に、維持パルスの立ち上がり時および立ち下がり時のパルスエッジにおいて、補助回路５３２を用いることにより、インダクタＬ１０ｂおよびインダクタＬ２０ｂにあらかじめ蓄積された１次補助エネルギーにより発生する２次補助電流を、ＬＣ共振によって流れる主電流に付加することができる。その結果、維持パルス発生回路５０２と電極間容量Ｃｐとの間に流れる電流ＪＬ１０の大きさを急峻に増加させることができる。これにより、パネルを高精細化して維持パルスの周期を短縮しても、維持パルスのクランプ期間を確保するとともに、各回収インダクタＬ１０ａ、Ｌ２０ａと電極間容量Ｃｐとの共振周期を長くすることで各回収インダクタＬ１０ａ、Ｌ２０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１６７】
さらに、実施の形態３では、回収インダクタをインダクタＬ１０ａとインダクタＬ２０ａに分けた構成としているので、維持パルスの立ち上がりにおける電流制御と立ち下がりにおける電流制御とを互いに独立して設定することができる。したがって、電力供給時の共振周期と電力回収時の共振周期を、変えることが可能となる。
【０１６８】
（実施の形態４）
実施の形態４では、実施の形態１と異なる点を中心に説明する。その他の構成、動作、および効果は、実施の形態１と同等であるので、説明を省略する。
【０１６９】
図１１は、維持パルス発生回路５０３の回路図である。維持パルス発生回路５０３は、電力回収回路５１３、クランプ回路５２、および補助回路５３３を有する。維持パルス発生回路５０３が実施の形態１の維持パルス発生回路５０と異なる点は、相互インダクタＬ１０Ｂの接続構成が実施の形態１の場合と異なる点、およびスイッチング素子Ｑ１５の接続構成が実施の形態１の場合と異なる点である。
【０１７０】
電源ＶＳ２は、電位Ｖｓおよび基準電位（例えば接地電位）を補助回路５３３に供給する。別の観点によれば、補助回路５３３に対して、電源ＶＳ２は電位Ｖｓを供給し、基準電源ＧＮＤ２は基準電位を供給する。
【０１７１】
補助回路５３３は、スイッチング素子Ｑ１５、スイッチング素子Ｑ１６、インダクタＬ１０ｂ、およびインダクタＬ１０ｃを有する。スイッチング素子Ｑ１５は、インダクタＬ１０ｂに正方向の電流を流すときに導通させる正方向補助スイッチである。スイッチング素子Ｑ１６は、インダクタＬ１０ｃに負方向の電流を流すときに導通させる負方向補助スイッチである。スイッチング素子Ｑ１５の一方の端子は、インダクタＬ１０ｂ一方の端子に接続され、スイッチング素子Ｑ１５の他方の端子は電源ＶＳ２に接続され、電位Ｖｓにされる。また、スイッチング素子Ｑ１６の一方の端子はインダクタＬ１０ｃの一方の端子に接続され、スイッチング素子Ｑ１６の他方の端子は接地端子ＧＮＤ２に接続され、基準電位である接地電位にされる。インダクタＬ１０ｂの他方の端子およびインダクタＬ１０ｃの他方の端子は、ともに走査電極ＳＣ１〜ＳＣｎに接続される。
【０１７２】
図１２は、維持パルス発生回路５０３の動作を説明するためのタイミングチャートである。
【０１７３】
（期間Ｔ１）
時点ｔ１でスイッチング素子Ｑ１５をオンにする。この間、スイッチング素子Ｑ１４はオンに維持し、走査電極ＳＣ１〜ＳＣｎは０（Ｖ）にクランプしておく。すると、電源ＶＳ２から、スイッチング素子Ｑ１５、インダクタＬ１０ｂ、およびスイッチング素子Ｑ１４を通して、基準電位にある接地端子ＧＮＤ１へと経由する正方向の経路に沿って、１次補助電流ＪＱ１５が流れる。１次補助電流ＪＱ１５が流れる上述した経路は、インダクタＬ１０ｂへ正方向（供給方向）に充電する経路という意味で、供給充電経路とも呼ばれる。このときに流れる１次補助電流ＪＱ１５は、電位Ｖｓと接地電位との間を、インダクタＬ１０ｂを介して流れる電流となるので、インダクタＬ１０ｂのインダクタンスをＬとすると、Ｖｓ／Ｌの傾きで増加していく。これによりインダクタＬ１０ｂに正方向の１次補助電流ＪＱ１５を流し、インダクタＬ１０ｂに正方向の１次補助エネルギーを蓄積する。同時に、相互誘導により、インダクタＬ１０ａに正方向の２次補助エネルギーを蓄積する。
【０１７４】
インダクタＬ１０ｂおよびインダクタＬ１０ａに蓄積された正方向の補助エネルギーによる２次補助電流が、期間Ｔ１から期間Ｔ２への切り替え時に、速やかにインダクタＬ１０ａを流れるように、時点ｔ２の前の時点ｔ１１であらかじめスイッチング素子Ｑ１１をオンにしておく。
【０１７５】
（期間Ｔ２）
次に、時点ｔ２でスイッチング素子Ｑ１４およびスイッチング素子Ｑ１５をオフにする。
【０１７６】
回収インダクタＬ１０ａと電極間容量ＣｐとはＬＣ共振回路を構成しているので、このスイッチング動作によりＬＣ共振が発生する。このＬＣ共振に基づいて、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、主電流が流れ、主電力が供給される。主電流が流れる上述した経路は、供給経路とも呼ばれる。これにより、走査電極ＳＣ１〜ＳＣｎにおける走査電極駆動信号Ｓ４３の電位が上がり始める。供給充電経路は、供給経路と、一部で配線を共有するだけであり、経路に含まれる機能要素を共有しない。それゆえに、供給充電経路は、実質的には供給経路から分離されている（後述するように、経路の機能要素だけでなく配線も共有しない構成も存在する）。
【０１７７】
時点ｔ２においてスイッチング素子Ｑ１４およびスイッチング素子Ｑ１５がオフされることにより、供給充電経路を流れていた１次補助電流ＪＱ１５が、図１２に示すように遮断される。このとき、インダクタＬ１０ｂおよびインダクタＬ１０ａは、電源ＶＳ２からの正方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２の前後で実質的に変化しない。このため、インダクタＬ１０ａを流れる２次補助電流は、遮断される直前にインダクタＬ１０ｂを流れていた１次補助電流ＪＱ１５に、インダクタＬ１０ｂのインダクタＬ１０ａに対する巻数比を乗算した値に大略等しくなる。このように、インダクタＬ１０ｂに蓄積された正方向の１次補助エネルギーは、インダクタＬ１０ａにおける正方向の２次補助エネルギーに変換され、時点ｔ２以降、インダクタＬ１０ａに蓄積された正方向の２次補助エネルギーの働きによる正方向への放電により、回収コンデンサＣ１０から、スイッチング素子Ｑ１１、ダイオードＤ１１、およびインダクタＬ１０ａを通して、走査電極ＳＣ１〜ＳＣｎへと経由する正方向の経路に沿って、２次補助電流が流れ始める。２次補助電流が流れる上述した経路は、インダクタＬ１０ａから正方向（供給方向）に放電する経路という意味で、供給放電経路とも呼ばれる。この２次補助電流が、回収インダクタＬ１０ａと電極間容量ＣｐとのＬＣ共振によって流れる主電流に付加され、電流ＪＬ１０ａは正方向に急峻に増加する。供給放電経路は、供給経路と一致する。
【０１７８】
これにより、図１２のインダクタＬ１０ａに流れる電流ＪＬ１０ａの変化を示す波形のように、走査電極ＳＣ１〜ＳＣｎへ流れる電流ＪＬ１０ａの立ち上がりは、回収インダクタＬ１０ａと電極間容量ＣｐとのＬＣ共振によって流れる主電流のみ（図示せず）よりも、非常に急峻になる。
【０１７９】
（期間Ｔ３）
期間Ｔ３における動作は、図７において説明した動作と同様であるため、ここでの説明は省略する。
【０１８０】
（期間Ｔ４）
次に、時点ｔ４でスイッチング素子Ｑ１６をオンにする。すると、電源ＶＳ１から、スイッチング素子Ｑ１３、インダクタＬ１０ｃ、およびスイッチング素子Ｑ１６を通して、基準電位にある接地端子ＧＮＤ２へと経由する負方向の経路に沿って、１次補助電流ＪＱ１６が流れる。１次補助電流ＪＱ１６が流れる上述した経路は、インダクタＬ１０ｃへ負方向（回収方向）に充電する経路という意味で、回収充電経路とも呼ばれる。このときに流れる１次補助電流ＪＱ１６は、電位Ｖｓと接地電位との間を、インダクタＬ１０ｃを介して流れる電流となるので、インダクタＬ１０ｃのインダクタンスをＬとすると、Ｖｓ／Ｌの傾きで減少（負方向に増加）していく。これによりインダクタＬ１０ｃに負方向の１次補助電流ＪＱ１６を流し、インダクタＬ１０ｃに負方向の１次補助エネルギーを蓄積する。同時に、相互誘導により、インダクタＬ１０ａに負方向の２次補助エネルギーを蓄積する。
【０１８１】
インダクタＬ１０ｃおよびインダクタＬ１０ａに蓄積された負方向の補助エネルギーによる２次補助電流が、期間Ｔ４から期間Ｔ５への切り替え時に、速やかにインダクタＬ１０ａを流れるように、時点ｔ５の前の時点ｔ４１であらかじめスイッチング素子Ｑ１２をオンにしておく。
【０１８２】
（期間Ｔ５）
次に、時点ｔ５でスイッチング素子Ｑ１３およびスイッチング素子Ｑ１６をオフにする。
【０１８３】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、インダクタＬ１０ａ、ダイオードＤ１２、およびスイッチング素子Ｑ１２を通して、コンデンサＣ１０へと経由する負方向の経路に沿って、主電流が流れ、主電力が回収される。主電流が流れる上述した経路は回収経路とも呼ばれる。これにより、走査電極ＳＣ１〜ＳＣｎにおける走査電極駆動信号Ｓ４３の電位が下がり始める。回収充電経路は、回収経路と、一部で交差するだけであり、経路としては回収経路から実質的に分離されている。回収充電経路は、回収経路と、一部で配線を共有するだけであり、経路に含まれる機能要素を共有しない。それゆえに、回収充電経路は、実質的には回収経路から分離されている（後述するように、経路の機能要素だけでなく配線も共有しない構成も存在する）。
【０１８４】
時点ｔ５においてスイッチング素子Ｑ１３およびスイッチング素子Ｑ１６がオフされることにより、回収充電経路を流れていた１次補助電流ＪＱ１６が、図１２に示すように遮断される。期間Ｔ２において上述したように、インダクタＬ１０ｃに蓄積された負方向の１次補助エネルギーは、インダクタＬ１０ａにおける負方向の２次補助エネルギーに変換される。時点ｔ５以降、インダクタＬ１０ａに蓄積された負方向の２次補助エネルギーの働きによる負方向への放電により、走査電極ＳＣ１〜ＳＣｎから、インダクタＬ１０ａ、ダイオードＤ１２、およびスイッチング素子Ｑ１２を通して、回収コンデンサＣ１０へと経由する負方向の経路に沿って、２次補助電流が流れ始める。２次補助電流が流れる上述した経路は、インダクタＬ１０ａから負方向（回収方向）に放電する経路という意味で、回収放電経路とも呼ばれる。この２次補助電流が、回収インダクタＬ１０ａと電極間容量ＣｐとのＬＣ共振によって流れる主電流に付加され、電流ＪＬ１０ａは急峻に減少（負方向に急峻に増加）する。回収放電経路は、回収経路と一致する。
【０１８５】
これにより、図１２のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる主電流のみ（図示せず）よりも、非常に急峻になる。
【０１８６】
（期間Ｔ６）
期間Ｔ６における動作は、図７において説明した動作と同様であるため、ここでの説明は省略する。
【０１８７】
以上、説明したように、実施の形態４のプラズマディスプレイ装置によれば、実施の形態１と同様に、維持パルスの立ち上がり時および立ち下がり時のパルスエッジにおいて、補助回路５３３を用いることにより、インダクタＬ１０ｂおよびインダクタＬ１０ｃにあらかじめ蓄積されたエネルギーにより発生する補助電流を、ＬＣ共振によって流れる主電流に付加することができる。その結果、維持パルス発生回路５０３と電極間容量Ｃｐとの間に流れる電流ＪＬ１０ａの大きさを急峻に増加させることができる。これにより、パネルを高精細化して維持パルスの周期を短縮しても、維持パルスのクランプ期間を確保するとともに、回収インダクタＬ１０ａと電極間容量Ｃｐとの共振周期を長くすることで回収インダクタＬ１０ａと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０１８８】
また、実施の形態１と同様に、インダクタＬ１０ｂおよびインダクタＬ１０ｃに１次補助エネルギーを蓄積するためにインダクタＬ１０ｂおよびインダクタＬ１０ｃに流す１次補助電流を、不要な回路を通さず最小限の回路（ここでは、正方向の１次補助エネルギーを蓄積する場合は正方向補助スイッチおよびクランプ回路の接地電位側のスイッチ、負方向の補助エネルギーを蓄積する場合は負方向補助スイッチおよびクランプ回路の電源側のスイッチ）のみを通す構成とすることで、不要な発熱や無効電力を低減することが可能となる。
【０１８９】
さらに、実施の形態４では、期間Ｔ１および期間Ｔ４においてインダクタＬ１０ｂおよびインダクタＬ１０ｃに１次補助電流を流すときに、その増加の傾きを実施の形態１と比較して大略２倍の傾きに急峻にできるので、期間Ｔ１および期間Ｔ４を短縮することが可能である。
【０１９０】
なお、実施の形態４では、インダクタＬ１０ｂとインダクタＬ１０ｃとの接続点は、走査電極ＳＣ１〜ＳＣｎに接続され、クランプ回路５２を用い、スイッチング素子Ｑ１３を介して電源ＶＳ１に接続され、スイッチング素子Ｑ１４を介して接地端子ＧＮＤ１に接続された。しかし、インダクタＬ１０ｂとインダクタＬ１０ｃとの接続点は、インダクタＬ１０ａには接続されずに、あらたに追加する１つのスイッチング素子を介して電源ＶＳ２に接続され、あらたに追加する別のスイッチング素子を介して接地端子ＧＮＤ２に接続されてもよい。
【０１９１】
（実施の形態５）
実施の形態５では、実施の形態１と異なる点を中心に説明する。その他の構成、動作、および効果は、実施の形態１と同等であるので、説明を省略する。
【０１９２】
図１３Ａ、図１３Ｂ、図１３Ｃ、および図１３Ｄは、走査電極用維持パルス発生回路５０４（単に、維持パルス発生回路５０４とも呼ばれる）および維持電極用維持パルス発生回路６０４（単に、維持パルス発生回路６０４とも呼ばれる）の回路図である。実施の形態１の維持パルス発生回路５０は維持パルス発生回路５０４に変更され、実施の形態１の維持パルス発生回路６０は維持パルス発生回路６０４に変更されている。すなわち、維持パルス発生回路５０４は、タイミング発生回路４５からのタイミング信号Ｓ４５に基づいて走査電極駆動信号Ｓ４３を生成し、各走査電極ＳＣ１〜ＳＣｎを駆動する。維持パルス発生回路６０４は、タイミング発生回路４５からのタイミング信号Ｓ４５Ａに基づいて維持電極駆動信号Ｓ４４を生成し、各維持電極ＳＵ１〜ＳＵｎを駆動する。維持パルス発生回路５０４は、電力回収回路５１４、クランプ回路５２、および補助回路５３４を有する。維持パルス発生回路６０４は、電力回収回路６１４、クランプ回路６２、および補助回路５３４を有する。維持パルス発生回路５０４および維持パルス発生回路６０４は、補助回路５３４を共有する。
【０１９３】
電力回収回路５１４は、回収コンデンサＣ１０、スイッチング素子Ｑ１１、スイッチング素子Ｑ１２、ダイオードＤ１１、ダイオードＤ１２、および回収インダクタＬ１０ａを有している。スイッチング素子Ｑ１１は、回収コンデンサＣ１０から走査電極ＳＣ１〜ＳＣｎへの電力供給時に導通させる。スイッチング素子Ｑ１２は、走査電極ＳＣ１〜ＳＣｎから回収コンデンサＣ１０への電力回収時に導通させる。ダイオードＤ１１は、回収コンデンサＣ１０から走査電極ＳＣ１〜ＳＣｎへ順方向の電力供給時に逆流する電流を防止する。ダイオードＤ１２は、走査電極ＳＣ１〜ＳＣｎから回収コンデンサＣ１０へ順方向の電力回収時に逆流する電流を防止する。
【０１９４】
電力回収回路６１４は、回収コンデンサＣ１０、スイッチング素子Ｑ１１Ａ、スイッチング素子Ｑ１２Ａ、ダイオードＤ１１Ａ、ダイオードＤ１２Ａ、および回収インダクタＬ１０ａＡを有している。スイッチング素子Ｑ１１Ａは、回収コンデンサＣ１０から維持電極ＳＵ１〜ＳＵｎへの電力供給時に導通させる。スイッチング素子Ｑ１２Ａは、維持電極ＳＵ１〜ＳＵｎから回収コンデンサＣ１０への電力回収時に導通させる。ダイオードＤ１１Ａは、回収コンデンサＣ１０から維持電極ＳＵ１〜ＳＵｎへ順方向の電力供給時に逆流する電流を防止する。ダイオードＤ１２Ａは、維持電極ＳＵ１〜ＳＵｎから回収コンデンサＣ１０へ順方向の電力回収時に逆流する電流を防止する。電力回収回路５１４および電力回収回路６１４は、回収コンデンサＣ１０を共有する。
【０１９５】
補助回路５３４は、スイッチング素子Ｑ１５および補助インダクタＬ１０ｂを有する。スイッチング素子Ｑ１５は、補助インダクタＬ１０ｂに電流ＪＬ１０ｂを流すときに導通させる補助スイッチである。
【０１９６】
回収コンデンサＣ１０の一方の端子は、端子ＧＮＤ１に接続され、基準電位である接地電位にされ、他方の端子（すなわちＢ点）は電位ＶＢ（＝Ｖｓ／２）にされる。互いに直列に接続されたスイッチング素子Ｑ１１およびダイオードＤ１１と、互いに直列に接続されたスイッチング素子Ｑ１２およびダイオードＤ１２とが、電流を流す向きが互いに逆方向になるように並列に接続される。それとともに、この並列に接続された回路の一方の端子は、回収インダクタ１０ａを介して回収コンデンサＣ１０の他方の端子（すなわちＢ点）に接続され、他方の端子は走査電極ＳＣ１〜ＳＣｎに接続される。同様に、互いに直列に接続されたスイッチング素子Ｑ１１ＡおよびダイオードＤ１１Ａと、互いに直列に接続されたスイッチング素子Ｑ１２ＡおよびダイオードＤ１２Ａとが、電流を流す向きが互いに逆方向になるように並列に接続される。それとともに、この並列に接続された回路の一方の端子は、回収インダクタ１０ａＡを介して回収コンデンサＣ１０の他方の端子（すなわちＢ点）に接続され、他方の端子は維持電極ＳＵ１〜ＳＵｎに接続される。
【０１９７】
スイッチング素子Ｑ１５の一方の端子は、補助インダクタＬ１０ｂを介して回収コンデンサＣ１０の他方の端子（すなわちＢ点）に接続され、他方の端子は接地端子ＧＮＤ２に接続され、基準電位にされる。
【０１９８】
回収インダクタＬ１０ａ、回収インダクタＬ１０ａＡ、および補助インダクタＬ１０ｂは、相互インダクタＬ１０Ｃを構成する。回収インダクタＬ１０ａ、回収インダクタＬ１０ａＡ、および補助インダクタＬ１０ｂのそれぞれは、磁気コアＬ１０ｚの少なくとも一部を含み、自己誘導により所定の自己インダクタンスを有する。さらに、回収インダクタＬ１０ａ、回収インダクタＬ１０ａＡ、および補助インダクタＬ１０ｂは、相互誘導により磁気コアＬ１０ｚを介して互いに磁気的に結合され、所定の相互インダクタンスを有する。相互インダクタンスの符号は、相互誘導を生成する磁気コアＬ１０ｚの構造と、各インダクタＬ１０ａ、Ｌ１０ａＡ、Ｌ１０ｂのコイルの巻き方向とによって決定される。図１３Ａ〜図１３Ｄでは、相互インダクタＬ１０Ｃは、棒状の磁気コアＬ１０ｚを用い、補助インダクタＬ１０ｂのコイルの巻き方向に対して、回収インダクタＬ１０ａのコイルを逆方向に巻くように構成され、回収インダクタＬ１０ａＡのコイルを逆方向に巻くように構成される。すなわち、インダクタＬ１０ａおよびインダクタＬ１０ａＡは、互いに正の相互誘導により結合される。インダクタＬ１０ｂは、インダクタＬ１０ａと負の相互誘導により結合され、インダクタＬ１０ａＡと負の相互誘導により結合される。一例として、インダクタＬ１０ｂの巻数は、インダクタＬ１０ａの巻数以上に設定され、インダクタＬ１０ａＡの巻数は、インダクタＬ１０ａの巻数と大略等しく設定される。相互インダクタＬ１０Ｃは、図１３Ａ〜図１３Ｄの構成に限らず、例えばトロイダル形状の磁気コアを用い、各コイルの巻き方向を必要に応じて変更することにより、図１３Ａ〜図１３Ｄの構成と同様に動作させることが可能である。
【０１９９】
実施の形態１〜４においては、走査電極駆動回路４３に含まれる回収インダクタと維持電極駆動回路４４に含まれる回収インダクタとは、互いに異なる磁気コアを有しており、両者の相互誘導は、大略ゼロである。これに対して相互インダクタＬ１０Ｃの場合、回収インダクタＬ１０ａ、Ｌ１０ａＡは、磁気コアＬ１０ｚを共有し、磁気コアＬ１０ｚの周囲に巻線を巻回することにより構成される。すなわち、走査電極駆動回路４３と維持電極駆動回路４４とは、インダクタＬ１０ａおよびインダクタＬ１０ａＡで構成される回収インダクタを実質的に共有する。
【０２００】
補助インダクタＬ１０ｂにおいて、負方向の１次補助電流ＪＬ１０ｂが回収コンデンサＣ１０からスイッチング素子Ｑ１５の方向へ流れることにより、回収インダクタＬ１０ａには負方向の電流ＪＬ１０ａが流れ、回収インダクタＬ１０ａＡには負方向の電流ＪＬ１０ａＡが流れる。
【０２０１】
図１４は、維持パルス発生回路の動作を説明するためのタイミングチャートである。図１４では、上から順に、Ｓ４３は、走査電極ＳＣ１〜ＳＣｎに印加される走査電極駆動信号Ｓ４３の電圧の変化を示す。Ｓ４４は、維持電極ＳＵ１〜ＳＵｎに印加される維持電極駆動信号Ｓ４４の電圧の変化を示す。ＪＬ１０ｂは、インダクタＬ１０ｂからスイッチング素子Ｑ１５に流れる電流ＪＬ１０ｂの変化（ここでは、インダクタＬ１０ｂからスイッチング素子Ｑ１５に向かって流れる場合を負とする）を示す。ＪＬ１０ａは、インダクタＬ１０ａに流れる電流ＪＬ１０ａの変化を示す。ＪＬ１０ａＡは、インダクタＬ１０ａＡに流れる電流ＪＬ１０ａＡの変化（ここでは、コンデンサＣ１０からインダクタＬ１０ａおよびインダクタＬ１０ａＡに向かって流れる場合を正とし、インダクタＬ１０ａおよびインダクタＬ１０ａＡからコンデンサＣ１０に向かって流れる場合を負とする）を示す。Ｑ１１は、スイッチング素子Ｑ１１の制御の状態を示す。Ｑ１２は、スイッチング素子Ｑ１２の制御の状態を示す。Ｑ１３は、スイッチング素子Ｑ１３の制御の状態を示す。Ｑ１４は、スイッチング素子Ｑ１４の制御の状態を示す。Ｑ１５は、スイッチング素子Ｑ１５の制御の状態を示す。Ｑ１１Ａは、スイッチング素子Ｑ１１Ａの制御の状態を示す。Ｑ１２Ａは、スイッチング素子Ｑ１２Ａの制御の状態を示す。Ｑ１３Ａは、スイッチング素子Ｑ１３Ａの制御の状態を示す。Ｑ１４Ａは、スイッチング素子Ｑ１４Ａの制御の状態を示す。
【０２０２】
実施の形態１〜４では、一例として、維持パルスの周波数は１００ｋＨｚ、維持パルスの立ち上がりおよび立ち下がりにかける期間はそれぞれ１μｓｅｃ、維持パルスを電位Ｖｓにクランプする期間は３μｓｅｃに設定されていた。この場合、維持パルスのデューティ比は、大略、（１＋３）／１０＝４０％、となる。したがって、図１４に示すように、走査電極駆動信号Ｓ４３の立ち下がり後に維持電極駆動信号Ｓ４４が立ち上がり、維持電極駆動信号Ｓ４４の立ち下がり後に走査電極駆動信号Ｓ４３が立ち上がる。実施の形態５では、このような走査電極駆動信号Ｓ４３と維持電極駆動信号Ｓ４４との関係が成り立っているが、上述した維持パルスの各数値は、この関係が維持される範囲においていかなる値であってもよい。
【０２０３】
（期間Ｔ１Ａ）
時点ｔ１Ａでスイッチング素子Ｑ１５をオンにする。すると、回収コンデンサＣ１０から、インダクタＬ１０ｂおよびスイッチング素子Ｑ１５を通して、基準電位にある接地端子ＧＮＤ２へと経由する負方向の経路に沿って、１次補助電流ＪＬ１０ｂが流れる。１次補助電流ＪＬ１０ｂが流れる上述した経路は、回収充電経路とも呼ばれる。１次補助電流ＪＬ１０ｂの絶対値は、インダクタＬ１０ｂのインダクタンスをＬとすると、（Ｖｓ／２）／Ｌの傾きで増加していく。これによりインダクタＬ１０ｂに負方向の１次補助電流ＪＬ１０ｂを流し、インダクタＬ１０ｂに負方向の１次補助エネルギーを蓄積する。同時に、相互誘導により、インダクタＬ１０ａに負方向の２次補助エネルギーを蓄積する。
【０２０４】
続く期間Ｔ２Ａでは、電力回収回路５１４を動作させて走査電極ＳＣ１〜ＳＣｎから回収コンデンサＣ１０への電力回収を行う。ここで、インダクタＬ１０ｂおよびインダクタＬ１０ａに蓄積された負方向の補助エネルギーによる２次補助電流が、期間Ｔ１Ａから期間Ｔ２Ａへの切り替え時に、速やかにインダクタＬ１０ａに流れるように、時点ｔ２Ａの前の時点ｔ１１Ａであらかじめスイッチング素子Ｑ１２をオンにしておく。
【０２０５】
この間、スイッチング素子Ｑ１３はオンに維持し、走査電極ＳＣ１〜ＳＣｎは電位Ｖｓにクランプしておく。
【０２０６】
（期間Ｔ２Ａ）
次に、時点ｔ２Ａでスイッチング素子Ｑ１３およびスイッチング素子Ｑ１５をオフにする。
【０２０７】
回収インダクタＬ１０ａと電極間容量ＣｐとはＬＣ共振回路を構成しているので、このスイッチング動作によりＬＣ共振が発生する。このＬＣ共振に基づいて、走査電極ＳＣ１〜ＳＣｎから、ダイオードＤ１２、スイッチング素子Ｑ１２、およびインダクタＬ１０ａを通して、回収コンデンサＣ１０へと経由する負方向の経路に沿って、主電流が流れ、主電力が回収される（図１３Ａ）。この主電流は走査電極側主電流とも呼ばれ、走査電極側主電流を生成する主電力は走査電極側主電力とも呼ばれる。さらに、走査電極側主電流が流れる上述した経路ＲＡは、走査電極側主電力を回収する経路であり、走査電極側回収経路とも呼ばれる。これにより、走査電極ＳＣ１〜ＳＣｎにおける走査電極駆動信号Ｓ４３の電位が下がり始める。回収充電経路は、走査電極側回収経路と、回収コンデンサＣ１０を共有するだけであり、経路としては実質的には走査電極側回収経路から分離されている。
【０２０８】
時点ｔ２Ａにおいてスイッチング素子Ｑ１３およびスイッチング素子Ｑ１５がオフされることにより、回収充電経路を流れていた１次補助電流ＪＬ１０ｂが、図１４に示すように遮断される。このとき、インダクタＬ１０ｂおよびインダクタＬ１０ａは、コンデンサＣ１０からの負方向補助エネルギーの充電動作を停止し、放電動作を開始する。インダクタＬ１０ｂを経由する経路は遮断されているため、インダクタＬ１０ａを経由する経路で放電が開始され、インダクタＬ１０ａにおいて２次補助電流が流れる。インダクタＬ１０ｂおよびインダクタＬ１０ａに蓄積された補助エネルギーは、時点ｔ２Ａの前後で実質的に変化しない。このため、インダクタＬ１０ａを流れる２次補助電流は、遮断される直前にインダクタＬ１０ｂを流れていた１次補助電流ＪＬ１０ｂに、インダクタＬ１０ｂのインダクタＬ１０ａに対する巻数比を乗算した値に大略等しくなる。このように、インダクタＬ１０ｂに蓄積された負方向の１次補助エネルギーは、インダクタＬ１０ａにおける負方向の２次補助エネルギーに変換される。時点ｔ２Ａ以降、インダクタＬ１０ａに蓄積された負方向の２次補助エネルギーの働きによる負方向への放電により、走査電極ＳＣ１〜ＳＣｎから、ダイオードＤ１２、スイッチング素子Ｑ１２、およびインダクタＬ１０ａを通して、回収コンデンサＣ１０へと経由する負方向の経路に沿って、２次補助電流が流れ始める。２次補助電流が流れる上述した経路は、走査電極側回収放電経路とも呼ばれる。この２次補助電流が、回収インダクタＬ１０ａと電極間容量ＣｐとのＬＣ共振によって流れる走査電極側主電流に付加され、電流ＪＬ１０ａは負方向に急峻に増加する。走査電極側回収放電経路は、走査電極側回収経路と一致する。
【０２０９】
これにより、図１４のインダクタＬ１０ａに流れる電流ＪＬ１０ａの変化を示す波形のように、走査電極ＳＣ１〜ＳＣｎから流れてくる電流ＪＬ１０ａの立ち下がりは、回収インダクタＬ１０ａと電極間容量ＣｐとのＬＣ共振によって流れる走査電極側主電流のみ（図示せず）よりも、非常に急峻になる。
【０２１０】
このように、期間Ｔ１ＡでインダクタＬ１０ｂに蓄積された負方向のエネルギーにより、期間Ｔ２Ａにおいて維持パルスの立ち下がり時に走査電極ＳＣ１〜ＳＣｎから電力回収回路５１４へ流れる電流を急峻に増加させることができ、維持パルスの立ち下がりを早くすることができる。しかも、インダクタＬ１０ａに流れるピーク電流を抑えることが可能となる。
【０２１１】
続く期間Ｔ３Ａでは電力回収回路６１４を動作させて回収コンデンサＣ１０から維持電極ＳＵ１〜ＳＵｎへの電力供給を行う。ここで、インダクタＬ１０ａに蓄積された負方向のエネルギーによる電流ＪＬ１０ａが、期間Ｔ２Ａから期間Ｔ３Ａへの切り替え時に、速やかにインダクタＬ１０ａＡに流れるように、時点ｔ３Ａの前の時点ｔ２１Ａであらかじめスイッチング素子Ｑ１１Ａをオンにしておく。
【０２１２】
（期間Ｔ３Ａ）
次に、時点ｔ３Ａでスイッチング素子Ｑ１２およびスイッチング素子Ｑ１４Ａをオフし、スイッチング素子Ｑ１４をオンにする。
【０２１３】
回収インダクタＬ１０ａＡと電極間容量ＣｐとはＬＣ共振回路を構成しているので、このスイッチング動作によりＬＣ共振が発生する。このＬＣ共振に基づいて、回収コンデンサＣ１０から、インダクタＬ１０ａＡ、スイッチング素子Ｑ１１Ａ、およびダイオードＤ１１Ａを通して、維持電極ＳＵ１〜ＳＵｎへと経由する正方向の経路に沿って、主電流が流れ、主電力が供給される（図１３Ｂ）。この主電流は維持電極側主電流とも呼ばれ、維持電極側主電流が流れる上述した経路ＲＢは、維持電極側主電力を供給する経路であり、維持電極側供給経路とも呼ばれる。これにより、維持電極ＳＵ１〜ＳＵｎにおける維持電極駆動信号Ｓ４４の電位が上がり始める。
【０２１４】
時点ｔ３Ａにおいてスイッチング素子Ｑ１２がオフされることにより、走査電極側回収経路を流れていた電流ＪＬ１０ａが、図１４に示すように遮断される。電流ＪＬ１０ａが遮断される直前には、回収インダクタＬ１０ａには、蓄積された負方向の２次エネルギーの放電による負方向の２次補助電流と、走査電極ＳＣ１〜ＳＣｎからの負方向の主電流との和電流がまだ流れていた。すなわち、回収インダクタＬ１０ａは充電状態であり、エネルギーが残留していた。時点ｔ３Ａにおいて、インダクタＬ１０ａは、負方向エネルギーの充電動作を停止し、放電動作を開始する。インダクタＬ１０ｂおよびインダクタＬ１０ａを経由する経路は遮断されているため、インダクタＬ１０ａＡを経由する経路で放電が開始され、インダクタＬ１０ａＡにおいて、上述した残留エネルギーに基づいて補助電流が流れる。期間Ｔ２Ａの２次補助電流と主電流との和電流に起因して生じる、期間Ｔ３Ａのこのような補助電流は３次補助電流とも呼ばれ、３次補助電流を生成するエネルギーは３次補助エネルギーとも呼ばれる。インダクタＬ１０ａおよびインダクタＬ１０ａＡに蓄積された補助エネルギーは、時点ｔ３Ａの前後で実質的に変化しない。このため、インダクタＬ１０ａＡを流れる３次補助電流は、遮断される直前にインダクタＬ１０ａを流れていた電流ＪＬ１０ａに、インダクタＬ１０ａのインダクタＬ１０ａＡに対する巻数比を乗算した値に大略等しくなる。インダクタＬ１０ａとインダクタＬ１０ａＡとは、回収コンデンサＣ１０を中心に巻線方向が互いに同方向になるよう構成される。換言すれば、インダクタＬ１０ａおよびインダクタＬ１０ａＡの両巻線は、磁気コアＬ１０ｚの周囲に、互いに同方向になるように巻回されている。このため、インダクタＬ１０ａに蓄積された負方向のエネルギーは、インダクタＬ１０ａＡにおける正方向のエネルギーに変換される。時点ｔ３Ａ以降、インダクタＬ１０ａＡに蓄積された正方向のエネルギーの働きによる正方向への放電により、回収コンデンサＣ１０から、インダクタＬ１０ａＡ、スイッチング素子Ｑ１１Ａ、およびダイオードＤ１１Ａを通して、維持電極ＳＵ１〜ＳＵｎへと経由する正方向の経路に沿って、３次補助電流が流れ始める。３次補助電流が流れる上述した経路は、維持電極側供給放電経路とも呼ばれる。この３次補助電流が、回収インダクタＬ１０ａＡと電極間容量ＣｐとのＬＣ共振によって流れる維持電極側主電流に付加され、電流ＪＬ１０ａＡは正方向に急峻に増加する。維持電極側供給放電経路は、維持電極側供給経路と一致する。
【０２１５】
これにより、図１４のインダクタＬ１０ａＡに流れる電流ＪＬ１０ａＡの変化を示す波形のように、維持電極ＳＵ１〜ＳＵｎへ流れる電流ＪＬ１０ａＡの立ち上がりは、回収インダクタＬ１０ａＡと電極間容量ＣｐとのＬＣ共振によって流れる主電流のみ（図示せず）よりも、非常に急峻になる。
【０２１６】
このように、期間Ｔ２ＡでインダクタＬ１０ａに蓄積された負方向のエネルギーにより、期間Ｔ３Ａにおいて維持パルスの立ち上がり時に電力回収回路６１４から維持電極ＳＵ１〜ＳＵｎへ流れる電流を急峻に増加させることができ、維持パルスの立ち上がりを早くすることができる。しかも、インダクタＬ１０ａＡに流れるピーク電流を抑えることが可能となる。
【０２１７】
維持電極ＳＵ１〜ＳＵｎの維持パルスの立ち下がりから走査電極ＳＣ１〜ＳＣｎの維持パルスの立ち上がりへの動作(図１４の期間Ｔ１Ｂ、Ｔ２Ｂ、Ｔ３Ｂ)については、同様に説明することができる。すなわち、期間Ｔ２Ｂにおいて、維持電極ＳＵ１〜ＳＵｎから、ダイオードＤ１２Ａ、スイッチング素子Ｑ１２Ａ、およびインダクタＬ１０ａＡを通して、回収コンデンサＣ１０へと経由する負方向の経路に沿って、維持電極側主電流および２次補助電流が流れる（図１３Ｃ）。上述した経路ＲＣは、維持電極側主電流が流れるため、維持電極側回収経路とも呼ばれ、２次補助電流が流れるため、維持電極側回収放電経路とも呼ばれる。期間Ｔ２Ｂにおける２次補助電流は、期間Ｔ１Ｂにおける負方向の１次補助電流ＪＬ１０ｂに基づく。
【０２１８】
続く期間Ｔ３Ｂにおいて、回収コンデンサＣ１０から、インダクタＬ１０ａ、スイッチング素子Ｑ１１、およびダイオードＤ１１を通して、走査電極ＳＣ１〜ＳＣｎへと経由する正方向の経路に沿って、走査電極側主電流および３次補助電流が流れる（図１３Ｄ）。上述した経路ＲＤは、走査電極側主電流が流れるため、走査電極側供給経路とも呼ばれ、３次補助電流が流れるため、走査電極側供給放電経路とも呼ばれる。期間Ｔ３Ｂにおける３次補助電流は、期間Ｔ２Ｂにおける走査電極側主電流と２次補助電流との和電流に起因して、インダクタＬ１０ａＡにおいて残留するエネルギーに基づく。期間Ｔ１Ｂ〜Ｔ３Ｂにおける詳細な動作は、期間Ｔ１Ａ〜Ｔ３Ａにおける動作と同様であるため、説明は省略する。
【０２１９】
なお、実施の形態５では、図１４に示すように、走査電極駆動信号Ｓ４３の立ち下がり後に維持電極駆動信号Ｓ４４が立ち上がり、維持電極駆動信号Ｓ４４の立ち下がり後に走査電極駆動信号Ｓ４３が立ち上がるように設定されていた。しかし、維持電極駆動信号Ｓ４４の立ち上がり後に走査電極駆動信号Ｓ４３が立ち下がり、走査電極駆動信号Ｓ４３の立ち上がり後に維持電極駆動信号Ｓ４４が立ち下がるように設定されてもよい。この場合、一例として、維持パルスの周波数は１００ｋＨｚ、維持パルスの立ち上がりおよび立ち下がりにかける期間はそれぞれ１μｓｅｃ、維持パルスを電位Ｖｓにクランプする期間は５μｓｅｃに設定される。したがって、維持パルスのデューティ比は、大略、（１＋５）／１０＝６０％、となる。また、図１３Ａ〜１３Ｄの相互インダクタＬ１０Ｃは、補助インダクタＬ１０ｂのコイルの巻き方向に対して、回収インダクタＬ１０ａのコイルを同方向に巻くように変更され、回収インダクタＬ１０ａＡのコイルを同方向に巻くように変更される。
【０２２０】
このように、回収コンデンサＣ１０は、走査電極側主電力および維持電極側主電力を充放電する。インダクタＬ１０ｂは、走査電極側主電力が回収開始される直前に、補助電力を充電し、インダクタＬ１０ａは、走査電極側主電力が回収開始されると、補助電力を回収方向に放電する。インダクタＬ１０ａＡは、走査電極側主電力の回収後に維持電極側主電力が供給開始されると、維持電極側主電力が供給開始される直前にインダクタＬ１０ａにおいて残留する電力を、供給方向に放電する。インダクタＬ１０ｂは、維持電極側主電力が回収開始される直前に、補助電力を充電し、インダクタＬ１０ａＡは、維持電極側主電力が回収開始されると、補助電力を回収方向に放電する。インダクタＬ１０ａは、維持電極側主電力の回収後に走査電極側主電力が供給開始されると、走査電極側主電力が供給開始される直前にインダクタＬ１０ａＡにおいて残留する電力を、供給方向に放電する。
【０２２１】
実施の形態５ののプラズマディスプレイ装置によれば、維持パルスの立ち上がり時および立ち下がり時のパルスエッジにおいて、補助回路５３４および相互インダクタＬ１０Ｃを用いることにより、補助インダクタＬ１０ｂにあらかじめ蓄積された１次補助エネルギーにより発生する２次補助電流または３次補助電流を、ＬＣ共振によって流れる主電流に付加することができる。その結果、維持パルス発生回路と電極間容量Ｃｐとの間に流れる電流の大きさを急峻に増加させることができる。これにより、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０２２２】
また実施の形態１〜４に比較して、回収コンデンサおよび回収インダクタおよび補助回路が共用できるため、大幅な部品の削減が可能となる。
【０２２３】
（実施の形態６）
実施の形態６では、実施の形態１〜５と異なる点を中心に説明する。その他の構成、動作、および効果は、実施の形態１〜５と同等であるので、説明を省略する。
【０２２４】
実施の形態１〜５では、補助回路の電源電位として、高圧側に回収コンデンサＣ１０の電位ＶＢ（＝Ｖｓ／２）または電源ＶＳ２の電位Ｖｓを、低圧側に基準端子ＧＮＤ２の基準電位として接地電位を用いる構成を説明した。実施の形態６では、実施の形態４における電源ＶＳ２の電位Ｖｓ、および実施の形態１〜５における基準電源ＧＮＤ２の基準電位を可変とする構成について説明する。実施の形態６では、実施の形態４の構成は変更され、インダクタＬ１０ｂとインダクタＬ１０ｃとの接続点は、インダクタＬ１０ａには接続されずに、あらたに追加する１つのスイッチング素子を介して電源ＶＳ２に接続され、あらたに追加する別のスイッチング素子を介して基準電源ＧＮＤ２に接続される構成とする。図１５は、補助回路の基準電位を可変した場合の波形図である。例えば、実施の形態１〜５においてインダクタＬ１０ａに正方向の１次補助エネルギーを蓄積する動作においては、基準電位を低くすることで、図１５に実線で示すように、回収コンデンサＣ１０または電源ＶＳ２から、インダクタＬ１０ａおよび正方向補助スイッチ（例えば、スイッチング素子Ｑ１５）を通して、基準電源ＧＮＤ２へと流れる電流ＪＱ１５の単位時間あたりの増加量（電流の増加を表す傾き）を大きくすることができ、逆に基準電位を高くすることで、破線や一点鎖線に示すように電流ＪＱ１５の増加を小さくすることができる。また、図示はしないが、実施の形態４における電源ＶＳ２の電位Ｖｓに関しても同様であり、可変にすることで同様の効果を得られる。
【０２２５】
したがって、例えば表示画像に応じて補助回路の基準電位（または電源ＶＳ２の電位Ｖｓ）を制御する構成を設けてもよい。具体的な一例としては、表示画像が明るいとき、あるいは全放電セルに対する点灯すべき放電セルの割合を表す点灯率が高いときには基準電位を低くする（電源ＶＳ２の電位Ｖｓを高くする）。逆に、表示画像が暗いとき、あるいは点灯率が低いときには基準電位を高くする（電源電位Ｖｓを低くする）。このように構成することで、画像表示品質をさらに高めることも可能である。
【０２２６】
次に、実施の形態１〜５において、例えば、補助回路における正方向補助スイッチ（スイッチング素子Ｑ１５）および負方向補助スイッチ（スイッチング素子Ｑ１６）の導通期間（図７における期間Ｔ１および期間Ｔ４）を可変とする構成について説明する。図１６は、正方向補助スイッチの導通期間を可変した場合の波形図である。
【０２２７】
例えば、実施の形態１〜５においてインダクタＬ１０ａに正方向の１次補助エネルギーを蓄積する動作においては、正方向補助スイッチの導通期間を、図１６における期間Ｔ１のように長くすることで、実線に示すようにインダクタＬ１０ａに流す正方向の電流ＪＱ１５の電流量を増やすことができる。逆に正方向補助スイッチの導通期間を、図１６における期間Ｔ１Ａおよび期間Ｔ１Ｂのように短くすることで、破線や一点鎖線に示すようにインダクタＬ１０ａに流す正方向の電流ＪＱ１５の電流量を少なくすることができる。また、図示はしないが、負方向の電流に関しても同様であり、負方向補助スイッチの導通期間を可変にすることで同様の効果を得られる。
【０２２８】
したがって、例えば表示画像に応じて補助回路の正方向補助スイッチおよび負方向補助スイッチの導通期間を制御する構成を設けてもよい。具体的な一例としては、正方向補助スイッチおよび負方向補助スイッチの導通期間を、表示画像が明るいとき、あるいは点灯率が高いときには長くし、逆に、表示画像が暗いとき、あるいは点灯率が低いときには短くする構成とすることで、画像表示品質をさらに高めることも可能である。
【０２２９】
（実施の形態の結び）
以上説明したように、本発明の実施の形態のプラズマディスプレイ装置によれば、維持パルスの立ち上がり時および立ち下がり時のパルスエッジにおいて、補助回路または相互インダクタを用いることにより、補助誘導部にあらかじめ蓄積された１次補助エネルギーにより発生する２次補助電流または３次補助電流を、ＬＣ共振によって流れる主電流に付加することができる。その結果、維持パルス発生回路と電極間容量Ｃｐとの間に流れる電流の大きさを急峻に増加させることができる。これにより、パネルを高精細化して維持パルスの周期を短縮しても、維持パルスのクランプ期間を確保するとともに、回収インダクタと電極間容量Ｃｐとの共振周期を長くすることで回収インダクタと電極間容量Ｃｐとの間に流れるピーク電流を低減することができる。したがって、高精細化パネルに対しても、クランプ期間の確保により安定して維持放電を発生させるとともに、ピーク電流の低減により消費電力およびＥＭＩを低減することが可能となる。
【０２３０】
なお、実施の形態１、２、４、および５では、電力回収回路において、電力回収時と電力供給時とで同一のインダクタＬ１０ａまたはＬ１０ａＡを用いる構成を説明した。また実施の形態３では、実施の形態１のインダクタＬ１０ａに代えて２つのインダクタ、すなわち、回収コンデンサＣ１０から走査電極ＳＣ１〜ＳＣｎに電力を供給するときに用いるインダクタＬ１０ａと、走査電極ＳＣ１〜ＳＣｎから回収コンデンサＣ１０に電力を回収するときに用いるインダクタＬ２０ａとに分ける構成を説明した。実施の形態１、２、４および５においても、実施の形態３と同様にして、インダクタＬ１０ａまたはＬ１０ａＡを、電力供給用のインダクタと電力回収用のインダクタに分ける構成としてもよい。これにより、表示電極対２４から電力を回収するときと、表示電極対２４へ電力を供給するときとで共振周期を変えることができる。
【０２３１】
本発明の実施の形態において示した具体的な各数値は、実験に用いた表示電極対数１０８０対の５０インチのパネルに基づき設定したものであって、単に実施の形態の一例を示したものに過ぎない。本発明はこれらの数値に何ら限定されるものではなく、パネルの特性やプラズマディスプレイ装置の仕様等に応じて最適な値に設定することが望ましい。また、これらの各数値は、上述した効果を得られる範囲でのばらつきを許容するものとする。
【０２３２】
本発明はこれらの課題に鑑みなされたものであり、高精細化されたパネルであっても、消費電力の削減と安定した維持放電とを実現することが可能なプラズマディスプレイ装置およびプラズマディスプレイパネルの駆動方法に対して有用である。
【０２３３】
ここで、別の観点から、本発明の概要を説明する。
【０２３４】
（項１）
表示電極対を構成する複数の走査電極および維持電極を有するプラズマディスプレイパネルの前記表示電極対に、初期化期間、書き込み期間および維持期間を有するサブフィールドの前記維持期間に維持パルスを交互に印加する維持パルス発生回路を備えたプラズマディスプレイ装置であって、
前記維持パルス発生回路は、
ＬＣ共振用の回収インダクタと電力回収用の回収コンデンサと電力回収経路と電力供給経路とを有し、前記表示電極対の容量性負荷に蓄積された電力をＬＣ共振によって前記電力回収経路を介して前記回収コンデンサに回収し、その回収した電力を前記電力供給経路を介して前記表示電極対の駆動に再利用する電力回収回路と、
第１の補助スイッチを有する補助回路とを備え、
前記補助回路は、前記電力供給経路を介して前記容量性負荷を駆動する前に前記第１の補助スイッチを導通させて前記回収インダクタにエネルギーを蓄積するように構成することにより、前記維持パルスの立ち上がりの前には前記第１の補助スイッチを導通させて前記回収インダクタに前記エネルギーを蓄積し
前記電力回収回路は、前記維持パルスの立ち上げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とするプラズマディスプレイ装置。
【０２３５】
（項２）
前記補助回路は、
第２の補助スイッチを有し、
前記電力回収経路を介して前記回収コンデンサに電力を回収する前に前記第２の補助スイッチを導通させて前記回収インダクタにエネルギーを蓄積するように構成することにより、前記維持パルスの立ち下がりの前には前記第２の補助スイッチを導通させて前記回収インダクタに前記エネルギーを蓄積し、
前記電力回収回路は、前記維持パルスの立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とする、項１に記載のプラズマディスプレイ装置。
【０２３６】
（項３）
前記補助回路は、前記電力回収経路を介して前記回収コンデンサに電力を回収する前に前記第１の補助スイッチを導通させて前記回収インダクタにエネルギーを蓄積するように構成することにより、前記維持パルスの立ち下がりの前には前記第１の補助スイッチを導通させて前記回収インダクタに前記エネルギーを蓄積し、
前記電力回収回路は、前記維持パルスの立ち下げ時に、前記電力回収回路と前記容量性負荷との間に流れる電流を、前記ＬＣ共振によって発生する電流に、前記回収インダクタにあらかじめ蓄積しておいた前記エネルギーにより発生する電流を付加した電流とすることを特徴とする、項１に記載のプラズマディスプレイ装置。
【０２３７】
（項４）
主電力および補助電力を用いて、容量性負荷を駆動するプラズマディスプレイ装置であって、
前記主電力を充放電可能な主容量部と、
前記補助電力を充電可能な補助誘導部と、
相互誘導により前記補助誘導部に結合され、前記補助誘導部からの前記補助電力を充放電可能であり、前記容量性負荷とＬＣ共振する主誘導部と、
前記ＬＣ共振に基づいて、前記容量性負荷から前記主誘導部を経由して前記主容量部へ、前記主電力を回収する回収経路と、
前記ＬＣ共振に基づいて、前記主容量部から前記主誘導部を経由して前記容量性負荷へ、回収された前記主電力を供給する供給経路と、
前記補助誘導部を経由する経路であって、前記主電力の回収動作を強める方向に、前記補助誘導部に前記補助電力を充電する回収充電経路と、
前記主誘導部を経由する経路であって、前記主誘導部において充電された前記補助電力を、回収方向に放電する回収放電経路と、
前記補助誘導部を経由する経路であって、前記主電力の供給動作を強める方向に、前記補助誘導部に前記補助電力を充電する供給充電経路と、
前記主誘導部を経由する経路であって、前記主誘導部において充電された前記補助電力を、供給方向に放電する供給放電経路と、を有し、
前記回収経路は、前記回収充電経路から実質的に分離され、前記回収放電経路と実質的に一致し、
前記供給経路は、前記供給充電経路から実質的に分離され、前記供給放電経路と実質的に一致する、プラズマディスプレイ装置。
【０２３８】
（項５）
前記補助誘導部は、前記主電力が回収開始される直前に、前記補助電力を充電し、
前記主誘導部は、前記主電力が回収開始されると、前記補助電力を回収方向に放電する、項４に記載のプラズマディスプレイ装置。
【０２３９】
（項６）
前記補助誘導部は、前記主電力が供給開始される直前に、前記補助電力を充電し、
前記主誘導部は、前記主電力が供給開始されると、前記補助電力を供給方向に放電する、項４に記載のプラズマディスプレイ装置。
【０２４０】
（項７）
前記回収充電経路は、前記補助誘導部の一端に接続される第１スイッチを経由する経路を含み、
前記補助誘導部は、前記主電力が回収開始される前に前記第１スイッチが導通されることにより、前記補助電力を回収方向に充電する、項４に記載のプラズマディスプレイ装置。
【０２４１】
（項８）
前記供給充電経路は、前記補助誘導部の他端に接続される第２スイッチを経由する経路を含み、
前記補助誘導部は、前記主電力が供給開始される前に前記第２スイッチが導通されることにより、前記補助電力を供給方向に充電する、項７に記載のプラズマディスプレイ装置。
【０２４２】
（項９）
前記補助回路は、前記第１スイッチが導通する期間を、表示画像に応じて変化させる、項７に記載のプラズマディスプレイ装置。
【０２４３】
（項１０）
前記回収充電経路および前記供給充電経路は、前記主容量部を経由する経路を共通に含み、
前記補助誘導部は、前記主容量部からの前記補助電力を充電する、項４に記載のプラズマディスプレイ装置。
【０２４４】
（項１１）
前記回収充電経路は、前記主容量部と前記補助誘導部の一端との間に挿入される第１スイッチを経由する経路を含み、
前記供給充電経路は、前記主容量部と前記補助誘導部の他端との間に挿入される第２スイッチを経由する経路を含み、
前記主誘導部は、前記第１スイッチの導通時に、前記補助電力を回収方向に充電し、前記第２スイッチの導通時に、前記補助電力を供給方向に充電する、項１０に記載のプラズマディスプレイ装置。
【０２４５】
（項１２）
前記補助誘導部は、第１副補助誘導部および第２副補助誘導部を含み、
前記第１副補助誘導部は、前記回収充電経路に含まれ、前記主誘導部を回収方向に充電するように、前記補助電力を充電し、
前記第２副補助誘導部は、前記供給充電経路に含まれ、前記主誘導部を供給方向に充電するように、前記補助電力を充電する、項４に記載のプラズマディスプレイ装置。
【０２４６】
（項１３）
前記主誘導部は、第１副主誘導部および第２副主誘導部を含み、
前記第１副主誘導部は、前記回収放電経路に含まれ、相互誘導により前記第１副補助誘導部に結合され、前記補助電力を回収方向に充放電し、
前記第２副主誘導部は、前記供給放電経路に含まれ、相互誘導により前記第２副補助誘導部に結合され、前記補助電力を供給方向に充放電する、項１２に記載のプラズマディスプレイ装置。
【０２４７】
（項１４）
さらに、
第１電位を供給する第１電源から、前記容量性負荷への経路であって、前記第１電源により前記容量性負荷の所定電極を第１電位に保持する経路と、
前記容量性負荷から、基準電位を供給する基準電源への経路であって、前記基準電源により前記容量性負荷の所定電極を基準電位に保持する経路と、を有する、項４に記載のプラズマディスプレイ装置。
【０２４８】
（項１５）
前記補助誘導部は、第１副補助誘導部および第２副補助誘導部を含み、
前記第１副補助誘導部は、
前記第１電源と前記基準電源との間に挿入され、
前記主誘導部を回収方向に充電するように、前記第１電源からの前記補助電力を充電し、
前記第２副補助誘導部は、
第２電位を供給する第２電源と前記基準電源との間に挿入され、
前記主誘導部を供給方向に充電するように、前記第２電源からの前記補助電力を充電する、項１４に記載のプラズマディスプレイ装置。
【０２４９】
（項１６）
前記補助回路は、第２電位または基準電位を、表示画像に応じて変化させる、項１５に記載のプラズマディスプレイ装置。
【０２５０】
（項１７）
前記主容量部は、第１電極側主電力および第２電極側主電力を充放電可能であり、
前記回収経路は、
前記容量性負荷の第１電極から前記第１電極側主電力を回収する第１電極側回収経路と、
前記容量性負荷の第２電極から前記第２電極側主電力を回収する第２電極側回収経路と、を含み、
前記供給経路は、
前記容量性負荷の第１電極へ前記第１電極側主電力を供給する第１電極側供給経路と、
前記容量性負荷の第２電極へ前記第２電極側主電力を供給する第２電極側供給経路と、を含む、項１４に記載のプラズマディスプレイ装置。
【０２５１】
（項１８）
前記主誘導部は、第１電極側主誘導部および第２電極側主誘導部を含み、
前記第１電極側主誘導部および前記第２電極側主誘導部は、互いに負の相互誘導により結合され、
前記補助誘導部は、前記第１電極側主誘導部と負の相互誘導により結合され、前記第２電極側主誘導部と正の相互誘導により結合され、
前記第１電極側回収経路および前記第１電極側供給経路は、前記第１電極側主誘導部を経由する経路を含み、
前記第２電極側回収経路および前記第２電極側供給経路は、前記第２電極側主誘導部を経由する経路を含む、項１７に記載のプラズマディスプレイ装置。
【０２５２】
（項１９）
前記補助誘導部は、前記第１電極側主電力が回収開始される直前に、前記補助電力を充電し、
前記第１電極側主誘導部は、前記第１電極側主電力が回収開始されると、前記補助電力を回収方向に放電する、項１８に記載のプラズマディスプレイ装置。
【０２５３】
（項２０）
前記第２電極側主誘導部は、前記第１電極側主電力の回収後に前記第２電極側主電力が供給開始されると、前記第２電極側主電力が供給開始される直前に前記第１電極側主誘導部において残留する電力を、供給方向に放電する、項１９に記載のプラズマディスプレイ装置。
【０２５４】
（項２１）
前記補助誘導部は、前記第２電極側主電力が回収開始される直前に、前記補助電力を充電し、
前記第２電極側主誘導部は、前記第２電極側主電力が回収開始されると、前記補助電力を回収方向に放電する、項１８に記載のプラズマディスプレイ装置。
【０２５５】
（項２２）
前記第１電極側主誘導部は、前記第２電極側主電力の回収後に前記第１電極側主電力が供給開始されると、前記第１電極側主電力が供給開始される直前に前記第２電極側主誘導部において残留する電力を、供給方向に放電する、項２１に記載のプラズマディスプレイ装置。
【０２５６】
（項２３）
主電力および補助電力を用いて、容量性負荷を駆動するプラズマディスプレイ装置であって、
主誘導部および前記主電力を充放電可能な主容量部を含み、前記容量性負荷と前記主誘導部とのＬＣ共振に基づいて、前記容量性負荷から前記主誘導部を経由して前記主容量部へ前記主電力を回収し、回収された前記主電力を前記主容量部から前記主誘導部を経由して前記容量性負荷へ供給する電力循環回路と、
前記補助電力を充電可能な補助誘導部を含む補助回路と、を有し、
前記電力循環回路は、前記主誘導部が、相互誘導により前記補助誘導部に結合され、前記補助誘導部からの前記補助電力を充放電することにより、前記主電力に前記補助電力を追加し、前記主電力の回収動作および供給動作を急峻にする、プラズマディスプレイ装置。
【０２５７】
（項２４）
前記補助回路は、前記主電力が回収開始される直前に、前記補助誘導部において前記補助電力を充電し、
前記電力循環回路は、前記主電力が回収開始されると、前記主誘導部において前記補助電力を回収方向に放電する、項２３に記載のプラズマディスプレイ装置。
【０２５８】
（項２５）
前記補助回路は、前記主電力が供給開始される直前に、前記補助誘導部において前記補助電力を充電し、
前記電力循環回路は、前記主電力が供給開始されると、前記主誘導部において前記補助電力を供給方向に放電する、項２３に記載のプラズマディスプレイ装置。
【０２５９】
以上、実施の形態におけるこれまでの説明は、すべて本発明を具体化した一例であって、本発明はこれらの例に限定されず、本発明の技術を用いて当業者が容易に構成可能な種々の例に展開可能である。
【産業上の利用可能性】
【０２６０】
本発明は、プラズマディスプレイ装置およびプラズマディスプレイパネルの駆動方法に利用できる。
【符号の説明】
【０２６１】
１  プラズマディスプレイ装置
１０  パネル
２１  （ガラス製の）前面板
２２  走査電極
２３  維持電極
２４  表示電極対
２５、３３  誘電体層
２６  保護層
３１  背面板
３２  データ電極
３４  隔壁
３５  蛍光体層
４１  画像信号処理回路
４２  データ電極駆動回路
４３  走査電極駆動回路
４４  維持電極駆動回路
４５  タイミング発生回路
５０、６０、５０１、５０２、５０３、５０４、６０４  維持パルス発生回路
５１、６１、５１１、５１２、５１３、５１４、６１４  電力回収回路
５２、６２  クランプ回路
５３、６３、５３１、５３２、５３３、５３４  補助回路
Ｌ１０、Ｌ１０Ａ、Ｌ２０Ａ、Ｌ１０Ｂ、Ｌ１０Ｃ  相互インダクタ
Ｌ１０ａ、Ｌ１０ｂ、Ｌ１０ｃ、Ｌ２０ａ、Ｌ２０ｂ、Ｌ１０ａＡ  インダクタ
Ｌ１０ｚ  磁気コア
Ｃ１０  コンデンサ
Ｑ１１、Ｑ１２、Ｑ１３、Ｑ１４、Ｑ１５、Ｑ１６、Ｑ１７、Ｑ１８、Ｑ１１Ａ、Ｑ１２Ａ、Ｑ１３Ａ、Ｑ１４Ａ  スイッチング素子
Ｄ１１、Ｄ１２、Ｄ１１Ａ、Ｄ１２Ａ  ダイオード
【手続補正３】
【補正対象書類名】図面
【補正対象項目名】全図
【補正方法】変更
【補正の内容】
【図１】
2009130860.tif 000022
【図２】
2009130860.tif 000023
【図３】
2009130860.tif 000024
【図４】
2009130860.tif 000025
【図５】
2009130860.tif 000026
【図６】
2009130860.tif 000027
【図７】
2009130860.tif 000028
【図８】
2009130860.tif 000029
【図９】
2009130860.tif 000030
【図１０】
2009130860.tif 000031
【図１１】
2009130860.tif 000032
【図１２】
2009130860.tif 000033
【図１３Ａ】
2009130860.tif 000034
【図１３Ｂ】
2009130860.tif 000035
【図１３Ｃ】
2009130860.tif 000036
【図１３Ｄ】
2009130860.tif 000037
【図１４】
2009130860.tif 000038
【図１５】
2009130860.tif 000039
【図１６】
2009130860.tif 000040
【国際調査報告】
2009130860.tif 000041
2009130860.tif 000042
2009130860.tif 000043
2009130860.tif 000044